(57)【要約】通信システムは、建物の入口近くに配置された第１のデバイスと、建物内に配置された追加のデバイスとを含むことができる。通信システムは、人々がデバイスを介して通信することを可能にすることができ、また、建物から離れて位置する人々が通信することを可能にすることもできる。通信システムは、（訪問者が建物内にいると考えることができる）人を求めている訪問者が、たとえその人が建物から離れて位置していても、その人と通信することを可能にすることができる。【選択図】図５１
2020529771.tif 000002
【特許請求の範囲】
【請求項１】
建物に少なくとも部分的に結合されるように構成された通信システムであって、
第１の位置において前記建物に結合され、第１のスピーカ及び第１のマイクロフォンを備える第１の通信デバイスと、
第２の位置において前記建物に結合され、第２のスピーカ及び第２のマイクロフォンを備える第２の通信デバイスであって、前記第１及び第２の通信デバイスが、第１の位置にいる訪問者が、第２の位置にいる第１の人と話すことを可能にするように通信可能に結合される第２の通信デバイスと、
前記第１のスピーカ及び前記第１のマイクロフォンに物理的に結合された部分を有し、無線通信を介して第１のリモートコンピューティングデバイスに通信可能に結合される第３の通信デバイスと
を備えた通信システム。
【請求項２】
前記第３の通信デバイスは、前記第１のリモートコンピューティングデバイスによって記録された第１の音声データを受信するように構成され、前記部分は、前記第１の音声データに基づいて前記第１のスピーカが第１の音を発するように、第１の電気接続を介して前記第１のスピーカに前記第１の音声データを配信するように構成される、請求項１に記載のシステム。
【請求項３】
前記第３の通信デバイスは、前記第１の通信デバイスによって記録された第２の音声データを受信するように構成され、前記部分は、第２の電気接続を介して前記第１のマイクロフォンから前記第２の音声データを受信するように構成され、前記第３の通信デバイスは、前記第１のリモートコンピューティングデバイスが前記第２の音声データに基づいて第２の音を発するように、前記第２の音声データを前記第１のリモートコンピューティングデバイスに送信するように構成される、請求項２に記載のシステム。
【請求項４】
前記第１の通信デバイスは、第１のカメラを備え、前記第３の通信デバイスは、前記第１のカメラによって記録された第１の動画データを受信するように構成され、前記部分は、第３の電気接続を介して前記第１の動画データを受信するように構成され、前記第３の通信デバイスは、前記第１のリモートコンピューティングデバイスが、前記第１の動画データに基づいて第１の動画を表示するように、前記第１のリモートコンピューティングデバイスに前記第１の動画データを無線で送信するように構成される、請求項３に記載のシステム。
【請求項５】
前記第１及び第３の通信デバイスは、前記建物の入口に配置される、請求項１に記載のシステム。
【請求項６】
前記第２の通信デバイスは、前記建物内の住居ユニットに配置される、請求項５に記載のシステム。
【請求項７】
前記システムは、前記訪問者に関する第１の警告を前記第２の通信デバイスに送信するように構成される、請求項６に記載のシステム。
【請求項８】
前記システムは、前記訪問者に関する第２の警告を前記第１のリモートコンピューティングデバイスに送信するように構成される、請求項７に記載のシステム。
【請求項９】
前記システムは、第２の人物が前記第１のリモートコンピューティングデバイスを介して前記第２の警告に応答したことを検出することに応答して、前記第１の警告を終了するように構成される、請求項８に記載のシステム。
【請求項１０】
前記システムは、前記訪問者に関する第１の警告を前記第２の通信デバイスに送信するように構成され、前記システムは、前記訪問者に関する第２の警告を前記第１のリモートコンピューティングデバイスに送信するように構成され、前記システムは、第１の人物が前記第２の通信デバイスを介して前記第１の警告に応答したことを検出することに応答して、前記第２の警告を終了するように構成される、請求項１に記載のシステム。
【請求項１１】
前記第２の通信デバイスは、前記建物内の住居ユニット内に配置され、前記システムは、前記第１のリモートコンピューティングデバイスが住居ユニット内に配置されていないことを検出することに応答して、前記訪問者に関する警告を前記第１のリモートコンピューティングデバイスに送信するように構成される、請求項１に記載のシステム。
【請求項１２】
前記第２の通信デバイスは、前記建物内の住居ユニット内に配置され、前記システムは、前記第１の人物が住居ユニット内に配置されていないと判定することに応答して、前記訪問者に関する警告を前記第１のリモートコンピューティングデバイスに送信するように構成される、請求項１に記載のシステム。
【請求項１３】
第３の場所で建物に結合された第４の通信デバイスをさらに備え、第４の通信デバイスは、第３のスピーカ及び第３のマイクロフォンを備え、第１及び第４の通信デバイスは、第１の場所に位置する訪問者が前記第３の場所で第３の人と話すことを可能にするように通信可能に結合される、請求項１に記載のシステム。
【請求項１４】
前記第４の通信デバイスは、前記第１及び第３の通信デバイスを介して第２のリモートコンピューティングデバイスに通信可能に結合される、請求項１３に記載のシステム。
【請求項１５】
前記第３の通信デバイスは、前記第１の通信デバイス及び前記第３の通信デバイスのうちの少なくとも１つが、前記訪問者が、前記第４の通信デバイスが位置する住居ユニット、及び前記第４の通信デバイスが位置する住居ユニットの占有者のうちの少なくとも１つと話したいことを検出することに応答して、前記第２のリモートコンピューティングデバイスと前記第１の通信デバイスとの間の双方向音声通信を可能にするように構成される、請求項１４に記載のシステム。
【請求項１６】
建物に結合されるように構成されたドアベルシステムであって、前記システムは、
リモートコンピューティングデバイスと、
建物に結合され、リモートコンピューティングデバイスに通信可能に結合されたドアベルであって、
前記ドアベルは、
画像をキャプチャするように構成可能なカメラと、
音声を受信するように構成可能なマイクロフォンと、
前記建物の占有者に通知するために訪問者によって押されるように構成可能なボタンと、
前記建物に結合され、前記ドアベル及び前記リモートコンピューティングデバイスのうちの少なくとも１つに通信可能に結合されたロックであって、前記リモートコンピューティングデバイスによって受信された入力に応答してロック及びロック解除されるように構成可能なロックと
を備えるドアベル。
【請求項１７】
前記建物は、マルチユニット建物であり、前記ロックは、前記建物のメインエントランスに隣接して結合されたメインロックであり、前記システムは、前記建物内の第１のアパートメントユニットの第１のドアに結合され、前記ドアベル及び前記リモートコンピューティングデバイスのうちの少なくとも１つに通信可能に結合された第１のロックをさらに備え、前記第１のロックは、前記リモートコンピューティングデバイスによって受信された第２の入力に応答してロック及びロック解除されるように構成可能である、請求項１６に記載のシステム。
【請求項１８】
前記リモートコンピューティングデバイスは第１のリモートコンピューティングデバイスであり、前記システムは、
ドアベルに通信可能に結合される第２のリモートコンピューティングデバイスと、
建物内の第２のアパートメントユニットの第２のドアに結合され、前記ドアベル及び第２のリモートコンピューティングデバイスのうちの少なくとも１つに通信可能に結合される第２のロックと
を更に備え、
前記第２のロックは、前記第２のリモートコンピューティングデバイスによって受信された第３の入力に応答してロック及びロック解除されるように構成可能である、請求項１７に記載のシステム。
【請求項１９】
前記リモートコンピューティングデバイス、前記ドアベル、前記第１のロック、及び前記第２のロックのうちの少なくとも１つに通信可能に結合されたリモートサーバをさらに備え、
前記サーバは、複数のインターネットプロトコルアドレスを格納し、それによって、前記ドアベルのインターネットプロトコルアドレスに基づいて前記ドアベルの位置を決定するように構成可能である、請求項１７に記載のシステム。
【請求項２０】
前記サーバは、音声データを記憶し、それによって、前記マイクロフォンによって受信された前記音声に基づいて前記訪問者のアイデンティティを決定するようにさらに構成可能である、請求項１９に記載のシステム。
【請求項２１】
前記メインロックは、第１のフォームファクタを定義し、前記第１のロックは、第２のフォームファクタを定義する、請求項１７に記載のシステム。
【請求項２２】
前記第１のフォームファクタ及び前記第２のフォームファクタは、実質的に同一である、請求項２１に記載のシステム。
【請求項２３】
前記第１のフォームファクタと前記第２のフォームファクタとは異なる、請求項２１に記載のシステム。
【請求項２４】
前記ドアベルシステムは、顔認識データをキャプチャし、前記顔認識データに基づいて前記訪問者のアイデンティティを決定するように配置され、構成される、請求項１６に記載のシステム。
【請求項２５】
前記ドアベルシステムは、音声認識データをキャプチャし、前記音声認識データに基づいて前記訪問者のアイデンティティを決定するように配置され、構成される、請求項１６に記載のシステム。
【請求項２６】
ドアベルシステムを使用して、占有者が訪問者にビルへのアクセスを許可することを可能にする方法であって、この方法は、
前記ドアベルシステムを介して、前記訪問者の存在の表示を決定し、
前記ドアベルシステムに通信可能に結合されたリモートサーバを介して、前記ドアベルシステムのインターネットプロトコルアドレスに基づいて前記ドアベルシステムの位置を決定し、
前記ドアベルシステムのロックを解除する
ことを含む、方法。
【請求項２７】
前記ドアベルシステムのマイクロフォンを介して、前記訪問者からの可聴メッセージを受信することをさらに含む、請求項２６に記載の方法。
【請求項２８】
前記訪問者が認証された訪問者であるかどうかを決定することをさらに含む、請求項２６に記載の方法。
【請求項２９】
前記訪問者が認証された訪問者であると判定することに応答して、前記ロックを自動的に解除することをさらに含む、請求項２８に記載の方法。
【請求項３０】
前記訪問者が前記認証された訪問者でないと判定することに応答して、前記ロックを自動的にロックすることをさらに含む、請求項２８に記載の方法。
【請求項３１】
前記訪問者が前記認証された訪問者であるかどうかを決定することは、前記訪問者のアイデンティティを決定することを含む、請求項２８に記載の方法。
【請求項３２】
前記訪問者のアイデンティティを決定することは、顔認識データをキャプチャすることと、前記顔認識データを介して前記訪問者のアイデンティティを決定することとを含む、請求項３１に記載の方法。
【請求項３３】
前記訪問者のアイデンティティを決定することは、音声認識データをキャプチャすることと、前記音声認識データを介して前記訪問者のアイデンティティを決定することとを含む、請求項３１に記載の方法。
【請求項３４】
前記訪問者が前記認証された訪問者であると判定することに応答して、ドアベルとリモートコンピューティングデバイスとの間の通信セッションを開始することをさらに含む、請求項２８に記載の方法。
【請求項３５】
前記訪問者が前記認証された訪問者でないと判定することに応答して、ドアベルとリモートコンピューティングデバイスとの間の通信セッションを開始することを控えることをさらに含む、請求項２８に記載の方法。
【請求項３６】
ドアベルシステムを使用する方法であって、前記方法は、
少なくとも第１の住居及び第２の住居を有する遠隔の建物において第１の通信を開始する訪問者に応答して住居識別を受信することと、
前記住居識別に基づいて第１の住居に関連する第１のリモートコンピューティングデバイスを選択し、前記住居識別の受信及びリモートコンピューティングデバイスの選択に応じて、第１のリモートコンピューティングデバイスにプッシュ通知を送付することと
を含む、方法。
【請求項３７】
前記訪問者が前記第１の通信を開始するためにドアベルボタンを押すことに応答して、前記住居識別を受信することをさらに含む、請求項３６に記載の方法。
【請求項３８】
前記遠隔の建物に関連付けられたインターネットプロトコルアドレスを有する前記第１の通信を受信することと、
前記インターネットプロトコルアドレスの分析に応答して前記第１のリモートコンピューティングデバイスの第１の電話番号を識別することと、
前記プッシュ通知を前記第１の電話番号に送信することと
をさらに含む、請求項３７に記載の方法。
【請求項３９】
前記訪問者から前記第１のリモートコンピューティングデバイスに音声メッセージを送信することに少なくとも部分的に応答して、前記遠隔の建物への入口をロック解除する許可を前記第１のリモートコンピューティングデバイスから受信するステップと、前記入口をロック解除するステップとをさらに含む、請求項３８に記載の方法。
【請求項４０】
前記許可を受信することに応答して、前記第１の住居のドアをロック解除することをさらに含む、請求項３９に記載の方法。
【請求項４１】
前記遠隔の建物の物理アドレスを有する前記住居識別を受信することと、
前記訪問者から直接的又は間接的に受信されたデータに応答して、前記訪問者が前記第１の住居へのアクセスを望むと判断することと、
前記第１の住居に関連付けられた第１の電話番号を識別することと、
前記プッシュ通知を前記第１の電話番号に送信することと
をさらに含む、請求項３７に記載の方法。
【請求項４２】
前記訪問者から前記第１のリモートコンピューティングデバイスに音声メッセージを送信することに少なくとも部分的に応答して、前記遠隔の建物への入口をロック解除する許可を前記第１のリモートコンピューティングデバイスから受信することと、
前記入口をロック解除することと
をさらに含む、請求項４１に記載の方法。
【請求項４３】
前記許可を受信することに応答して、前記第１の住居のドアをロック解除することをさらに含む、請求項４２に記載の方法。
【請求項４４】
前記住居識別を受信することは、前記訪問者が前記第１の住居へのアクセスを望んでいることを識別するために話す前記訪問者の記録を分析することを含む、請求項３６に記載の方法。
【請求項４５】
訪問者がドアベルボタンを押して第１の通信を開始することに少なくとも部分的に応答して訪問者の第２のリモートコンピューティングデバイスの第２の電話番号を受信することと、
訪問者の第２のリモートコンピューティングデバイスと前記第１の住居に関連する第１のリモートコンピューティングデバイスとの間の双方向音声通信を開始することと、
前記双方向音声通信に少なくとも部分的に応答して前記第１のリモートコンピューティングデバイスから許可を受信して、前記第２の電話番号を介して送信される電子通信を介して前記第２のリモートコンピューティングデバイスに電子キーデータを送信することと
をさらに含む、請求項３６に記載の方法。
【請求項４６】
前記電子キーデータを感知する前記第１の住居への入口に位置するキー識別システムに応答して第２の通信を受信することと、
前記第２の通信を受信することに応答して前記第１の住居のドアをロック解除するための第３の通信を送信することと
をさらに含む、請求項４５に記載の方法。
【請求項４７】
前記電子キーデータは、前記訪問者が、一時的な期間、前記第１の住居のドアをロック解除することを可能にするように構成されたコードである、請求項４５に記載の方法。
【請求項４８】
前記第１の住居の入口に配置された近接センサが前記訪問者の第２のリモートコンピューティングデバイスを検出することに応答して、前記第１の住居のドアをロック解除することをさらに含む、請求項３６に記載の方法。
【請求項４９】
前記第１の住居の入口に配置されたドアベルが、前記訪問者の顔及び前記第１の訪問者の身体的特徴のうちの少なくとも１つを認識することに応答して、前記第１の住居のドアをロック解除することを更に含む、請求項３６に記載の方法。
【発明の詳細な説明】
【技術分野】
【０００１】
本明細書に開示される様々な実施形態は、ドアベルに関する。特定の実施形態は、ドアベルの近くにいる人と、別の場所にいる人との間の通信に関する。
【背景技術】
【０００２】
住居、オフィス、及び他の建物は、時に、友好的な訪問者が建物の占有者を呼び出し、望ましくない訪問者を抑止することを可能にするために、通信及び監視システムを含む。通信及び監視システムは、動画カメラ及びドアベルを含むことができる。
【０００３】
ドアベルは、ドアなどの入口地点の外側に位置する人が、入口地点の内側の人に、外側の人が内側の人と話したいことを警告することを可能にすることができる。ドアベルは、時に、住居、オフィス、住居、倉庫、建物、又は構造物の前部ドア、側部ドア、又は後部ドアなどのドアの近くに配置されたボタンを含む。ドアベルは、時に、部分的に囲まれた領域へのゲート又は他の何らかの入口の近くで使用される。ドアベルを押すと、チャイム又は他の警告音が発せられることがある。場合によっては、この警告音は、典型的には、入口地点又は音源から短い距離内で聞こえることがある。例えば、自宅から離れて位置する住宅所有者は、警報音を聞くことができない可能性が高く、従って、誰かが自分のドアベルを鳴らしていることに気付かないであろう。従って、誰かが、住宅所有者、テナント、建物の保護者、又は管理人の注意を求めることを、遠隔に位置する個人に警告するためのデバイス及び方法が必要とされている。
【発明の概要】
【０００４】
いくつかの実施形態では、通信システムは、建物に少なくとも部分的に結合されるように構成される。通信システムは、第１の位置において建物に結合された第１の通信デバイスを含むことができる。第１の通信デバイスは、第１のスピーカ及び第１のマイクロフォンを備えることができる。通信システムは、第２の位置において建物に結合された第２の通信デバイスを備えることができる。第２の通信デバイスは、第２のスピーカ及び第２のマイクロフォンを備えることができる。第１の通信デバイス及び第２の通信デバイスは、第１の位置に位置する訪問者が、第２の位置にいる第１の人と話すことを可能にするように通信可能に結合され得る。通信システムは、第１のスピーカ及び第１のマイクロフォンに物理的に結合された部分を有する第３の通信デバイスを備えることができる。この部分は、第１のマイクロフォンからの音に基づいてデータを受信することができ、第１のスピーカがこの部分からのデータに基づいて音を発するようにデータを送信することができるように、第１の通信デバイスの少なくとも１つのプリント回路基板に電気的に結合することができる。この部分は、第３の通信デバイスの他の部分と電気的かつ通信可能に結合することができる。
【０００５】
いくつかの実施形態では、第３の通信デバイスの部分は、第３の通信デバイスの少なくともいくつかの部分と物理的に結合されないが、第３の通信デバイスの他の部分と無線で通信可能に結合される。第３の通信デバイスは、無線通信を介して第１のリモートコンピューティングデバイスに通信可能に結合することができる。
【０００６】
いくつかの実施形態では、第３の通信デバイスは、第１のリモートコンピューティングデバイスによって記録された第１の音声データを受信するように構成され、及び／又は、第３の通信デバイスの一部は、第１のスピーカが第１の音声データに基づいて第１の音を発するように、第１の電気接続を介して第１のスピーカに第１の音声データを配信するように構成される。
【０００７】
いくつかの実施形態では、第３の通信デバイスは、第１の通信デバイスによって記録された第２の音声データを受信するように構成される。第３の通信デバイスの部分は、第２の電気接続を介して第１のマイクロフォンから第２の音声データを受信するように構成され得る。第３の通信デバイスは、第１のリモートコンピューティングデバイスが第２の音声データに基づいて第２の音を発するように、第２の音声データを第１のリモートコンピューティングデバイスに送信するように構成することができる。
【０００８】
いくつかの実施形態では、第１の通信デバイスは、第１のカメラを備え、第３の通信デバイスは、第１のカメラによって記録された第１の動画データを受信するように構成され、第３の通信デバイスの部分は、第３の電気接続を介して第１の動画データを受信するように構成され、及び／又は第３の通信デバイスは、第１のリモートコンピューティングデバイスが第１の動画データに基づいて第１の動画を表示するように、第１のリモートコンピューティングデバイスに第１の動画データを無線で送信するように構成される。
【０００９】
いくつかの実施形態では、第１の通信デバイス及び第３の通信デバイスは、建物の入口に配置される。入口は、建物のドアの近くの領域、又は建物の外部領域（例えば、アパート複合施設の外部のフロントヤード又は共同領域）を保護するように構成されたゲートとすることができる。第２の通信デバイスは、建物内の住居ユニット内に配置することができる。システムは、訪問者に関する第１の警告を第２の通信デバイスに送信するように構成することができる。システムは、訪問者に関する第２の警告を第１のリモートコンピューティングデバイスに送信するように構成することができる。いくつかの実施形態では、これらの警告は、同時に、及び／又は互いに３０秒以内に送信される。警告信号は、連続的であっても断続的であってもよい。警告は、訪問者に関する情報（例えば、訪問者のアイデンティティ、訪問の目的、訪問者が話したい人のアイデンティティ、訪問の時間、パッケージ情報）を含むことができる。スマートフォンに送信される警告は、プッシュ通知とすることができる。プッシュ通知は、スマートフォンのユーザへのメッセージをスマートフォンに表示させることができ、及び／又はスマートフォン上で「アプリ」を開かせることができる。第２の通信デバイスに送信された警告は、メッセージを第２の通信デバイスの表示画面上に表示させることができ、かつ／又は第２の通信デバイスに通知音（例えば、アパート、ホテルの部屋、又は他の住居ユニットの占有者の注意を引くように構成されたリンギング音）を発せさせることができる。
【００１０】
いくつかの実施形態では、システムは、第２の人物が第１のリモートコンピューティングデバイスを介して第２の警告に応答したことを検出したことに応答して、第１の警告を終了するように構成される。いくつかの実施形態では、システムは、訪問者に関する第１の警告を第２の通信デバイスに送信するように構成され、システムは、訪問者に関する第２の警告を第１のリモートコンピューティングデバイスに送信するように構成され、及び／又はシステムは、第１の人物が第２の通信デバイスを介して第１の警告に応答したことを検出したことに応答して、第２の警告を終了するように構成される。
【００１１】
いくつかの実施形態では、第２の通信デバイスは、建物内の住居ユニット内に配置される。システムは、第１のリモートコンピューティングデバイスが住居ユニット内に配置されていないことを検出したことに応答して、訪問者に関する警告を第１のリモートコンピューティングデバイスに送信するように構成することができる。いくつかの実施形態では、第２の通信デバイスは、建物内の住居ユニット内に配置される。システムは、第１の人物が住居ユニット内に位置していないと判定したことに応答して、訪問者に関する警告を第１のリモートコンピューティングデバイスに送信するように構成することができる。
【００１２】
いくつかの実施形態では、システムは、第３の場所で建物に結合された第４の通信デバイスを備える。第４の通信デバイスは、第３のスピーカ及び第３のマイクロフォンを備えることができる。第１の通信デバイス及び第４の通信デバイスは、第１の位置に位置する訪問者が第３の位置の第３の人と話すことを可能にするように通信可能に結合され得る。第４の通信デバイスは、第１の通信デバイス及び第３の通信デバイスを介して第２のリモートコンピューティングデバイスに通信可能に結合され得る。
【００１３】
いくつかの実施形態では、第３の通信デバイスは、訪問者が、第４の通信デバイスが位置する住居ユニット及び第４の通信デバイスが位置する住居ユニットの占有者のうちの少なくとも１つと話したいことを検出する第１の通信デバイス及び第３の通信デバイスのうちの少なくとも１つに応答して、第２のリモートコンピューティングデバイスと第１の通信デバイスとの間の双方向音声通信を可能にするように構成される。
【００１４】
本開示は、建物に結合されるように構成されたドアベルシステムを含む。このシステムは、リモートコンピューティングデバイス、及び建物と連結されリモートコンピューティングデバイスと通信可能に結合されたドアベルを含んでいる。ドアベルは、画像をキャプチャするように構成可能なカメラと、音声を受信するように構成可能なマイクロフォンと、ビルディングの占有者に通知するために訪問者によって押されるように構成可能なボタンとを備えることができる。システムは、建物に結合され、ドアベル及びリモートコンピューティングデバイスのうちの少なくとも１つに通信可能に結合されたロックを含むことができる。ロックは、リモートコンピューティングデバイスが受信した入力に応じて、ロックされ、ロック解除されるように設定することができる。
【００１５】
いくつかの実施形態では、建物は、複数ユニット建物であってもよく、ロックは、建物のメインエントランスに隣接して連結されたメインロックであってもよい。システムは、建物内の第１のアパートメントユニットの第１のドアに結合され、ドアベル及びリモートコンピューティングデバイスのうちの少なくとも１つに通信可能に結合された第１のロックをさらに含むことができる。第１のロックは、リモートコンピューティングデバイスが受け取る２番目の入力に応じて、ロックされ、ロック解除されるように設定することができる。
【００１６】
リモートコンピュータデバイスは、第１のリモートコンピュータデバイスであり得る。システムは、ドアベルに通信可能に結合された第２のリモートコンピューティングデバイスと、建物内の第２のアパートメントユニットの第２のドアに結合され、ドアベル及び第２のリモートコンピューティングデバイスのうちの少なくとも１つに通信可能に結合された第２のロックとをさらに含むことができる。第２のロックは、第２のリモートコンピューティングデバイスによって受信された第３の入力に応答してロック及びロック解除されるように構成可能であってもよい。
【００１７】
いくつかの実施形態では、システムは、リモートコンピューティングデバイス、ドアベル、第１のロック、及び第２のロックのうちの少なくとも１つに通信可能に結合されたリモートサーバを含む。サーバは、複数のインターネットプロトコルアドレスを記憶し、それによってドアベルのインターネットプロトコルアドレスに基づいてドアベルの位置を決定するように構成可能である。サーバは、さらに、音声データを記憶し、それによって、マイクロフォンによって受信された音声に基づいて訪問者のアイデンティティを決定するように構成可能であってもよい。
【００１８】
メインロックは、第１のフォームファクタを定義することができ、第１のロックは、第２のフォームファクタを定義することができる。いくつかの実施形態では、第１のフォームファクタ及び第２のフォームファクタは、実質的に同一である。さらに、いくつかの実施形態では、第１のフォームファクタ及び第２のフォームファクタは異なる。
【００１９】
ドアベルシステムは、顔認識データをキャプチャし、顔認識データに基づいて訪問者のアイデンティティを決定するように構成及び構成することができる。同様に、ドアベルシステムは、音声認識データをキャプチャし、音声認識データに基づいて訪問者のアイデンティティを決定するように構成及び構成することができる。
【００２０】
本開示はまた、ドアベルシステムを使用して、占有者がビルへの訪問者アクセスを許可することを可能にする方法を含む。この方法は、ドアベルシステムを介して、訪問者の存在の表示を決定することを含むことができる。この方法はまた、ドアベルシステムに通信可能に結合されたリモートサーバを介して、ドアベルシステムのインターネットプロトコルアドレスに基づいてドアベルシステムの位置を決定することを含むことができる。さらに、この方法は、ドアベルシステムのロックを解除することを含むことができる。
【００２１】
方法は、ドアベルシステムのマイクロフォンを介して、訪問者からの可聴メッセージを受信することを含むことができる。方法はまた、訪問者が認証された訪問者であるかどうかを決定することを含むことができる。いくつかの実施形態では、方法は、訪問者が認証された訪問者であると判定することに応答して、ロックを自動的に解除することを含む。
従って、方法はまた、訪問者が認証された訪問者ではないと判定することに応答して、ロックを自動的にロックすることを含むことができる。
【００２２】
いくつかの実施形態では、訪問者が認証された訪問者であるかどうかを判定することは、訪問者のアイデンティティを判定することを含む。さらに、いくつかの実施形態では、訪問者の識別を決定することは、顔認識データをキャプチャすることと、顔認識データを介して訪問者の識別を決定することとを含む。訪問者のアイデンティティを決定することは、音声認識データをキャプチャすることと、音声認識データを介して訪問者のアイデンティティを決定することとを含むことができる。
【００２３】
方法は、訪問者が認証された訪問者であると判定することに応答して、ドアベルとリモートコンピューティングデバイスとの間の通信セッションを開始することを含むことができる。方法はまた、訪問者が認証された訪問者でないと判定することに応答して、ドアベルとリモートコンピューティングデバイスとの間の通信セッションを開始することを控えることを含むことができる。
【００２４】
本開示はまた、訪問者が、少なくとも第１の住居及び第２の住居を有する遠隔建物において第１の通信を開始することに応答して、住居識別を受信することを含む、ドアベルシステムを使用する方法を含む。また、この方法は、住居識別に基づいて第１の住居に関連する第１のリモートコンピューティングデバイスを選択し、住居識別を受信することとリモートコンピューティングデバイスを選択することに応じて、第１のリモートコンピューティングデバイスにプッシュ通知を送ることをも含むことができる。
【００２５】
いくつかの実施形態では、方法は、訪問者がドアベルボタンを押して第１の通信を開始することに応答して、住居識別を受信することを含む。方法はまた、リモートビルディングに関連するインターネットプロトコルアドレスを有する第１の通信を受信することと、インターネットプロトコルアドレスの分析に応答して第１のリモートコンピューティングデバイスの第１の電話番号を識別することと、第１の電話番号にプッシュ通知を送信することとを含むことができる。
【００２６】
さらに、方法は、訪問者から第１のリモートコンピューティングデバイスに音声メッセージを送信することに少なくとも部分的に応答して、遠隔建物への入口のロックを解除するための許可を第１のリモートコンピューティングデバイスから受信して、入口のロックを解除することを含むことができる。方法は、許可を受信することに応答して、第１の住宅のドアをロック解除することさえ含んでもよい。
【００２７】
いくつかの実施形態では、方法は、遠隔建物の物理アドレスを有する住居識別を受信することと、訪問者から直接的又は間接的に受信されたデータに応答して、訪問者が第１の住居にアクセスしたいと判断することと、第１の住居に関連付けられた第１の電話番号を識別することと、第１の電話番号にプッシュ通知を送信することとを含む。
【００２８】
方法は、訪問者から第１のリモートコンピューティングデバイスに音声メッセージを送信することに少なくとも部分的に応答して、遠隔建物への入口のロックを解除する許可を第１のリモートコンピューティングデバイスから受信し、入口のロックを解除することを含むことができる。従って、方法は、許可を受信することに応答して、第１の住宅のドアをロック解除することを含むことができる。
【００２９】
住居識別を受信することは、訪問者が第１の住居へのアクセスを望むことを識別するために話す訪問者の記録を分析することを含むことができる。方法はまた、訪問者がドアベルボタンを押して第１の通信を開始することに少なくとも部分的に応答して、訪問者の第２のリモートコンピューティングデバイスの第２の電話番号を受信することと、訪問者の第２のリモートコンピューティングデバイスと第１の住居に関連付けられた第１のリモートコンピューティングデバイスとの間の双方向音声通信を開始することと、双方向音声通信に少なくとも部分的に応答して第１のリモートコンピューティングデバイスから許可を受信して、第２の電話番号を介して送信された電子通信を介して第２のリモートコンピューティングデバイスに電子キーデータを送信することとを含むことができる。
【００３０】
いくつかの実施形態では、方法は、電子キーデータを検知する第１の住居の入口に位置する鍵識別システムに応答して第２の通信を受信し、第２の通信を受信することに応答して第１の住居のドアをロック解除するために第３の通信を送信することを含む。いくつかの実施形態では、電子キーデータは、訪問者が一時的な期間、第１の住居のドアをロック解除することを可能にするように構成されたコードである。
【００３１】
方法はまた、第１の住居の入口に位置する近接センサが訪問者の第２のリモートコンピューティングデバイスを検出することに応答して、第１の住居のドアをロック解除することを含むことができる。いくつかの実施形態では、方法は、第１の住居の入口に位置するドアベルが、訪問者の顔及び第１の訪問者の物理的特性のうちの少なくとも１つを認識することに応答して、第１の住居のドアをロック解除することを含む。上述の実施形態は、多くの任意選択の特徴及び態様を含む。実施形態の特徴及び態様を組み合わせることができる。
【図面の簡単な説明】
【００３２】
これら及び他の特徴、態様、及び利点は、図面を参照して以下に記載され、図面は、本発明を例示することを意図しているが、本発明を限定することを意図していない。図面において、同様の参照符号は、同様の実施形態全体にわたって一貫して対応する特徴を示す。
【図１】いくつかの実施形態による通信システムの正面図を示す。
【図２】いくつかの実施形態による、ソフトウェアを実行するコンピューティングデバイスを示す。
【図３】いくつかの実施形態による、セキュリティシステムが建物に接続される実施形態を示す。
【図４】いくつかの実施形態による、セキュリティシステム、ドアベルボタン、無線ルータ、サーバ、及びユーザを含む通信システムを示す。
【図５】いくつかの実施形態による、セキュリティシステムを動作させる方法を示すフロー図を示す。
【図６】いくつかの実施形態による、セキュリティシステムを動作させる別の方法を示す流れ図を示す。
【図７】様々な実施形態による、セキュリティシステムによって検出される訪問者を示す。
【図８】様々な実施形態による、セキュリティシステムによって検出される訪問者を示す。
【図９】様々な実施形態による、セキュリティシステムによって検出される訪問者を示す。
【図１０】様々な実施形態による、セキュリティシステムによって検出される訪問者を示す。
【図１１】いくつかの実施形態による、通信システムに通信可能に結合されたセキュリティシステムのブロック図を示す。
【図１２】いくつかの実施形態による、通信システムに通信可能に結合された様々なイベント検出デバイスのブロック図を示す。
【図１３】いくつかの実施形態による、通信システムを介してイベントを監視する方法のフローチャートを示す。
【図１４】いくつかの実施形態による、イベントの確実性及び重大度に基づいて使用され得る様々な警告のタイプの例を示す。
【図１５】様々な実施形態による、セキュリティシステムを動作させる方法を示す流れ図である。
【図１６】様々な実施形態による、セキュリティシステムを動作させる方法を示す流れ図である。
【図１７】様々な実施形態による、セキュリティシステムを動作させる方法を示す流れ図である。
【図１８】様々な実施形態による、セキュリティシステムを動作させる方法を示す流れ図である。
【図１９】様々な実施形態による、セキュリティシステムを動作させる方法を示す流れ図である。
【図２０】様々な実施形態による、セキュリティシステムを動作させる方法を示す流れ図である。
【図２１】様々な実施形態による、セキュリティシステムを動作させる方法を示す流れ図である。
【図２２】様々な実施形態による、セキュリティシステムを動作させる方法を示す流れ図である。
【図２３】様々な実施形態による、セキュリティシステムを動作させる方法を示す流れ図である。
【図２４】様々な実施形態による、セキュリティシステムを動作させる方法を示す流れ図である。
【図２５】様々な実施形態による、セキュリティシステムを動作させる方法を示す流れ図である。
【図２６】様々な実施形態による、セキュリティシステムを動作させる方法を示す流れ図である。
【図２７】様々な実施形態による、セキュリティシステムを動作させる方法を示す流れ図である。
【図２８】様々な実施形態による、セキュリティシステムを動作させる方法を示す流れ図である。
【図２９】いくつかの実施形態による、取り付けブラケットのない図１のドアベルの背面図を示す。
【図３０】いくつかの実施形態による、コンピューティングデバイス上で実行されるドアベル及びドアベル制御ソフトウェアアプリケーションの概略図を示す。
【図３１】幾つかの実施形態に従って、ドアベルチャイムの正面図を示す。
【図３２】幾つかの実施形態に従って、ドアベルチャイムの側面図を説明する。
【図３３】いくつかの実施形態による、電源コンセントに結合されたドアベルチャイムの正面図を示す。
【図３４】いくつかの実施形態によるドアベルシステムの概略図を示す。
【図３５】いくつかの実施形態によるドアベルシステムの概略図を示す。
【図３６】いくつかの実施形態によるドアベルシステムの概略図を示す。
【図３７】いくつかの実施形態による、チャイムの電気システムの様々な構成要素を示すために、背面カバーなしのチャイムの背面図を示す。
【図３８】いくつかの実施形態による方法のフローチャートを示す。
【図３９】いくつかの実施形態による方法のフローチャートを示す。
【図４０】いくつかの実施形態による方法のフローチャートを示す。
【図４１】いくつかの実施形態による方法のフローチャートを示す。
【図４２】いくつかの実施形態による方法のフローチャートを示す。
【図４３】いくつかの実施形態による方法のフローチャートを示す。
【図４４】いくつかの実施形態によるドアベルシステムの概略図を示す。
【図４５】いくつかの実施形態によるドアベルシステムの概略図を示す。
【図４６】いくつかの実施形態によるドアベルの正面図を示す。
【図４７】いくつかの実施形態によるドアベルシステムの正面図を示す。
【図４８】いくつかの実施形態による、別のドアベルシステムの正面図を示す。
【図４９】いくつかの実施形態による、第１のフォームファクタ及び第２のフォームファクタを示す。
【図５０】いくつかの実施形態による、第１のフォームファクタ及び第２のフォームファクタを示す。
【図５１】いくつかの実施形態による方法のフローチャートを示す。
【図５２】いくつかの実施形態による方法のフローチャートを示す。
【図５３】いくつかの実施形態による方法のフローチャートを示す。
【図５４】いくつかの実施形態による方法のフローチャートを示す。
【図５５】いくつかの実施形態による方法のフローチャートを示す。
【図５６】いくつかの実施形態による方法のフローチャートを示す。
【図５７】いくつかの実施形態による、建物内に位置する人と通信しようとする訪問者の概略図を示す。
【図５８】いくつかの実施形態による、人と通信しようとする訪問者の概略図を示す。
【図５９】いくつかの実施形態による、図５７に示されるシステムの概略図を示す。
【図６０】いくつかの実施形態による、図５８に示されるシステムの概略図を示す。
【図６１】いくつかの実施形態による、図５８に示されるシステムの概略図を示す。
【発明を実施するための形態】
【００３３】
特定の実施形態及び例が以下に開示されるが、本発明の主題は、具体的に開示された実施形態を超えて、他の代替の実施形態及び／又は使用、並びにその改変及び均等物に及ぶ。従って、ここに付記される特許請求の範囲は、以下に説明する特定の実施形態のいずれによっても限定されるものではない。例えば、本明細書で開示される任意の方法又はプロセスにおいて、方法又はプロセスの動作又は動作は、任意の適切な順序で実行されてもよく、必ずしも任意の特定の開示された順序に限定されない。様々な動作は、特定の実施形態を理解するのに役立ち得る方法で、複数の離散動作として順番に説明され得るが、説明の順序は、これらの動作が順序依存であることを暗示するように解釈されるべきではない。さらに、本明細書で説明される構造、システム、及び／又はデバイスは、統合された構成要素として、又は別個の構成要素として具現化され得る。
【００３４】
様々な実施形態を比較するために、これらの実施形態の特定の態様及び利点を説明する。必ずしもすべてのそのような態様又は利点が、任意の特定の実施形態によって達成されるわけではない。従って、例えば、様々な実施形態は、本明細書で教示又は示唆され得るような他の態様又は利点を必ずしも達成することなく、本明細書で教示されるような１つの利点又は利点のグループを達成又は最適化する方法で実行され得る。
【００３５】
［導入］
通信システムは、遠隔に位置する人が、近接センサ又はモーションセンサなどのセンサに近づいている人と、又は、出入口、出入口の近く、又はドアの１５フィート以内に位置することができるドアベルを鳴らす人と通信するための安全で便利な方法を提供することができる。いくつかの通信システムは、人が、通信システムの少なくとも一部に接近し、及び／又はドアベルのボタンなどのボタンを押す訪問者の声を聞いたり、見たり、話したりすことを可能にする。例えば、通信システムは、コンピューティングデバイスを使用して、遠隔に位置する人が訪問者を見たり、聞いたり、及び／又は訪問者と話したりすることを可能にすることができる。コンピューティングデバイスは、コンピュータ、ラップトップ、タブレット、モバイルデバイス、スマートフォン、携帯電話、及びワイヤレスデバイス（例えば、無線通信を有する自動車）を含むことができる。コンピューティングデバイスの例には、アップル社製のiPhone、iPad、iMac、MacBook Air、及びMacBook Pro（いずれも登録商標）が含まれる。遠隔に位置する人と訪問者との間の通信は、インターネット、セルラネットワーク、電気通信ネットワーク、及び無線ネットワークを介して行うことができる。
【００３６】
図１は、通信システムの実施形態の正面図を示す。通信システム２００は、セキュリティシステム２０２（例えば、ドアベル）及びコンピューティングデバイス２０４を含むことができる。図示のセキュリティシステム２０２は、１つのハウジング内に多くの構成要素を含むが、いくつかのセキュリティシステムの実施形態は、別個のハウジング内に構成要素を含む。セキュリティシステム２０２は、カメラアセンブリ２０８及びドアベルボタン２１２を含むことができる。カメラアセンブリ２０８は、いくつかの実施形態ではウェブカメラであるビデオカメラとすることができる。
【００３７】
セキュリティシステム２０２は、診断ライト２１６及びパワーインジケータライト２２０を含むことができる。いくつかの実施形態では、セキュリティシステム２０２及び／又は通信システム２００が無線インターネットネットワークに接続されている場合、診断ライト２１６は第１の色（例えば、青色）であり、セキュリティシステム２０２及び／又は通信システム２００が無線インターネットネットワークに接続されていない場合、第２の色（例えば、赤色）である。いくつかの実施形態では、セキュリティシステム２０２が電源に接続されている場合、電力インジケータ２２０は第１の色である。電源は、セキュリティシステム２０２が取り付けられている建物３００によって供給される電力とすることができる。いくつかの実施形態では、電力インジケータ２２０は、セキュリティシステム２０２が電源に接続されていない場合、第２の色であるか、又は発光しない。
【００３８】
セキュリティシステム２０２（例えば、ドアベル）は、ドアベルに電気的に結合することができるイーサネット（登録商標）ケーブル２２１から電力及び／又は情報を受け取ることができる。イーサネット（登録商標）ケーブル２２１は、入口近くの建物の外部の穴から出て、ドアベルをイーサネット（登録商標）ケーブル２２１に電気的に結合することを可能にすることができる。
【００３９】
同様に、セキュリティシステム２０２は、少なくとも１つのスピーカ４８８を含むことができる。スピーカ４８８は、セキュリティシステム２０２の任意の部分に沿って配置することができる。例えば、スピーカ４８８は、セキュリティシステム２０２の内側部分内に、又はセキュリティシステム２０２の外側部分に沿って配置することができる。スピーカ４８８は、デジタルスピーカ、アナログスピーカなど、音を発するように構成された任意のタイプの音出力デバイスとすることができる。
【００４０】
さらに、セキュリティシステム２０２（例えば、ドアベル）は、耐水性及び／又は防水性であり得る外側ハウジング２２４を含み得る。外側ハウジングは、６０ショアＤの硬度を有する成形プラスチックなどの金属又はプラスチックから作ることができ、いくつかの実施形態では、外側ハウジング２２４は、ブラッシングされたニッケル又はアルミニウムから作られる。
【００４１】
外側ハウジング２２４を耐水性又は防水性にするために、ゴムシールを使用することができる。セキュリティシステム２０２は、建物の電力システムに電気的に接続されたワイヤなどの電源に電気的に結合することができる。いくつかの実施形態では、セキュリティシステム２０２は、バックアップ及び／又は一次電力のためのバッテリを含む。
【００４２】
無線通信２３０は、セキュリティシステム２０２（例えば、ドアベル）がコンピューティングデバイス２０４と通信することを可能にすることができる。いくつかの実施形態は、セルラ及び／又はＷｉ−Ｆｉネットワークを介した通信を可能にする。いくつかの実施形態は、インターネットを介した通信を可能にする。いくつかの実施形態は、セキュリティシステム２０２とコンピューティングデバイス２０４との間の有線通信を可能にする。無線通信２３０は、無線、Ｗｉ−Ｆｉ（例えば、無線ローカルエリアネットワーク）、セルラ、インターネット、Ｂｌｕｅｔｏｏｔｈ（登録商標）、電気通信、電磁、赤外線、光、音波、及びマイクロ波などの通信手段を含むことができる。いくつかの実施形態では、他の通信手段が使用される。通信手段又はセルラ通信手段を含む実施形態などのいくつかの実施形態では、セキュリティシステム２０２は、音声呼を開始するか、又はコンピューティングデバイス２０４（例えば、スマートフォン、デスクトップコンピュータ、タブレットコンピュータ、ラップトップコンピュータ）にテキストメッセージを送信することができる。いくつかの実施形態は、コンピューティングデバイス２０４とドアベル２０２との間で通信するために近距離無線通信（ＮＦＣ）を使用する。ドアベル２０２及び／又はコンピューティングデバイス２０４は、ＮＦＣタグを含むことができる。いくつかのＮＦＣ技術は、Ｂｌｕｅｔｏｏｔｈ（登録商標）、無線周波数識別、及びＱＲコード（登録商標）を含む。
【００４３】
いくつかの実施形態は、スマートフォン、タブレットコンピュータ、及び他のモバイルデバイス上で実行するように設計されたモバイルアプリケーションとすることができるコンピュータソフトウェア（例えば、アプリケーションソフトウェア）を含む。この性質のソフトウェアは、「アプリ」ソフトウェアと呼ばれることがある。いくつかの実施形態は、デスクトップコンピュータ及びラップトップコンピュータ上で実行するように設計されたソフトウェアを含む。
【００４４】
コンピューティングデバイス２０４は、グラフィカルユーザインターフェースを用いてソフトウェアを実行することができる。ユーザインタフェースは、アイコン又はボタンを含むことができる。いくつかの実施形態では、ソフトウェアは、スマートフォン又はタブレットなどのタッチスクリーンコンピューティングデバイスと共に使用するように構成される。
【００４５】
図２は、ソフトウェアを実行するコンピューティングデバイス２０４を示す。ソフトウェアは、表示画面２４２上に表示されるユーザインタフェース２４０を含む。ユーザインタフェース２４０は、セキュリティシステムインジケータ２４４を含むことができ、セキュリティシステムインジケータ２４４は、ユーザインタフェースが表示しているセキュリティシステムの位置を示すことができる。
【００４６】
例えば、人は、１つのコンピューティングデバイス２０４を使用して、フロントドアに配置された１つのセキュリティシステム、及びバックドアに配置された別のセキュリティシステムなど、複数のセキュリティシステムを制御及び／又は対話することができる。セキュリティシステムインジケータ２４４を選択することにより、ユーザは、別のセキュリティシステム（例えば、フロントドアセキュリティシステムではなくバックドアセキュリティシステム）を選択することができる。
【００４７】
ユーザインタフェース２４０は、接続性インジケータ２４８を含むことができる。いくつかの実施形態では、接続性インジケータは、コンピューティングデバイスがセキュリティシステム、インターネット、及び／又はセルラネットワークと通信しているかどうかを示すことができる。接続性インジケータ２４８は、コンピューティングデバイス２０４がセキュリティシステム２０２との接続を失った場合、セキュリティシステム２０２が損傷した場合、セキュリティシステム２０２が盗まれた場合、セキュリティシステム２０２が取り付け位置から取り外された場合、セキュリティシステム２０２が電力を失った場合、及び／又はコンピューティングデバイス２０４がセキュリティシステム２０２と通信できない場合に、ユーザに警告することができる。いくつかの実施形態では、接続性インジケータ２４８は、点滅すること、音を発すること、メッセージを表示すること、及び／又はシンボルを表示することによって、コンピューティングデバイス２０４のユーザに警告する。
【００４８】
いくつかの実施形態では、セキュリティシステム２０２が電力を失い、コンピューティングデバイス２０４への接続性を失い、インターネットへの接続性を失い、及び／又はリモートサーバへの接続性を失った場合、リモートサーバ２０６は、電力及び／又は接続性の問題に関する警告（例えば、電話呼、テキストメッセージ、ユーザインタフェース２４０上の画像）を送信する。いくつかの実施形態では、リモートサーバ２０６は、セキュリティシステム２０２とコンピューティングデバイスとの間の通信を管理することができる。
いくつかの実施形態では、セキュリティシステム２０２からの情報は、リモートサーバ２０６によって記憶される。いくつかの実施形態では、セキュリティシステム２０２からの情報は、情報がコンピューティングデバイス２０４に送信され、コンピューティングデバイス２０４にアップロードされ、及び／又はコンピューティングデバイス２０４を介して遠隔に位置する人に表示され得るまで、リモートサーバ２０６によって記憶される。リモートサーバ２０６は、セキュリティシステム２０２及び／又はコンピューティングデバイス２０４からの情報を記憶するコンピューティングデバイスとすることができる。いくつかの実施形態では、リモートサーバ２０６は、データセンタに配置される。
【００４９】
いくつかの実施形態では、コンピューティングデバイス２０４及び／又はリモートサーバ２０６は、セキュリティシステム２０２との通信を試みる。コンピューティングデバイス２０４及び／又はリモートサーバ２０６がセキュリティシステム２０２と通信することができない場合、コンピューティングデバイス２０４及び／又はリモートサーバ２０６は、ソフトウェア、電話、テキスト、表示されたメッセージ、及び／又はウェブサイトを介して、リモートに位置する人に警告する。いくつかの実施形態では、コンピューティングデバイス２０４及び／又はリモートサーバ２０６は、定期的に、少なくとも５時間ごと及び／又は１０分ごと未満で、少なくとも２４時間ごと及び／又は６０分ごと未満で、又は少なくとも１時間ごと及び／又は１秒ごと未満で、セキュリティシステム２０２との通信を試みる。
【００５０】
いくつかの実施形態では、サーバ２０６は、コンピュータデバイス２０４及び／又はセキュリティシステム２０２への通信を開始することができる。いくつかの実施形態では、サーバ２０６は、コンピューティングデバイス２０４とセキュリティシステム２０２との間の通信を開始、制御、及び／又は遮断することができる。
【００５１】
いくつかの実施形態では、ユーザは、本明細書で説明するセキュリティシステム設定を調整するために、コンピューティングデバイス（例えば、モバイルコンピューティングデバイス、スマートフォン、タブレット、デスクトップコンピュータ）上のアプリ、ウェブサイト、及び／又はソフトウェアにログインすることができる。
【００５２】
いくつかの実施形態では、コンピューティングデバイスは、ユーザが、訪問者のアクションに起因するのではなく、ユーザの要求に起因して、ライブビデオを見ること、及び／又は、セキュリティシステムからライブ音声を聞くことを可能にすることができる。いくつかの実施形態は、ライブビデオフィード（又は５分未満の古さのビデオフィード）を開始するコンピューティングデバイスを含む。
【００５３】
いくつかの実施形態では、ユーザインタフェース２４０は、セキュリティシステム２０２の近く及び／又は前方の領域の静止画像又は動画などの画像２５２を表示する。画像２５２は、カメラアセンブリ２０８によって取得され、セキュリティシステム２０２、サーバ２０６、及び／又はコンピューティングデバイス２０４によって格納され得る。ユーザインタフェース２４０は、ユーザがカメラアセンブリ２０８、セキュリティシステム２０２のマイクロフォン、及び／又はコンピューティングデバイス２０４のマイクロフォンから画像、動画、及び／又は音声を記録することを可能にする記録ボタン２５６を含むことができる。いくつかの実施形態では、ユーザインタフェース２４０は、ユーザがセキュリティシステム２０２の近く及び／又は前のエリアの静止画及び／又は動画を撮ることを可能にするためのピクチャボタン２６０を含む。ユーザインタフェース２４０はまた、音調整ボタン２６４及びミュートボタン２６８を含むことができる。ユーザインタフェース２４０は、ズーム、パン、及び光調整ボタンなどのカメラ操作ボタンを含むことができる。いくつかの実施形態では、カメラアセンブリ２０８は、デイモードとナイトモードとの間で自動的に調整する。いくつかの実施形態は、カメラアセンブリ２０８が（夜間でも）十分な視認性を提供することを可能にするために、セキュリティシステム２０２の近くの領域を照明するための赤外線カメラ及び／又は赤外線ライトを含む。
【００５４】
いくつかの実施形態では、ボタンは、様々なオプション、特徴、及び機能を選択する多様な手段を含む。ボタンは、マウス・クリック、キーボード・コマンド、及びタッチスクリーンに触れることによって選択することができる。多くの実施形態は、タッチスクリーンなしで選択することができるボタンを含む。
【００５５】
いくつかの実施形態では、ユーザインタフェース２４０は、セキュリティシステム２０２からコンピューティングデバイス２０４に、及び／又はコンピューティングデバイス２０４からセキュリティシステム２０２に送信されるデータの品質及び／又は量をユーザが選択することを可能にする品質選択ボタンを含む。
【００５６】
幾つかの実施形態では、動画を、FaceTime(Apple Inc.)又はSkype (Microsoft Corporation)のようなビデオチャットプロトコルを用いて、コンピューティングデバイス２０４に送受することができる。いくつかの実施形態では、これらの動画は、ユーザインタフェース２４０によって再生される代わりに、コンピューティングデバイス２０４上のビデオ会議アプリケーションによって再生される。
【００５７】
ユーザインタフェース２４０は、セキュリティシステム２０２とコンピューティングデバイス２０４との間の通信を終了するための終了ボタン２７６を含むことができる。いくつかの実施形態では、終了ボタン２７６は、セキュリティシステム２０２の近くに位置する人物（すなわち、訪問者）がコンピューティングデバイス２０４のユーザを聞き、かつ／又は見る能力を終了させるが、コンピューティングデバイス２０４のユーザがセキュリティシステム２０２の近くに位置する人物を聞き、かつ／又は見る能力を終了させない。
【００５８】
いくつかの実施形態では、ボタン２７６は、（訪問者からの通信要求を受け入れるための）応答ボタンであり、（セキュリティシステム２０２とコンピューティングデバイス２０４との間の通信を終了するための）終了ボタンである。ボタン２７６は、システムが訪問者とユーザとの間の双方向通信を確立しようとしているときに「応答」という語を含むことができる。システムが訪問者とユーザとの間の双方向通信を確立しようとしているときにボタン２７６を選択すると、双方向通信を開始することができる。ボタン２７６は、訪問者とユーザとの間の双方向通信中に「呼終了」という語を含むことができる。訪問者とユーザとの間の双方向通信中にボタン２７６を選択することにより、双方向通信を終了することができる。いくつかの実施形態では、双方向通信を終了することによって、依然としてユーザは訪問者を見て聞くことができる。いくつかの実施形態では、双方向通信を終了することにより、コンピューティングデバイス２０４は、セキュリティシステムからの動画の表示を停止し、セキュリティシステムによって記録された音の発信を停止する。
【００５９】
いくつかの実施形態では、ユーザインタフェース２４０は、セキュリティシステムが訪問者を検出するとすぐに開く（例えば、訪問者の表示を感知する）。いくつかの実施形態では、ユーザインタフェース２４０が開くと、ユーザは、「応答する」か、又はそうでなければ双方向通信を受け入れる前であっても、訪問者を見る及び／又は聞くことができる。
【００６０】
いくつかの方法の実施形態は、セキュリティシステムを用いて訪問者を検出することを含む。この方法は、（例えば、ユーザ対話の有無にかかわらず）訪問者の検出に起因して、ユーザインタフェースをリモートコンピューティングデバイス２０４上に表示させることを含むことができる。この方法は、ユーザが訪問者との双方向通信を受け入れる前に、セキュリティシステムからの動画及び／又はセキュリティシステムからの音声を表示することを含むことができる。この方法は、ユーザが訪問者の通信要求を受け入れる前に、セキュリティシステムからの動画及び／又はセキュリティシステムからの音声を表示することを含むことができる。方法は、コンピューティングデバイスが、ユーザが通信要求を受け入れる（例えば、応答する）ことを望むかどうかをユーザに同時に尋ねることと、訪問者の音声及び／又は動画を表示することとを含むことができる。例えば、いくつかの実施形態では、ユーザは、訪問者との双方向通信手段を開く前に、セキュリティシステムを介して訪問者を見て聞くことができる。いくつかの実施形態では、ソフトウェアは、オンデマンドでビデオフィードを開始する手段を含む。例えば、コンピューティングデバイスのユーザは、セキュリティシステム２０２の近くで何が起こっているかを知ることができる。ユーザは、コンピューティングデバイス２０４上のソフトウェアアプリケーションを開き、セキュリティシステム２０２付近のイベントが通信をトリガしなかった場合であっても、セキュリティデバイス２０２からのライブビデオ及び／又は音声を示すようにアプリケーションに命令することができる。
【００６１】
いくつかの実施形態では、セキュリティデバイス２０２は、セキュリティデバイス２０２が人の動き及び／又は存在を検出したときを記録するように構成することができる。コンピューティングデバイス２０４のユーザは、後に、セキュリティデバイス２０２が人の動き及び／又は存在を検出したときに、すべての動画及び／又は音声レコードをレビューすることができる。
【００６２】
ここで図１を参照すると、いくつかの実施形態では、サーバ２０６は、カメラ、マイクロフォン、及びスピーカを備えたドアベルとすることができる、コンピューティングデバイス２０４とセキュリティシステム２０２との間の通信を制御する。いくつかの実施形態では、サーバ２０６は、コンピューティングデバイス２０４とセキュリティシステム２０２との間の通信を制御しない。
【００６３】
いくつかの実施形態では、セキュリティシステム及び／又はコンピューティングデバイス２０４によってキャプチャされたデータ（動画、画像、及び音声など）は、サーバ２０６などの別のリモートデバイスによって格納される。クラウドストレージ、エンタープライズストレージ、及び／又はネットワーク化されたエンタープライズストレージを使用して、通信システム２００から、又は通信システム２００の任意の部分から、動画、画像、及び／又は音声を格納することができる。
【００６４】
ユーザは、格納されたデータをダウンロード及び／又はストリーミングし、及び／又は動画、画像、及び／又は音声を格納することができる。例えば、ユーザは、１年間訪問者を記録することができ、その後、昨年からの訪問者との会話をレビューすることができる。いくつかの実施形態では、リモートストレージ、サーバ２０６、コンピューティングデバイス２０４、及び／又はセキュリティシステム２０２は、訪問者及び使用に関する情報及び統計を格納することができる。
【００６５】
図３は、ドアベル２０２が、ドア２５４を有する入口通路３１０を含むことができる建物３００に接続される実施形態を示す。訪問者３８８は、ドアベル２０２に近づくことができ、次いで、ドアベル２０２によって検出されることができる。訪問者３８８は、ドアベルボタン２１２を押すことができる。ドアベル２０２のユーザは、訪問者３８８がドアベルボタン２１２を押すと、ユーザが訪問者３８８に関する通知を受信するように、ドアベル２０２を構成することができる。
【００６６】
電線３０４は、ドアベル２０２が建物３００から電力を受け取ることができるように、ドアベル２０２を建物３００の電気システムに電気的に結合することができる。建物は、ドア２５４をロックするためのドアロック２５０を含むことができる。無線ネットワーク３０８は、デバイスがインターネットに無線でアクセスすることを可能にすることができる。セキュリティシステム２０２は、無線ネットワーク３０８を介してインターネットにアクセスすることができる。無線ネットワーク３０８は、セキュリティシステム２０２からインターネットにデータを送信することができ、インターネットは、遠隔に位置するコンピューティングデバイス２０４にデータを送信することができる。インターネット及び無線ネットワークは、遠隔に位置するコンピューティングデバイス２０４からセキュリティシステム２０２にデータを送信することができる。いくつかの実施形態では、セキュリティシステム２０２は、住居のＷｉＦｉに接続する。
【００６７】
図３に示すように、１つのコンピューティングデバイス２０４（例えば、ラップトップ、スマートフォン、モバイルコンピューティングデバイス、テレビ）は、複数のセキュリティシステム２０２と通信することができる。いくつかの実施形態では、複数のコンピューティングデバイス２０４は、１つのセキュリティシステム２０２と通信することができる。いくつかの実施形態では、セキュリティシステム２０２は、スマートテレビとすることができるテレビ３０６と（例えば、無線２３０で）通信することができる。ユーザは、訪問者を見るために、及び／又は訪問者と話すために、テレビ３０６を見ることができる。
【００６８】
図４は、セキュリティシステム３２０と、ドアベルボタン２１２と、ＷｉＦｉルータ３２８と、サーバ３３２と、ユーザ３３６とを含む通信システム３１０を示す。ステップ３４０において、訪問者は、ドアベルボタン２１２を押すことにより、又は動作又は近接センサをトリガすることにより、通信要求を開始する。訪問者は、セキュリティシステム３２０に接近することによって、モーションセンサ又は近接センサをトリガすることができる。ステップ３５０において、セキュリティシステム３２０は、ホームＷｉＦｉルータ３２８に接続するか、さもなければホームＷｉＦｉルータ３２８と通信する。ステップ３６０において、サーバ３３２は、ＷｉＦｉルータ３２８から信号を受信し、無線ネットワーク３６４を介してユーザ３３６に動画及び／又は音声を送信する。ステップ３７０において、ユーザは訪問者を見て、訪問者を聞き、訪問者と話す。ステップ３７０は、ソフトウェアアプリケーションを使用して、訪問者を見る、聞く、及び／又は訪問者と話すことを含むことができる。訪問者及びユーザ３３６は、訪問者及びユーザ３３６が互いに遠く離れて位置する場合であっても、インターネット又は他の無線通信システムを介して双方向通信３７４に関与することができる。いくつかの実施形態は、ユーザが、第３世代（「３Ｇ」）、第４世代（「４Ｇ」）、ロングタームエボリューション（「ＬＴＥ」）、マイクロ波アクセスのための世界的相互運用性（「ＷｉＭＡＸ」）、及びＷｉ−Ｆｉを含む、多様な移動体通信規格を介して、通信要求を受信し、訪問者と通信することを可能にする。
【００６９】
場合によっては、ユーザ３３６は、通信システム３１０を利用して、ユーザ３３６に近接している訪問者と通信する。例えば、自宅内に位置するユーザ３３６は、通信システム３１０を介して、自宅のすぐ外側に位置する訪問者と通信することができる。
【００７０】
図２９は、ドアベル２０２の内部図を示す。ドアベル２０２は、チップ４８０（例えば、集積回路、マイクロプロセッサ、コンピュータ）及びメモリ４９２を含むことができる。ドアベル２０２はまた、マイクロフォン４８４及びスピーカ４８８を含むことができる。スピーカ４８８は、フラットスピーカと、放出された音を増幅するように構成された音響チャンバ４６０とを備えることができる。フラットスピーカは、サウンドチャンバ内に配置することができる。いくつかのドアベルの実施形態は、近接センサ５００を含む。いくつかの実施形態では、ドアベル２０２は、ＷｉＦｉモジュールなどの無線通信モジュール５０４を含む。通信モジュール５０４は、一体化されたアンテナを有することができる。
いくつかの実施形態では、アンテナは、外側ハウジング２２４内に収容される。
【００７１】
ドアベル２０２は、ドアベル２０２の温度を調節するように構成された１つ以上の加熱素子５０８を含むことができる。例えば、ドアベル２０２は、アラスカなどの非常に寒い環境で使用することができる。加熱素子５０８は、寒い天候からドアベル２０２の温度に敏感な部分を保護するために、様々な方法で使用することができる。
【００７２】
いくつかの実施形態では、寒い天候からドアベル２０２を保護することが重要であり得るが、いくつかの実施形態では、過度の熱から訪問者を保護することも重要であり得る。
過度の熱は、訪問者がドアベルを「鳴らす」（例えば、図３５に示されるドアベルボタン２１２を押す）ときに、訪問者を火傷させ得る。ドアベル２０２は、システムがドアベル２０２の一部の内側及び／又はドアベル２０２の外側の温度を決定することを可能にする温度計５１２を含むことができる。
【００７３】
いくつかの実施形態は、９〜４０ボルトの交流（「ＶＡＣ」）及び／又は９〜４０ボルトの直流（「ＶＤＣ」）用に構成することができる。いくつかの実施形態は、入力電気を直流（ＤＣ）、例えば１２ＶＤＣに変換する。いくつかの実施形態は、電力変換（例えば、電気エネルギーをある形態から別の形態に変換する）のためのコンバータ４９４を含む。コンバータ４９４は、入力電力を（例えば、建物内の配線から）ドアベル２０２のための適切な電力形態に変換することができる。電力変換は、ＡＣとＤＣとの間で変換し、電圧を変化させ、及び／又は周波数を変化させることができる。コンバータ４９４は、変圧器及び／又は電圧調整器を含むことができる。いくつかの実施形態では、コンバータ４９４は、ＤＣ−ＤＣコンバータ、電圧安定器、リニアレギュレータ、サージ保護器、整流器、電源ユニット、スイッチ、インバータ、及び／又は電圧コンバータを含むことができる。いくつかの実施形態では、コンバータ４９４は、５０ヘルツ（「Ｈｚ」）電力を６０Ｈｚ電力に変換する。
【００７４】
ドアベル２０２の電気構成要素（例えば、カメラアセンブリ２０８、メモリ４９２、チップ４８０、スピーカ４８８、コンバータ４９４、マイクロフォン４８４、ライト４５８、整流器５２４、近接センサ５００、通信モジュール５０４、加熱素子５０８、電気コネクタ５１０、温度計５１２、画像分析システム５２０、及びバッテリ４６２）は、プリント回路基板（「ＰＣＢ」）５１６に電気的に結合され得、ＰＣＢ５１６から電力を受け取り得る。ＰＣＢ  ５１６及びドアベル２０２の電気構成要素は、ドアベル２０２の電気システム４５６とすることができる。ＰＣＢ  ５１６及びドアベル２０２の電気構成要素に関するさらなる詳細は、２０１５年２月３日に出願された「ドアベル通信システム及び方法」という名称の米国本特許出願第１４／６１２，３７６号に記載されている。特許出願第１４／６１２，３７６号の全内容は、参照により本明細書に組み込まれる。いくつかの実施形態は、方法の文脈で説明されるが、方法の実施形態は、デバイス及びシステムとして定式化することもできる。本明細書に記載の方法は、参照により本明細書に組み込まれるデバイス及びシステムに適用することができる。
【００７５】
＜動画の実施形態＞
ここで図１及び図２を参照すると、ソフトウェアは、オンデマンドでビデオフィードを開始することができる。例えば、コンピューティングデバイスのユーザは、セキュリティシステム２０２の近くで何が起こっているかを知ることができる。ユーザは、コンピューティングデバイス２０４上のソフトウェアアプリケーション（例えば、「アプリ」）を開き、セキュリティシステム２０２付近のイベントが通信をトリガしなかった場合であっても、セキュリティデバイス２０２からのライブビデオ及び／又は音声を示すようにアプリケーションに命令することができる。
【００７６】
いくつかの実施形態は、「オンデマンド」サービスを含む。例えば、ユーザは、ドアベルを介して通信を開始することができ、及び／又はユーザインタフェース（図２に示す）上のボタン２６０を押すことによってドアベルからライブビデオを開始することができる。
オンデマンドボタン２６０を再び押すことにより、通信及び／又はライブビデオを終了させることができる。
【００７７】
［状況により異なる音声の実施形態］
セキュリティシステム２０２は、特定の状況の検出に応答して、及び／又は特定の時刻中に、固有の音を再生するように構成され得る。音は、予めプログラムされた音であってもよく、又はセキュリティシステム２０２のユーザによって完全にカスタマイズ可能であってもよい。同様に、セキュリティシステム２０２は、特定の状況に従って任意の音を再生するように構成されてもよい。例えば、セキュリティシステム２０２は、特定の訪問者に対して特定のメッセージを再生するように構成されてもよく、及び／又は潜在的な訪問者が特定の人物として識別されるか、又は特定の人物のリストに含まれる場合に、特定のメッセージを再生するように構成されてもよい。
【００７８】
セキュリティシステム２０２は、任意のタイプの音を発するように構成されたスピーカ４８８を含むことができる。セキュリティシステム２０２は、ボタン２１２、カメラ２０８、及び動き検出器２１８のうちの少なくとも１つを含むことができる訪問者検出システムも含むことができる。従って、訪問者検出システムは、訪問者の存在の様々な表示を受信するように構成可能であってもよい。同様に、スピーカ４８８及び訪問者検出システムは、セキュリティシステム２０２に直接的又は間接的に結合されてもよい。さらに、スピーカ４８８及び訪問者検出システムは、機械的に、電気的に、及び／又は通信可能にセキュリティシステム２０２に結合されてもよい。
【００７９】
セキュリティシステム２０２は、訪問者の存在の異なる表示を検出することができる。
図５に示すように、セキュリティシステム２０２は、（ステップ５６０）訪問者の存在の第１の表示を受信するように構成することができる。訪問者の存在の第１の表示の受信に応答して、セキュリティシステム２０２は、スピーカ４８８で第１の音を発することができる（ステップ５６２）。セキュリティシステム２０２は、（ステップ５６４）訪問者の存在の第２の表示を受信するように構成することができる。訪問者の存在の第２の表示の受信に応答して、セキュリティシステム２０２は、スピーカ４８８で第２の音を発することができる（ステップ５６６）。第１の音は、第２の音とは聴覚的に異なり得る。
【００８０】
表示のいくつかは、フレンドリーな又は歓迎される訪問者に関連付けられていると解釈することができ、他の表示は、フレンドリーでない又は歓迎されない訪問者に関連付けられていると解釈することができる。これらの異なる表示によれば、セキュリティシステム２０２は、スピーカ４８８によって、異なる音を発することができる。
【００８１】
図７を参照すると、セキュリティシステム２０２が、訪問者５８０がボタン２１２を押下したという表示を受信すると（ステップ５８２）、これは、フレンドリーな、又は歓迎される訪問者の表示として解釈することができる。ボタン２１２が押されたという表示を受信することに応答して、スピーカ４８８は、フレンドリーな音（例えば、「拙宅へようこそ」）のような第１の音を発することができる（ステップ５８４）。
【００８２】
図８に示すように、セキュリティシステム２０２が、訪問者５８６がボタン２１２を押すことなく、長時間又は所定の時間（例えば、１５秒、又は訪問者が反復していることを示す任意の時間）セキュリティシステム２０２の前を移動しているという表示を受信した場合（５８８）、これは、友好的でない又は歓迎されない訪問者と解釈することができる。訪問者がボタン２１２を押すことなくセキュリティシステム２０２の前を移動しているという表示を受信することに応答して、スピーカ４８８は第２の音を発することができる（ステップ５９０）。第２の音は、警告音（例えば、建物３００から離れるように移動するための警告「家から離れろ！」）とすることができる。セキュリティシステム２０２は、第３の音、第４の音、第５の音、及び任意の数の追加の音など、任意の数の音を発するように構成され得ることを理解されたい。
【００８３】
セキュリティシステム２０２は、任意の数の表示を受信するように構成することができる。例えば、ボタンの押下及び訪問者の動きに加えて、表示は、リモートコンピューティングデバイス２０４の表示、ノイズ、熱信号（人又は動物の存在を示す温度勾配など）、網膜スキャン、指紋スキャン、地面振動などを含むことができる。表示は、人又は動物などの任意の訪問者の存在の任意の表示を含むことができることを理解されたい。
【００８４】
いくつかの実施形態では、セキュリティシステム２０２は、第１の訪問者に対して異なる音を発することができる。例えば、第１の訪問者が建物３００に近づくと、セキュリティシステム２０２は、第１の訪問者の動きに基づいて第１の音を発することができる。同様に、セキュリティシステム２０２は、第１の訪問者がセキュリティシステム２０２のボタン２１２を押すと、第２の音を発することができる。
【００８５】
さらに、本開示に記載される表示のいずれも、建物において歓迎されるか又は歓迎されない訪問者に関連付けることができる。従って、セキュリティシステム２０２は、建物３００が位置する任意の環境に構成することができる。例えば、いくつかの建物３００は、人々がボタン２１２を押すことなくセキュリティシステム２０２の前部を歩くことが一般的である、交通量の多いエリアに位置することがあり得る。この点に関して、セキュリティシステム２０２は、動きの表示を無視し、ボタン２１２が押されたという表示など、訪問者が建物３００を訪れているという肯定的な表示に応答してのみ音を発するように構成することができる。
【００８６】
いくつかの実施形態では、セキュリティシステム２０２は、特定のゾーン内の動きにのみ応答するように構成することができる。例えば、セキュリティシステム２０２が、忙しい歩道から２０フィートのところに位置する場合、セキュリティシステム２０２は、セキュリティシステム２０２から１５フィートを超えて生じるすべての動きを無視するように構成することができる。このようにして、セキュリティシステム２０２は、建物の所有物上で発生する動きにのみ応答することができる。
【００８７】
同様に、表示の組み合わせは、様々な方法で解釈することができる。例えば、セキュリティシステム２０２の前の訪問者の動き（すなわち、動き）の表示と、訪問者がボタン２１２を押したことの表示との組み合わせは、訪問者が建物３００で歓迎されることを示すことができる。前述のように、セキュリティシステム２０２のスピーカ４８８は、表示の組み合わせに応答してフレンドリーなメッセージを発することができる。
【００８８】
さらに、セキュリティシステム２０２は、１つの表示の肯定的な検出及び別の表示の否定的な検出に応答して、異なる音を発するように構成され得る。例えば、セキュリティシステム２０２が訪問者の動きを検出するが、音を検出しない場合、これは、建物３００の外側の周りをうろつく不審者のような、歓迎されない訪問者として解釈することができる。これに応答して、セキュリティシステム２０２のスピーカ４８８は、警告音（例えば、当局に通知される前に構内を出るための警告）を発することができる。
【００８９】
さらに、訪問者が建物３００に接近する日時及び／又は日時は、訪問者が歓迎されるか否かを示すこともできる。図６に示すように、セキュリティシステム２０２は、（ステップ５７０で）第１の時刻に訪問者の存在の表示を受信するように構成することができる。第１の時刻は、日の出と日の入りとの間、又は任意の他の一日の間の時刻に起こり得る。第１の時刻における訪問者の存在の表示の受信に応答して、セキュリティシステム２０２は、スピーカ４８８で第１の音を発することができる（ステップ５７２）。いくつかの実施形態では、第１の音は、女性の声によって話される可聴メッセージを含み、一方、いくつかの実施形態は、男性の声によって話される可聴メッセージを含み得る。
【００９０】
さらに、セキュリティシステム２０２は、第２の時刻に訪問者の存在の表示を受信するように構成することができる（ステップ５７４）。第２の時刻は、日没と日の出との間、又は任意の一日の間の他の時刻に発生し得ることを理解されたい。第２の時刻における訪問者の存在の表示の受信に応答して、セキュリティシステム２０２は、スピーカ４８８で第２の音を発することができる（ステップ５７６）。いくつかの実施形態では、第２の音は、男性の声によって話される可聴メッセージを含み、一方、いくつかの実施形態は、女性の声によって話される可聴メッセージを含み得る。
【００９１】
図９に示すようなより具体的な例を示すために、訪問者５９２が週末日の正午にボタン２１２を押すと（ステップ５９４）、スピーカ４８８は歓迎メッセージ（例えば、「ようこそ。在宅中です。」）を発することができる（ステップ５９６）。別の例では、図１０に示されるように、訪問者５９７が、平日の深夜にボタン２１２を押す場合（ステップ５９８）、スピーカ４８８は、「Do not disturb」メッセージ、又は訪問者に別の時間に戻るように指示するメッセージ（例えば、「明日来てください！」）を発することができる。
【００９２】
表示の組み合わせは、時刻に応じて異なるように解釈することができる。例えば、日中の動き及びノイズの表示に応答して、セキュリティシステム２０２のスピーカ４８８は、フレンドリーなメッセージを発することができる。しかしながら、夜間の動き及びノイズの表示に応答して、スピーカ４８８は警告メッセージを発することができる。
【００９３】
さらに、セキュリティシステム２０２は、表示の固有の状況に基づいて異なるように応答するように構成することができる。例えば、セキュリティシステム２０２の動き検出器２１８が、より速い動きに対して遅い動きを検出した場合、スピーカ４８８は、これらの様々な状況に基づいて異なる音を発することができる。ゆっくりとした動きは、建物に接近する不審者と解釈することができ、一方、１時間当たり３．５マイルで歩く人の動きのような、より速い動きは、建物３００に接近するフレンドリー訪問者と解釈することができる。
【００９４】
時刻は、任意の選択された時刻とすることができ、任意の数の時間範囲を使用することができる。例えば、セキュリティシステム２０２は、日の出から日の入りの間に歓迎メッセージを発し、日の入りから日の出の間に警告又は警告メッセージを発することができる。
従って、日の出及び日没は毎日変化するので、セキュリティシステム２０２は、セキュリティシステム２０２がこれらの常に変化する状態に自動的に応答することを可能にするために、外部データベースに通信可能に結合され得る。
【００９５】
セキュリティシステム２０２（例えば、ドアベル）は、セキュリティシステム２０２が訪問者の存在の表示を検出する時間に基づいて、第１の音又は第２の音などの特定の音を発することを選択することができる。いくつかの実施形態では、セキュリティシステム２０２は、時刻を示すことができる光量を検出するように構成される。光量の検出に応答して、セキュリティシステム２０２は、光量に基づいて第１の音又は第２の音を発することを選択することができる。
【００９６】
同様に、セキュリティシステム２０２は、特定の日に異なる時間範囲の間に固有の応答を提供するように構成することができる。例えば、ユーザは、月の３月曜日毎にボウリングリーグを有することができる。従って、その時間中（例えば、午後６時〜午後８時３０分）、フレンドリーな訪問者の存在の表示の検出に応答して、セキュリティシステム２０２のスピーカ４８８は、訪問者に、訪問者の存在は評価されるが、訪問者は別の時間に戻るべきであることを伝えるフレンドリーなメッセージを発することができる。別の例では、ユーザは、１日から１０日まで休暇中であってもよく、ユーザは、建物３００を保護するために、より脅迫的な警告を発することを望んでもよい。一般的に言えば、セキュリティシステム２０２は、任意の時刻及び／又は日に応答して任意のタイプの音を発するように構成することができる。
【００９７】
セキュリティシステム２０２は、特定の訪問者を検出し、特定の訪問者の検出に応答して特定の音を発するように構成することができる。例えば、セキュリティシステム２０２が、住宅所有者の親族などの第１の訪問者を検出した場合、セキュリティシステム２０２は、第１の訪問者がどのように自宅に近づいたとしても、又は、どのような時間帯に入ったとしても、常にフレンドリーな音を発することができる。同様に、セキュリティシステム２０２が、未知の当事者（例えば、勧誘者）のような第２の訪問者を検出した場合、セキュリティシステム２０２は、第２の訪問者がどのように自宅に近づいても、又は、どのような時間帯に入っても、フレンドリーでない音を発することができる。
【００９８】
訪問者のアイデンティティを決定するために、セキュリティシステム２０２は、顔認識などの任意のタイプのアイデンティティ認識技術を使用して、訪問者のアイデンティティの表示を決定することができる。これらのタイプのアイデンティティ認識技術のいくつかは、２０１５年２月３日に出願された、「ドアベル通信システム及び方法」という名称の米国本特許出願第１４／６１２，３７６号に開示されている。特許出願第１４／６１２，３７６号の全内容は、参照により本明細書に組み込まれる。
【００９９】
スピーカ４８８によって発せられる異なるタイプの音は、セキュリティシステム２０２によって検出された適切な表示と一致するように構成することができる。例えば、セキュリティシステム２０２がフレンドリーでない訪問者を検出した場合、スピーカ４８８は、男性の声によって話されるメッセージを発し、それによってフレンドリーでない訪問者を脅かすことができる。一方、セキュリティシステム２０２がフレンドリーな訪問者を検出した場合、スピーカ４８８は、女性の声によって話されるメッセージを発し、それによって訪問者を歓迎することができる。同様に、セキュリティシステム２０２は、任意の他のタイプの音を発するように構成することができる。例えば、歓迎される訪問者は、心地よいメロディ又は着用によって迎えられることができ、一方、歓迎されない訪問者は、アラーム音又は警告メッセージによって迎えられることができる。
【０１００】
同様に、メッセージは、任意の言語、ボリューム、ピッチ、アクセントなどで話すことができる。ユーザは、声の特徴の様々な組み合わせが、異なる状況において有用であることを見出し得る。例えば、ユーザがマルディグラパーティをホストしている場合、ユーザは、南部の訛りを有する人によって話されるメッセージを発するようにセキュリティシステム２０２を構成することができる。一般に、セキュリティシステム２０２のスピーカ４８８は、任意のタイプの特定の状況に対して任意のタイプの音を発するように構成することができることを理解されたい。同様に、セキュリティシステム２０２は、潜在的な訪問者がリストに含まれていない場合、特定のメッセージを再生するように構成することができる。例えば、潜在的な訪問者が居住者の連絡先のリストに含まれていない場合、セキュリティシステム２０２は、居住者が勧誘者を受け入れないこと、及び／又は訪問者にＩＤ情報を提供すること、又は訪問の目的を説明することを要求することを示すように構成することができる。
【０１０１】
いくつかの実施形態では、セキュリティシステム２０２は、潜在的な訪問者が犯罪的背景を有する場合、特定のメッセージを再生するように構成することができる。例えば、ユーザは、潜在的な訪問者が登録された性犯罪者である場合に、特定のメッセージを再生するようにセキュリティシステム２０２を構成することができる。
【０１０２】
セキュリティシステム２０２によって発せられた音は、ユーザ自身によって記録することができる。同様に、音は、リモートコンピュータ（例えば、リモートサーバ）、リモートコンピューティングデバイス（例えば、スマートフォン）、ウェブサイト、データベース（例えば、iTunes（登録商標））などの別のソースからダウンロードすることができる。また、方法は、ドアベルから警告を受信するように構成されたリモートコンピューティングデバイスを用いて、第１の音及び第２の音を選択することを含むことができる。選択された音は、ドアベルに無線で送信することができる。
【０１０３】
同様に、音は、リモートコンピューティングデバイス２０４で記録することができ、音は、一時的な使用のためにセットアップすることができ、それによって、音は、所定の時間に終了することができる。例えば、ユーザは、リモートコンピューティングデバイス２０４を用いて、録音された音の有効期限を入力することができる。さらに、ユーザは、第１の音及び有効期限をリモートコンピューティングデバイスからドアベルに無線で送信することができる。有効期限が過ぎると、セキュリティシステム２０２は、セキュリティシステム２０２から記録された音の発信を停止することができる。
【０１０４】
同様に、セキュリティシステム２０２は、リモートコンピューティングデバイス２０４から音放出パラメータを受信するように構成することができる。セキュリティシステム２０２は、音放出パラメータに基づいて所定の音を発音することができる。いくつかの実施形態では、音放出パラメータは、第１の訪問者のアイデンティティ、第１の訪問者に関連するデータ、時間、リモートコンピューティングデバイスのユーザの位置のうちの少なくとも１つを含む。いくつかの実施形態では、セキュリティシステム２０２は、音放出パラメータに基づいて第３の音を自動的にダウンロードすることができる。セキュリティシステム２０２は、第３の音に関連する規則に従って、第３の音をスピーカから発することができる。
【０１０５】
＜警告通信の実施形態＞
セキュリティシステム２０２の実施形態は、建物（例えば、住居）の外側に位置する個人に警告するように構成され得る。例えば、セキュリティシステム２０２は、光を点滅させ、音（例えば、高音と低音とを交互にする音）を発し、リモートコンピューティングデバイス２０４との通信セッションを開始するなどするように構成することができる。これらの様々な警報は、住居内又は住居外で発生する緊急事態などの事象の位置を識別しようとする第１の応答者などの個人にとって有用であり得る。住居は、本明細書で使用される場合、１人又は複数の占有者が建物内で恒久的に睡眠する建物を指すことができる。住居は、オフィスビル内で眠っている恒久的な居住者が不足していることによって、オフィスビルと区別することができる。住宅とは、賃貸借期間中の居住者の恒久的な性質上、アパート建物を指すことがある。住居は、恒久的な居住者が不足しているため、ホテルと区別することができる。
【０１０６】
図１１は、セキュリティシステム２０２が通信デバイス４１６に通信可能に結合される実施形態を示す。セキュリティシステム２０２は、通信システム４００の一部であってもよい。通信システム４００は、通信システム２００と類似することができるが、通信システム４００は、セキュリティシステム２０２と通信デバイス４１６との間の通信を可能にするように構成されてもよい。
【０１０７】
様々な実施形態では、セキュリティシステム２０２は、ハブデバイス、通信システム、及び／又はセンサなどのイベント検出デバイス４１８などの通信デバイス４１６（例えば、Nest Protect（Google Inc.の登録商標）、Nest Learning Thermostat（Google Inc.の登録商標）、DropCam(Google Inc．の登録商標）などの周辺デバイス）に、直接及び／又はクラウドを介して通信可能に結合することができる。通信デバイス４１６、イベント検出デバイス４１８、及び／又はセキュリティシステム２０２を使用して、建物３００（例えば、住居）内の様々なイベントを監視することができる。具体的には、通信デバイス４１６及び／又はイベント検出デバイス４１８は、緊急イベントを検出し、次いで、セキュリティシステム２０２に通知することができる。いくつかの実施形態では、通信デバイス４１６は、緊急事態又は有害事象（本明細書でさらに説明される）を検出する事象検出デバイス４１８に通信可能に結合される。このようにして、セキュリティシステム２０２は、イベント検出デバイス４１８及び／又は通信デバイス４１６から緊急イベントの通知を直接的又は間接的に受信することができる。
【０１０８】
セキュリティシステム２０２は、通信ネットワーク４１４を介して通信デバイス４１６と通信することができる。通信ネットワーク４１４は、無線通信２３０と同様とすることができるが、有線又は無線とすることができる。いくつかの実施形態では、通信ネットワーク４１４は、セキュリティシステム２０２（例えば、電力線ネットワーキング）と通信するために、ドアベルワイヤ内の既存の電線を利用することができる。通信ネットワーク４１４は、有線ローカルエリアネットワークを利用することもできる。いくつかの実施形態では、通信ネットワーク４１４は、通信デバイス４１６をインターネットを介してセキュリティシステム２０２に接続するワイドエリアネットワーク（ＷＡＮ）を含むことができる。
【０１０９】
実施形態では、通信デバイス４１６は、複数のデバイスを接続し、複数のデバイス間の通信を容易にするように構成された一種のデバイスである。セキュリティシステム２０２は、通信デバイス４１６に通信可能に結合されたデバイスであってもよい。通信デバイス４１６は、１つのデバイス（すなわち、イベント検出デバイス４１８）からの送信を受信し、どのタイプの通信を実行すべきか（例えば、警告）を決定し、さらなるアクションを取るために通信を第２のデバイス（例えば、セキュリティシステム２０２）に送信することができる。
【０１１０】
セキュリティシステム２０２は、リモートコンピューティングデバイス（すなわち、コンピューティングデバイス２０４）と通信するように構成することができる。コンピュータデバイス２０４は、実施形態中のリモートコンピューティングデバイスを指すことができる。セキュリティシステム２０２は、コンピューティングデバイス２０４に要求を送信することによって、通信ネットワーク４１４を介して通信セッションを開始し、セキュア接続（例えば、仮想プライベートネットワーク）を確立し、セキュリティを強化することができる。いくつかの実施形態では、通信セッションはまた、（本明細書でさらに説明するように）イベントが開始されたという表示を含むことができる。
【０１１１】
セキュリティシステム２０２は、外側ハウジング２２４を有することができる。外側ハウジング２２４は、建物３００に取り付けるように構成可能であってもよい。セキュリティシステム２０２の外側ハウジング２２４は、様々な恒久的又は一時的な取り付け機構を使用して建物３００に取り付けることができる。実施形態では、恒久取り付け機構は、セキュリティシステム２０２の取り外しを防止することができる。建物３００は、様々な構造を含むことができる。例えば、建物３００は、建物３００の一種である住宅を含む。住宅は、様々な正方形の寸法の様々なタイプの構造を含むことができる。例えば、住居は、化粧漆喰、煉瓦、又は羽目板の外装を有する木製フレーム付き建物とすることができる。実施形態では、住宅は、生活可能面積（例えば、５００平方フィート〜５０００平方フィート）に基づいて、他のタイプの建物と区別することができる。いくつかの実施形態では、住居は、壁を共有しない自立構造であると定義することもできる。ホームはまた、ゾーニングの制約によって定義されてもよい。例えば、住宅は、商業的又は工業的ではなく、住宅に区分されてもよい。
【０１１２】
外側ハウジング２２４はまた、外側ハウジング２２４に結合された訪問者検出システム４１２を含むことができる。訪問者検出システム４１２は、セキュリティシステム２０２のすぐ近く（例えば、０．５フィートから５０フィート以内）の訪問者を検出するように集合的に構成された構成要素のアセンブリとすることができる。訪問者検出システム４１２は、ドアベルボタン２１２と、カメラアセンブリ２０８と、音声入力デバイス４１０とを含むことができる。さらに、訪問者検出システム４１２は、動き検出器２１８及び指紋センサ２１０も含むことができる。音声入力デバイス４１０は、音声をキャプチャするデバイス（例えば、マイクロフォン）とすることができる。音声入力デバイス４１０は、用途に応じて様々な感度範囲を有することができる。いくつかの実施形態では、音声入力デバイス４１０は、音声キャプチャのカバレージエリアを拡張するために複数のマイクロフォンを含むことができる。例えば、音声入力デバイスは、外側ハウジング２２４に搭載された１つのマイクロフォンを有することができ、（例えば、通信ネットワーク４１４を介して）住宅内に配置された別のマイクロフォンから入力を受信することができる。
【０１１３】
外側ハウジング２２４はまた、不活性化ユニット４１１を含むことができる。不活性化ユニット４１１は、セキュリティシステム２０２に通信可能に結合された構成要素とすることができる。不活性化ユニット４１１は、警告通信システム４０２を無効にする役割を有し得る。実施形態では、不活性化ユニット４１１は、警告通信システム４０２の一部である。警告通信システム４０２は、受動的に又は能動的に動作することができる。アクティブな構成では、セキュリティシステム２０２は、不活性化するコマンドをアクティブに監視することができる。例えば、セキュリティシステム２０２は、固有のランダム化されたコードと共に規則的な間隔で不活性化ユニット４１１に「アクティブ化ステータス要求」信号を送信し、固有のランダム化されたコードと共に不活性化ユニット４１１から「アクティブ化＝True」信号を受信することができる。通信が中断されると、アクティブ化ステータスの非応答は、「アクティブ化＝True」を示すことができ、不活性化されると、不活性化ユニット４１１は、固有のランダム化されたコードと共に「アクティブ化＝False」信号を送信する。コマンドを能動的に監視することは、不活性化ユニット４１１との通信が失われる（すなわち、通信が変更されるか、又は不活性化が侵入者によって妨害される）場合に有利であり得る。
【０１１４】
不活性化ユニット４１１は、コマンドを受動的に監視することもできる。例えば、占有者は、セキュリティシステム２０２に送信されるコマンドを不活性化ユニット４１１を介して入力することができる。セキュリティシステム２０２は、受動的にコマンドを受信することができる。いくつかの実施形態では、不活性化ユニット４１１は、リモートコンピューティングデバイス２０４と通信可能に結合することもできる。不活性化コマンドは、リモートコンピューティングデバイス２０４から発せられて、アラート通信システム４０２を能動的又は受動的に不活性化する。
【０１１５】
外側ハウジング２２４はまた、外側ハウジング２２４に結合された警報通信システム４０２を含むことができる。警告通信システム４０２は、イベントの開始に応答して起動するように構成可能であり得る。例えば、セキュリティシステム２０２に送信される通信デバイス４１６からの警告は、警告通信システム４０２を介してセキュリティシステム２０２上の様々な構成要素を起動することができる。警告通信システム４０２は、ユーザ（例えば、家の占有者）に警告を通信するための構成要素を含むことができる。いくつかの実施形態では、警告通信システム４０２は、セキュリティシステム２０２、又はセキュリティシステム２０２の一部である。
【０１１６】
実施形態では、警告通信システム４０２は、ライト４０６及びスピーカ４０４を含む。ライト４０６は、図１に示すように、診断ライト２１６及び／又はパワーインジケータライト２２０、及び／又はセキュリティシステム２０２に結合された任意の他のライトを含むことができる。同様に、スピーカ４０４は、図１に示すようなスピーカ４８８、及び／又はセキュリティシステム２０２に結合された任意の他のスピーカを備えることができる。
【０１１７】
いくつかの実施形態では、警報通信システム４０２は、建物３００の占有者に警報を発するための構成要素の集合体を指す。警告通信システム４０２はまた、建物３００の占有者に警告する構成要素のための制御ユニットを指すことができる。警報通信システム４０２の制御は、セキュリティシステム２０２の制御とは別個のものとすることができる。
実施形態では、警報通信システム４０２は、住居（すなわち、建物３００）の外面に取り付けられる。外側ハウジング２２４は、住居（すなわち、建物３００）の内面に取り付けることができる。リモートコンピューティングデバイス２０４は、住居の所有者（すなわち、一種の占有者）によって操作することができる。
【０１１８】
警告通信システム４０４のスピーカ４０４は、イベントの開始に応答して音を発するように構成することができる。例えば、通信デバイス４１６が緊急事態を示す警報を送信する場合、セキュリティデバイス２０２は、危険を示す音をスピーカ４０４で発することができる。スピーカ４０４は、用途に応じて、広範囲の音及び様々なデシベルレベルを発するように構成することができる。例えば、より厳しい警報は、それほど厳しくない警報よりも大きくなり得る。セキュリティシステム２０２は、煙の位置及び煙が検出された時間を言うことによって、不審な煙を占有者に警告することができる。
【０１１９】
スピーカ４０４は、ビル３００の占有者に警告するために「危険、危険、危険」と言う音声を単に発することができる。セキュリティデバイス２０２によって発せられる音は、警告のタイプに固有であり得る。例えば、火災警告が通信デバイス４１６によって送信される場合、セキュリティデバイス２０２は、「火事です、火事です、火事です」と言う音声を発し、設定された間隔で繰り返すことができる。様々な音を使用して、他の占有者に選択的に警告することもできる。例えば、２４ｋＨｚ〜４５ｋＨｚの高周波音は、人間に警告することなく、建物３００のイヌ科の占有者に選択的に警告することができる。別の例では、１７ｋＨｚ〜２３ｋＨｚの音は、子供に選択的に警告するが、大人には警告しない。様々なパターンの音を生成することもできる。例えば、「ＳＯＳ」モールスコードパターンを使用して、災難を示すことができる。
【０１２０】
セキュリティシステム２０２のライト４０６は、イベントの開始に応答して点灯するように構成可能であってもよい。ライト４０６は、様々なパターンで様々な色を放射することができる。例えば、ライト４０６は、緑色光、白色光、及び赤色光の全てを放出することができる。通常動作中は緑色のライトを点灯させることができる。白色光の色は、停電などの通常の警告に使用することができる。赤色の明るい色を使用して、直ちに建物３００を出るように占有者に警告する差し迫った緊急事態を示すことができる。例えば、赤色光の色を使用して、占有者にガス漏れ、又は火事もしくは武装侵入者を警告することができる。
【０１２１】
実施形態では、ライト４０６は、パターンを示すために様々な周波数で点滅することができる。例えば、３回の短いフラッシュ、それに続く３回の長いフラッシュ、それに続く３回の短いフラッシュは、災難を示すことができる。一方、迅速なフラッシュは、より遅いフラッシュよりも高い優先度を示すことができる。ライト４０６は、スピーカ４０４と連携することができる。例えば、ライト４０６は、スピーカ４０４が音を発するのと同時に点滅することができる。ライト４０６は、スピーカ４０４からの音の放出の前又は後に点滅することもできる。
【０１２２】
警告通信システム４０２はまた、臭気の放出を含むことができる。臭気は、何かが悪いことが起きていることを知るために占有者によって識別可能であるか、又は侵入者を退去させることができる。例えば、通信デバイス４１６が、侵入者のセキュリティシステム２０２に警告する場合、強い臭い（スカンクの臭いなど）が、サイレントアラームをトリガすることができる。種々の臭いを使用することができる。例えば、花臭は、非緊急警報（水漏れなど）に使用することができ、メルカプタンベースの臭気は、緊急警報に使用することができる。
【０１２３】
警告通信システム４０２は、リモート通信４０７を含むことができる。リモート通信４０７は、リモートコンピューティングデバイス２０４とアラームのステータスを通信する役割を果たすことができる。いくつかの実施形態では、リモート通信４０７は、セキュリティ監視サービスと通信するモジュールとすることができ、セキュリティ監視サービスは、停電の場合に当局に警告するために、通信ネットワーク４１４とは異なる専用通信チャネルを有することもできる。
【０１２４】
実施形態では、セキュリティシステム２０２は、電力入力４０８によって電力供給される。電力入力４０８は、バッテリであってもよい。電力入力４０８は、家庭用交流などの電源からのものであってもよい。電力入力４０８は、ドアベルワイヤ３０４から降圧電圧（例えば、約８Ｖ〜２４Ｖ）を受け取るように構成することもできる。警報通信システム４０２は、（電力入力４０８を介して）電線４０９に電気的に結合することができる。電気ワイヤ４０９は、住居（例えば、建物３００）のドアベルワイヤ３０４に結合されるように構成可能であり得る。警告通信システム４０２は、イベントが電線４０９を介して開始されたという決定に応答して起動するように構成可能であり得る。いくつかの実施形態では、通信は、電力線ネットワーキングを介して行うことができる。電線４０９からの電気信号の様々なスパイクも、警報通信システム４０２に信号を送ることができる。実施形態において、電線４０９からの電気信号の欠如は、警告通信システム４０２を作動させることもできる。例えば、電線４０９からの電力入力４０８の欠如は、警報通信システム４０２を作動させることができる。警告通信システム４０２は、さらに、電力入力４０８を介してバックアップバッテリシステムを利用し、占有者が見ることができるように、ライト４０６に白色光を放射させることができる。
【０１２５】
セキュリティシステム２０２は、受動デバイス又は能動デバイスとして構成することができる。受動デバイスとして、セキュリティシステム２０２は、通信デバイス及び／又はイベント検出デバイス４１８から緊急イベントの通知を受信することができる。例えば、煙検出器イベント検出デバイス４１８は、煙イベントを通信デバイスに送信することができ、通信デバイスは、煙イベントが発生しているという表示をセキュリティシステム２０２に通信することができる。セキュリティシステム２０２は、通信チャネルが確立されるときはいつでも、通信デバイスからの通知を監視することができる。
【０１２６】
能動デバイスとして、セキュリティシステム２０２は、通信デバイス及び／又はイベント検出デバイス４１８が緊急事象（又は有害事象）の発生又は開始を検出したか否かを能動的に監視するように構成されてもよい。例えば、セキュリティシステム２０２は、イベントのステータスを通信デバイスから定期的に要求することができる。ステータスがない場合、セキュリティシステム２０２は、別の要求が満たされるまで待機することができる。
【０１２７】
図１２は、いくつかの実施形態による、様々なイベント検出デバイス４１８の強化された図のブロック図を示す。イベント検出デバイス４１８は、通信デバイスに通信可能に結合することができる。イベント検出デバイス４１８のタイプは、煙警報４２０又は盗難警報４２２を含むことができる。イベント検出デバイス４１８は、通信ネットワーク４１４を介して通信デバイス又はリモートデバイス２０４と通信するように構成することができる。実施形態では、イベント検出デバイス４１８は、「スマート」であり、様々なデバイスと通信することができる。イベント検出デバイス４１８は、ＩｏＴ（Internet of Things）を介して接続することができ、それぞれが固有のネットワーク識別子を有することができる。ＩｏＴは、様々な規格を包含することができる。例えば、標準は、ALLJOYN（Qualcomm Innovation Center Inc.の登録商標）、Thread Group、IEEE（Institute of Electronic and Electrical Engineers、Inc.の登録商標）、Ｐ２４１３ワーキンググループ、IoTivity（Samsung Electronics Co.、Ltd.の登録商標）、又はRepresentational State Transferを含み得る。
【０１２８】
セキュリティシステム２０２は、ライト４０６と、スピーカ４０４と、リモートコンピューティングデバイス２０４との送信を開始するように構成され得る無線通信システム２３０とを含み得る警告通信システム４０２を備え得る。例えば、通信デバイスは、スマート煙検出器４２０（例えば、Google Inc.の登録商標であるNest Protect）を備えることができ、スマート煙検出器が煙４３４のレベルの上昇、又は他の有毒ガスのレベルの上昇を検出することに応答して、セキュリティシステム２０２は、その警告通信システム４０２を起動することができる（例えば、光を点滅させ、かつ／又は音を発する）。これによって、緊急事態が発生している住居の場所に関して、住居外の個人に警告することができる。
【０１２９】
同様に、緊急事態は、別の当事者の注意を必要とし得る任意のタイプの事象４２４を含むことができることを理解されたい。使用されるように、事象は、占有者に対する危害を示すか、又は占有者以外の当事者の注意を必要とする、緊急事象又は有害事象を指すことができる。例えば、緊急事態は、火事４２６、ガス漏れ４２８、侵入４３６、高レベルの煙４３４、高レベルのラドン４３２、高レベルの一酸化炭素４３０などのうちの少なくとも１つを含むことができる。警告通信システム４０２は、様々な方法で住居外にいる個人に警告するように構成することができる。例えば、警告通信システム４０２は、明るい発光ダイオード、及び／又はセキュリティシステム２０２上の診断ライト２１６などのドアベルボタン２１２の背後に位置するライトを点滅させることができる。いくつかの例では、警告通信システム４０２は、スピーカ４０４から大音量の音を発することができる。例えば、大音量の音は、住居の３００フィート以内に位置する個人が聞くことができる交互の高ピッチ音と低ピッチ音とすることができる。高及び低ピッチの音は、近隣の住居及び／又は通過する車両内に位置する個人によって聞こえる高／低周波数のものであってもよい。大音量の音は、個人によって容易に検出可能な固有の音とすることができる。同様に、音は、危険又は補助が必要であることを示すノイズを含むことができる。
【０１３０】
さらに、警告通信システム４０２は、リモートコンピューティングデバイス２０４への送信を開始するように構成することができる。例えば、セキュリティシステム２０２が、侵入が発生したと判定した場合、セキュリティシステム２０２は、リモートコンピューティングデバイス２０４とのコンピューティングセッション及び／又は通知を開始して、リモートコンピューティングデバイス２０４を操作している個人に住居での侵入４３６を警告することができる。同様に、セキュリティシステム２０２は、緊急の発信者（例えば、救急電話）などの任意の他の当事者への送信を開始することができることを理解されたい。
【０１３１】
セキュリティシステム２０２は、所定の時間の後、その警告通信システム４０２を起動するように構成されてもよい。所定時間は、０秒、１０秒、２０秒、１分等であってもよい。一般に、警報通信システム４０２は、通信デバイス４１６が緊急事態４２４を検出するのとほぼ同時に、又はその後の任意の時間に起動することができることを理解されたい。
【０１３２】
図１３は、いくつかの実施形態による、通信デバイス４１６を介してイベントを監視する方法５００のフローチャートを示す。方法５００は、一般に、通信デバイス４１６に接続することと、通信デバイス４１６からイベントの通知を受信することとを含むことができる。セキュリティシステム２０２は、通信システムからのイベントに基づいて反応することができる。該ブロック５１０から開始する。
【０１３３】
ブロック５１０において、セキュリティシステム２０２は、通信システムとの接続を確立することができる。本明細書で言及されるように、通信デバイス４１６は、セキュリティシステム２０２と通信するために有線接続２３０又は無線接続２３０のいずれかを利用することができる。例えば、Ｗｉ−Ｆｉを利用した無線ホームネットワークを使用したり、ローカルなＢｌｕｅｔｏｏｔｈ（登録商標）ペアリングを使用したりすることができる。接続が確立されると、通信デバイス４１６は、セキュリティシステム２０２によって提供されるＩＤでのみセキュリティシステム２０２と通信するように構成され得る。例えば、セキュリティシステム２０２は、通信デバイス４１６が送信する固有のＩＰｖ６アドレスを有することができる。通信デバイス４１６はまた、セキュリティシステム２０２が送信する固有のＩＰｖ６アドレスを有してもよい。セキュリティシステム２０２はまた、通信デバイス４１６に属するＩＰｖ６アドレスのみから警告を受信するように構成されてもよく、従って、妨害の類の警告を防止する。
【０１３４】
通信デバイス４１６のアプリケーション・プログラミング・インターフェース（ＡＰＩ）を使用して、様々な許可を設定することができる。例えば、セキュリティシステム２０２は、通信デバイス４１６とデータを共有する許可を有するセキュリティシステム２０２を識別する読取り／書込み許可を有するクライアントとして設定することができる。
【０１３５】
ブロック５１２において、セキュリティシステム２０２は、イベントを監視することができる。実施形態では、セキュリティシステム２０２は、通信デバイス４１６からのイベントを監視する。例えば、通信デバイス４１６は、イベント検出デバイス４１８からイベントの通知を受信することができる。いくつかの実施形態では、セキュリティシステム２０２は、ローカライズされたコンポーネントを使用してイベントを監視することができる。例えば、セキュリティシステム２０２は、疑わしい活動を監視するために使用されるカメラを有することができる。イベントは、通信デバイス４１６と通信されてもよく、通信デバイス４１６は、適切なアクションを取ってもよい（例えば、緊急サービスに通知する）。本明細書で言及するように、事象の種類は、火事、ガス漏れ、侵入、煙レベルの上昇、ラドンレベルの上昇、一酸化炭素レベルの上昇などのうちの少なくとも１つから選択することができる。
【０１３６】
イベント検出デバイス４１８は、様々な方法を使用してイベントを検出することができる。例えば、イベント４２４を検出するために、様々な閾値を使用することができる。例えば、煙事象４３４のレベルの上昇は、光学的遮蔽又は電磁的な急落に基づくことができる。煙は、１００万分の１又は光透過率のパーセンテージの閾値に基づくことができる。ラドン事象４３２は、ラドン検出ユニットからのＰｉｃｏＣｕｒｉｅｓ／Ｌｉｔｅｒ読み取り値に基づくことができる。ガス漏れ事象４２８は、８０％低い爆発限界に基づくことができる。様々なガス検出器を使用することができる（例えば、電気化学的、赤外線点、赤外線イメージング、半導体、超音波、ホログラフィックなど）。火災事象４２６は、温度、又は煙事象４３４及び一酸化炭素事象４３０からの読み取り値の組合せを使用して検出することができる。侵入イベント４３６は、セキュリティシステム２０２内に存在する様々なセンサ、又はセキュリティシステム２０２の外部センサ（例えば、モーションセンサ）を利用することができる。イベント４２４は、住居（すなわち、建物３００）に関連付けられ、ドアベル（すなわち、セキュリティシステム２０２）は、住宅所有者の家に取り付けられる。
【０１３７】
ブロック５１４において、セキュリティシステム２０２は、イベントが開始されたかどうかを判定することができる。このイベントは、セキュリティシステム２０２が、セキュリティシステムに通信可能に結合された通信デバイス４１６からの送信を受信するときはいつでも開始され得る。送信は、様々な形態の通信を介するものであってもよく、イベントが開始されたという表示を提供してもよい。セキュリティシステム２０２は、通信システムを監視して、イベントが開始されたかどうかを検出することができる。実施形態では、セキュリティシステム２０２（例えば、ドアベル）は、リモートコンピューティングデバイス２０４と接続して、住居に警告があることを占有者にさらに通信することができる。リモートコンピューティングデバイス２０４を介した通信は、家から離れている間、居住者に情報を与え続けるという利点を有し得る。セキュリティデバイス２０２は、通信デバイス４１６と同様の方法で、リモートコンピューティングデバイス２０４との通信セッションを確立することができる。通信セッションは、イベントが開始されたことの表示を含むことができる。例えば、占有者は、セキュリティシステム２０２から、彼らのリモートコンピューティングデバイス２０４上のローカルアプリケーション上の火災警報の通信を受信することができる。
【０１３８】
ブロック５１６において、セキュリティシステム２０２は、アラームタイプを決定することができる。実施形態では、ブロック５１６は任意であってもよい。セキュリティシステム２０２に利用可能な様々なデバイスにもかかわらず、特定の設定では、すべてのデバイス又はツールが適切であるわけではない。例えば、非緊急警報（例えば、上昇したラドンレベル）は、深夜における高ピッチ、大音量ノイズを補償しないことがあり得る。セキュリティシステム２０２は、警告の重大度と警告の確実性とのバランスをとることができる。例えば、かなりの量の埃が煙検出器をトリガすることができるが、火災の確実性は、煙検出器と共に一酸化炭素検出器を使用して決定することができる。火災の深刻度は高いが、火災が発生している確率が低い場合、セキュリティシステム２０２は、別の警報タイプがより適切であると判定することができる。アラームタイプを決定する例は、本明細書でさらに説明される。
【０１３９】
ブロック５１８において、セキュリティシステム２０２は、ブロック５１４においてイベントが開始されたと判定したことに応答して、警告通信システム４０２を起動することができる。実施形態では、警告通信システム４０２を起動することは、警告通信システム４０２の選択された構成要素（例えば、スピーカ４０４又はライト４０６）を起動することを含むことができる。本明細書で言及されるように、警告通信システム４０２は、警告通信システム４０２が起動されると、ライト４０６を様々なパターン及び色で照明させることができるライト４０６を含むことができる。警告通信システム４０２はまた、様々な強度、周波数、及びパターンで音を発するスピーカ４０４を含むことができる。起動することは、警告通信システム４０２のための制御要素を起動することも含むことができる。警告通信システム４０２のための制御要素は、複数の構成要素（例えば、点滅する光と、それに続く選択された音響周波数の放射）のための様々なパターン及び警告を引き起こすことができる。
ブロック５２０において、警告通信システム４０２が起動されると、セキュリティシステム２０２は、警告通信システム４０２を停止するコマンドを監視することができる。
実施形態では、ブロック５２０は任意であってもよい。例えば、セキュリティシステム２０２のユーザは、セキュリティシステム２０２が占有者に警告することを望まない場合がある（例えば、偽陽性）。コマンドは、警告通信システム４０２を不活性化するためにセキュリティシステム２０２によって理解される一連の命令とすることができる。実施形態では、コマンドは、ボタン押下及び可聴の所定のメッセージとすることができる。例えば、占有者は、ボタン（例えば、ドアベルボタン２２０）を押し、「アラーム不活性化」のような可聴の所定のメッセージを話して、警告通信システム４０２を不活性化することができる。種々の実施形態において、不活性化ユニット４１１は、不審者のような非占有者の音声と、占有者の音声とを区別するために、音声認識を実行するように構成されることができる。コマンドが受信されると、方法５００は動作５２２に進むことができる。
【０１４０】
ブロック５２２において、セキュリティシステム２０２は、警告通信システムを不活性化するためのコマンドを受信することに応答して、警告通信システム４０２を不活性化することができる。警告通信システム４０２は、様々な方法で不活性化することができる。
例えば、警告通信システム４０２は、ドアベルボタン２１２が押されたという表示をセキュリティシステム２０２が受信することに応答して、不活性化する（例えば、現在の警告をオフにする）ことができる。いくつかの実施形態では、セキュリティシステム２０２は、イベントに対処しているか、又は終了したことを示す、発話された安全メッセージ又は発話されたパスワードなどの可聴の所定のメッセージを受信することに応答して、警告通信システム４０２をオフにするように構成され得る。いくつかの実施形態では、セキュリティシステム２０２は、リモートコンピューティングデバイス２０４から不活性化コマンドを受信することができる。このようにして、リモートコンピューティングデバイス２０４を操作する個人は、リモートコンピューティングデバイス２０４を通して指令を送信して、進行中の警報を終了させる。警告通信システム４０２の不活性化は、警告通信システム４０２の構成要素のすべてよりも少ない構成要素を選択的に不活性化することを含むことができる。例えば、警告通信システム４０２の不活性化は、法執行機関とのリモート通信４０７（例えば、サイレントアラーム）ではなく、ローカル通信（すなわち、スピーカ４０４及びライト４０６）のみを不活性化することを含むことができる。
【０１４１】
図１４は、いくつかの実施形態による、イベントの確実性及び重大度に基づいて使用される様々なアラームタイプの例示的なテーブル６００を示す。テーブル６００は、セキュリティシステム２０２がアラームタイプを決定することができる図１３のブロック５１６に対応することができる。いくつかの実施形態では、アラームタイプは、イベントの確実性及び重大度に応じて事前に割り当てることができる。例えば、占有者は、低い確実性にもかかわらず、ガス漏れが常に可聴アラーム及び赤色光に関連付けられることを望むことができる。
【０１４２】
アラームタイプは、閾値に基づくこともできる。例えば、火災の確信度が２０％であるが、重大度が高い場合、セキュリティシステム２０２は、重大度及び確信度に基づくスコアを作成することができる。セキュリティシステム２０２は、スコアに基づいて、アラームのタイプを決定することができる。例えば、（火災のようである）低い確実性を有する重大度の高いイベントは、占有者がさらに調査するように促すために音と関連付けられてもよい。ガス漏れのような重大度の高い事象であるが、より高い確実性を有する事象は、音と共に赤いフラッシュをトリガすることができる。赤ん坊の声のような重大度の低い事象は、快適な音楽を演奏するようなアラームタイプの異なるセットをトリガすることができる。
【０１４３】
＜カスタマイズされた音の実施形態＞
セキュリティシステム２０２又はドアベル２０２は、ユーザからカスタム音を受信し、それによって、特定の状況に応答してカスタム音を発するように構成されてもよい。例えば、図１５に示すように、ドアベルシステム２００は、ステップ１５００で、カスタムメッセージを受信することができる。次いで、システムのユーザは、任意選択でカスタムメッセージを選択された訪問者に割り当てることができる（ステップ１５０２）。それによって、選択された訪問者の存在の表示がドアベル２０２によって検出されると（ステップ１５０４）、ドアベル２０２は、ドアベル２０２のスピーカ４０４、４８８でカスタムメッセージを発することによって応答することができる（ステップ１５０６）。「検出する」という用語は、訪問者の存在又は存在を発見又は識別するものとして定義することができるので、「検出する」という用語は、「決定する」という用語と互換的に使用することができることを理解されたい。
【０１４４】
カスタム音又はカスタムメッセージは、様々な方法でドアベルシステム２００によって受信され得る。図１６に示すように、ドアベルシステム２００は、リモートコンピューティングデバイス（例えば、スマートフォン）などのリモートコンピュータからカスタムメッセージをダウンロードすることができる（ステップ１６００）。同様に、ドアベルシステム２００は、カスタムメッセージを記録することができる（ステップ１６０２）。例えば、ドアベルシステム２００のユーザは、スマートフォンなどの自分のリモートコンピューティングデバイス上にカスタムメッセージを記録し（ステップ１６０２）、次いでスマートフォンからドアベルシステム２００上にカスタムメッセージをダウンロードすることができる。いくつかの実施形態では、カスタムメッセージは、ドアベル２０２のマイクロフォンによって記録されるなど、ドアベル２０２によって直接記録されてもよい（ステップ１６０２）。一般に、カスタムメッセージは、ステップ１６０２で、ドアベルシステム２００に通信可能に結合された任意のタイプの記録デバイスによって記録されてもよいことを理解されたい。このようにして、ドアベルシステム２００は、記録デバイスからカスタムメッセージをダウンロードすることができる。
【０１４５】
図１６にさらに示されるように、任意の数のカスタムメッセージが、ドアベルシステム２００によって記録及び／又はダウンロードされ得る。例えば、ドアベルシステムは、第２のカスタムメッセージ（ステップ１６０４）、第３のカスタムメッセージ、第４のカスタムメッセージ、及び任意の数の追加のカスタムメッセージを記録及び／又はダウンロードすることができる。
【０１４６】
ドアベルシステム２００はまた、訪問者と対話するように構成されてもよく、それによって、ドアベルシステム２００は、可聴情報を与え、受信する。このようにして、ドアベルシステム２００は、訪問者からの情報を解釈することができる。図１７に示すように、ドアベルシステム２００（例えば、ドアベル２０２のスピーカ４０４、４８８）は、可聴質問を発するように構成されてもよい（ステップ１７００）。次いで、ドアベルシステム２００は（例えば、ドアベル２０２のマイクロフォンを介して）訪問者から可聴応答を受信することができる（ステップ１７０２）。これにより、ドアベルシステム２００は、訪問者によって与えられる可聴応答の意味を決定することができる。例えば、ドアベルシステム２００は、ステップ１７０４）可聴応答が第１の意味を含むか第２の意味を含むかを判定することができる。例えば、ドアベルシステム２００が、可聴応答が第１の意味を含むと判定した場合、ドアベル２０２は、ステップ１７０６でスピーカ４０４、４８８を介して第１の可聴応答を発することができる。同様に、ドアベルシステム２００が、可聴応答が第２の意味を含むと判定した場合、ドアベル２０２は、ステップ１７０８でスピーカ４０４、４８８を介して第２の可聴応答を発することができる。このようにして、ドアベルシステム２００は、訪問者によって与えられた異なる応答を解釈し、応答することができるスマートシステムとすることができる。
【０１４７】
ドアベルシステム２００はまた、訪問者及び／又はドアベルシステム２００のユーザ（例えば、建物３００の居住者）に関連するリモートコンピューティングデバイス２０４などのリモートコンピューティングデバイス２０４との通信セッションを開始するように構成されてもよい。例えば、ドアベルシステム２００は、訪問者の存在の表示を検出することができる（ステップ１８００）。次いで、ドアベルシステム２００は、訪問者及び／又は居住者のリモートコンピューティングデバイスとの通信セッションを開始することができる（ステップ１８０２）。通信セッションは、テキストメッセージ、通話、ボイスメール、電子メールなどの任意のタイプの通信及び／又はリモートコンピューティングデバイスへの送信を含むことができる。例えば、通信セッションは、スピーカ４０４、４８８によって発せられるカスタムメッセージの内容に実質的に一致する書面メッセージを含むことができる。このようにして、聴覚障害のある訪問者は、メッセージを受信することができる。
【０１４８】
さらに、いくつかの実施形態では、ドアベルシステム２００は、第１の訪問者及び／又は第２の訪問者のアイデンティティを決定するように構成されてもよい。従って、ドアベルシステム２００は、第１の訪問者のアイデンティティ及び／又は第２の訪問者のアイデンティティのうちの少なくとも１つを含む、テキストメッセージをリモートコンピューティングデバイス２０４に送信するなど、通信セッションを開始することができる。一般に、通信セッションは、訪問者及び／又はドアベル２００における訪問者の存在に関する任意のタイプの情報を含むことができることを理解されたい。
【０１４９】
ドアベルシステム２００はまた、様々なタイプの訪問者を検出するように構成されてもよい。いくつかの実施形態では、図１９に示すように、ドアベルシステム２００は、ステップ１９００で、犯罪者の存在の表示を検出するように構成することができる第１のドアベルシステム２００ａを指すことができる。第１のドアベルシステム２００ａは、第１のドアベルシステム２００ａに通信可能に結合され、第１のドアベルシステム２００ａに対して遠隔に位置する第２のドアベルシステム２００ｂから通知を受信することによって、犯罪者などの訪問者の存在の表示を検出することができる。例えば、第２のドアベルシステム２００ｂは、犯罪者がエリア内にいると判定し、次いで、第１のドアベルシステム２００ａを含む、近傍内に位置する他のすべてのドアベルシステム２００に警告することができる。
【０１５０】
図１９を参照すると、ドアベル２０２及び／又はドアベルシステム２００が犯罪者の存在の表示を検出したことに応答して、ドアベル２０２は、ドアベル２０２のスピーカ４０４、４８８で警告メッセージを発することができる（ステップ１９０２）。次いで、ドアベルシステム２００は、犯罪者の存在を機関に通知するために、法執行機関との通信セッションを開始することができる（ステップ１９０４）。警告メッセージは、犯罪者を恐れ、及び／又は法執行機関に連絡が取られたことを犯罪者に知らせるメッセージを含むことができることを理解されたい。
【０１５１】
図２０に示すように、ドアベルシステム２００はまた、ステップ２０００で、訪問者の写真を撮ることによって、犯罪者又は不審者などの訪問者を識別するように構成されてもよい。次に、ドアベルシステム２００は、画像に基づいて、以前に他のドアベル２０２を訪れた犯罪者のデータベースなどの不審な訪問者のデータベースに訪問者が含まれていることを判定することができる（ステップ２００２）。ドアベルシステム２００及び／又はリモートコンピュータは、顔認識ソフトウェアを使用して、犯罪者の顔データを法執行データベースからの顔データと一致させることができる。同様に、ドアベルシステム２００は、回避的又は疑わしい動きの検出、犯罪者の指紋の検出、犯罪者の網膜の検出など、犯罪者のボディランゲージを検出することによって、犯罪者の存在の表示を検出することができる。
【０１５２】
同様に、ドアベルシステム２００は、様々なタイプの訪問者を決定するように構成することができる。図２１に示すように、例えば、ドアベルシステム２００は、訪問者が所定の訪問者タイプであると判定することができる（ステップ２１００）。所定の訪問者タイプは、既知の訪問者（例えば、友人、家族、及び／又はユーザのスマートフォン連絡先リストに含まれる誰か）、既知の訪問者、不審な訪問者、犯罪者など、任意のタイプの訪問者を含むことができる。訪問者が所定の訪問者タイプであると判定したことに応答して、ドアベルシステム２００は、ドアベル２０２を介して、第１のメッセージ及び第２のメッセージからカスタムメッセージを選択することができる（ステップ２１０２）。訪問者が既知の人物であると判定したことに応答して、ドアベルシステム２００は、ステップ２１０４で、第１のメッセージを発することができる。いくつかの実施形態では、第１のメッセージは、任意選択で、既知の人物の名前を含む。例えば、ドアベルシステム２００は、居住者の友人であるティム（Ｔｉｍ）という名前の既知の人物が存在すると判定することができる。従って、ドアベル２０２は、「ウェルカム、ティム」を聞こえるようにアナウンスすることができる。
【０１５３】
同様に、訪問者が見知らぬ人であると判定したことに応答して、ドアベル２０２は、ステップ２１０６で、第２のメッセージを発することができる。例えば、ドアベルシステム２００が、見知らぬ人が勧誘者であると判定した場合、ドアベル２０２は、居住者が勧誘者から商品を購入しないこと、謝罪、及び構内から出るための招待を勧誘者に知らせる可聴メッセージを発することができる。一般に、ドアベルシステム２００は、任意のタイプの訪問者を決定し、訪問者のタイプに応答して任意のタイプのカスタムメッセージを発信するように構成され得ることを理解されたい。
【０１５４】
また、ドアベルシステム２００は、所定の条件の発生に応答してカスタムメッセージを発信するように構成されてもよい。図２２に示すように、ドアベルシステム２００は、訪問者の存在の表示を検出することができる（ステップ２２００）。これにより、ドアベルシステム２００は、所定の条件が発生したと判定することができる（ステップ２２０２）。
例えば、所定の条件は、時刻、居住者が休暇中である時間などの日数、イベント（例えば、誕生日パーティー、フットボールゲーム中など）などであってもよい。従って、訪問者の存在の表示及び所定の状態の発生に応答して、ドアベル２０２は、それによって、ステップ２２０４でカスタムメッセージを発することができる。カスタムメッセージは、所定の条件の発生に対応し得ることを理解されたい。例えば、所定の条件が、居住者のお気に入りのフットボールチームが競技しているゲームの発生である場合、カスタムメッセージは、フットボールチームのための応援歌であってもよい。
【０１５５】
また、所定の条件は、居住者が建物３００から離れているとき、又は居住者が建物３００内にいるときに発生することもある。特に図２３を参照すると、ドアベルシステム２００は、第１のカスタムメッセージ及び／又は第２のカスタムメッセージなどの２つ以上のカスタムメッセージを記録及び／又はダウンロードし、次いで、特定の状況でそれぞれのカスタムメッセージを発信するように構成することができる（ステップ２３００）。従って、本方法は、それによって、居住者が建物３００内に位置しているかどうか、又は居住者が建物３００内に位置していないかどうかを判定することを含むことができる（ステップ２３０２）。居住者が建物３００内に存在することの決定に応答して、ドアベル２０２は、それによって、第１のカスタムメッセージを発することができる（ステップ２３０４）。例えば、第１のカスタムメッセージは、訪問者に対し、占有者はそこに行くことを知らせるメッセージであり得る（例えば、「少々お待ち下さい。バンクスさんはすぐにそちらに行きます」（ここで、バンクスさんは、占有者である））。居住者が建物内に存在しないと判定したことに応答して、ドアベル２０２は、それによって、第２のカスタムメッセージを発することができる（ステップ２３０６）。第２のカスタムメッセージは、（訪問者が不審者である場合、強盗を回避するために）居住者は多忙であること、又は（訪問者が既知の人物である場合）建物３００から離れていることを訪問者に通知するメッセージを含むことができる。例えば、第２のカスタムメッセージは、「ごめんなさい。バンクスさんは今手が離せません。また来てください」と述べることができる。
【０１５６】
ドアベルシステム２００は、ドアベル２０２を介して、ドアベルシステム２００によって受信される様々な入力に応答してカスタムメッセージを受信するように構成されてもよい。例えば、図２４に示すように、ドアベル２０２は、ドアベル２０２のボタン２１２から第１のボタン押下の表示を受け取ることができる（ステップ２４００）。第１のボタン押下の受信に応答して、ドアベル２０２は、それによって、カスタムメッセージを記録し、ドアベルシステム２００のメモリ内にカスタムメッセージを記憶することができる（ステップ２４０２）。同様に、ドアベルシステム２００は、ドアベル２０２から第２のボタン押下の表示を受信するなどの入力を受信するように構成されてもよい（ステップ２４０４）。
第２のボタン押下の受信に応答して、ドアベルシステム２００は、それによって、ドアベルシステム２００のメモリからカスタムメッセージを消去することができる（ステップ２４０６）。
【０１５７】
第１のボタン押下、第２のボタン押下などに対する任意の参照は、任意の数のボタン押下、又はそれぞれのボタン押下の持続時間を指すことができることを理解されたい。例えば、第１のボタン押下は、２つのボタン押下を含むことができ、第２のボタン押下は、１つのボタン押下を含むことができる。同様に、第１のボタン押下は、１つのボタン押下を含むことができ、第２のボタン押下は、２つのボタン押下を含むことができる。いくつかの実施形態では、第１のボタン押下は、第１の持続時間にわたって押下されるボタン２１２を含むことができ、第２のボタン押下は、第２の持続時間にわたって押下されるボタン２１２を含むことができる。第１の持続時間は、第２の持続時間よりも大きくても、等しくても、又は小さくてもよいことを理解されたい。しかしながら、入力は、ドアベルシステム２００への任意のタイプの入力であってもよいことを理解されたい。例えば、ドアベルシステム２００は、第１及び第２のボタン押下に関連して、又はその代わりに、ユーザから様々な動作を受け取るように構成されてもよい。いくつかの実施形態では、ドアベル２０２のカメラ２０８は、ユーザが手を１回振るなど、ユーザからの第１の動きを検出することができる。第１の動きの検出に応答して、ドアベル２０２は、それによって、カスタムメッセージを記録し、ドアベルシステム２００のメモリ内にカスタムメッセージを記憶することができる。同様に、カメラ２０８は、ユーザが手を２回振るなど、ユーザからの第２の動きを検出することができる。第２の動作の検出に応答して、ドアベル２０２は、それによって、ドアベルシステム２００のメモリからカスタムメッセージを消去することができる。一般に、身体運動などの任意のタイプの入力をドアベルシステム２００が受け取ることができることを理解されたい。
【０１５８】
ドアベルシステム２００はまた、ドアベルシステム２００のユーザにセキュリティ及び匿名性を提供するように構成されてもよい。例えば、図２５に示すように、ドアベルシステム２００は、第１のカスタムメッセージを記録及び／又はダウンロードすることができる（ステップ２５００）。第１のカスタムメッセージは、第１の音声によって話すことができる。ドアベルシステム２００は、第１のメッセージを第２のメッセージに効果的に変換するように構成することができ、それによって、第２のメッセージは、第１の音声とは異なる第２の音声によって話される。第１のカスタムメッセージの内容は、第２のカスタムメッセージの内容と実質的に一致することができる。従って、ドアベルシステム２００は、第２の音声によって話される第２のカスタムメッセージを発することができる（ステップ２５０２）。このようにして、ドアベルシステム２００は、ドアベルシステム２００のユーザ（例えば、居住者）のアイデンティティを効果的に保護することができる。
【０１５９】
様々な所定の条件に関して、図２６に示すように、ドアベルシステム２００は、第１の音を発するための第１の時間枠、第２の音を発するための第２の時間枠、及び第３の音を発するための第３の時間枠のスケジュールを作成することができる（ステップ２６００）。
これにより、ドアベルシステム２００は、訪問者の訪問時間が第１の時間枠内にあると判断し（ステップ２６０２）、訪問者の訪問時間が第１の時間枠内にあると判断したことに応答して、ドアベル２０２は、第１の音を発することができる（ステップ２６０４）。従って、ドアベルシステム２００が、訪問者の訪問時間が第２の時間枠内であると判定した場合、ドアベル２０２は、第２の音を発することができる。同様に、ドアベルシステム２００が、訪問者の訪問時間が第３の時間枠内であると判定した場合、ドアベル２０２は、第３の音を発することができる。例えば、第１の時間枠は、居住者が睡眠中であるか、又は仕事の準備中である夜間及び朝の時間を含むことができる。これにより、第１の音は、居住者が忙しく、訪問者が別の時間に戻るべきであることを訪問者に通知することができる。同様に、第２の時間枠は、居住者が仕事で離れている日中の時間を含むことができる。第２の音は、訪問者が既知の又は信頼できる訪問者である場合、居住者が不在で、訪問者が仕事中又は居住者のスマートフォン上で居住者に繋がることができるというメッセージを含むことができる。最後に、第３の時間枠は、居住者が仕事から帰宅している夕方の時間帯を含むことができる。これにより、第３の音は、居住者がすぐにドアに答えることを訪問者に知らせることができる。一般に、ドアベルシステム２００は、任意の時間枠又は時間枠の数に適応するように構成されてもよいことを理解されたい。同様に、ドアベルシステム２００は、それぞれの時間枠のいずれかに応答して、任意の音を受信し、それによって発するように構成されてもよい。
【０１６０】
図２７を参照すると、ドアベルシステム２００は、任意の数のカスタムメッセージを受信し、次いで、任意の数のそれぞれの訪問者の存在の表示を検出するドアベルシステム２００（例えば、ドアベル２０２）に応答して、それぞれのメッセージを発するように構成され得る。ドアベル２０２は、ドアベルシステム２００が第１の訪問者の存在の表示を検出したことに応答して、スピーカ４０４、４８８で第１のカスタム可聴メッセージを発することができる（ステップ２７００）。同様に、ドアベル２０２は、ドアベルシステム２００が第２の訪問者の存在の表示を検出したことに応答して、スピーカ４０４、４８８で第２のカスタム可聴メッセージを発することができる（ステップ２７０２）。同様に、ドアベル２０２は、ドアベルシステム２００が第３の訪問者の存在の表示を検出したことに応答して、スピーカ４０４、４８８で第３のカスタム可聴メッセージを発することができる（ステップ２７０４）。
【０１６１】
第１、第２、及び第３のカスタム可聴メッセージは、特定の訪問者又は訪問者のグループに割り当てることができる。例えば、第１のカスタム可聴メッセージは、特定の第１の訪問者に割り当てられてもよい。同様に、第１のカスタム可聴メッセージは、任意の既知の訪問者などの特定のグループ又はタイプの訪問者に割り当てることができる。
【０１６２】
図２８に示すように、ドアベルシステム２００は、第１の建物３００ａに取り付けられた第１のドアベルシステム２００ａと呼ぶことができる。第１のドアベルシステム２００ａは、第１の建物３００ａに対して遠隔に位置する第２の建物３００ｂの外部に取り付けられた第２のドアベルシステム２００ｂに通信可能に結合することができる。従って、第１のドアベル２０２ａはまた、第２のドアベル２０２ｂに通信可能に結合されてもよい。それによって、第１のドアベルシステム２０２ａは、第２のドアベルシステム２０２ｂから第１の通知を受信することによって、第１の訪問者の存在の表示を検出することができる（ステップ２８００）。同様に、第１のドアベルシステム２０２ａは、第２のドアベルシステム２０２ｂから第２の通知を受信することによって、第２の訪問者の存在の表示を検出することができる（ステップ２８０２）。このようにして、第１のドアベルシステム２０２ａ及び第２のドアベルシステム２０２ｂをネットワーク化することができる。これは、近隣のような特定のエリア内に位置するドアベルシステム２００が、互いに通信し、データを送信することを可能にし得る。ドアベルシステムのネットワークは、情報及び／又はデータを交換し、それによって近隣全体を監視することができる。
【０１６３】
＜チャイムの実施形態＞
チャイム３０２（図３、図３１〜図３７に示される）は、本明細書に記載されるか、又は参照により組み込まれる任意のドアベル２０２の特徴、アセンブリ、部品、システム、及び構成要素のすべてを含むことができる。チャイム３０２は、図１２に示す全てのアイテムを含むことができる。
【０１６４】
チャイム３０２は、本明細書に記載されるか、又は参照により組み込まれる任意のドアベル２０２と通信するように構成することができるリモート通信デバイスである。ここで図３１〜図３７を参照すると、ユーザは、リモートコンピューティングデバイス２０４を使用して、建物内に位置するチャイム３０２（例えば、リモート通信デバイス）によって発せられる音を選択するか、又は建物内に位置するチャイム３０２を無音にすることができる。いくつかの実施形態は、誰かがドアベル２０２を「鳴らす」とき、又はドアベル２０２によって検出されるときに、チャイム３０２が発することができる多くの異なる音を含む。
【０１６５】
図３１に示すように、チャイム３０２は、建物３００の電源及び／又はチャイム内に配置されたバッテリ４６２ｂからバックアップ電力又は一次電力を受け取ることができる。
同様に、チャイム３０２は、チャイム３０２の近傍内の異なるイベントを検出するための様々な構成要素を含むことができる。例えば、実施形態は、建物３００の内側部分に沿った動きを検出するように構成可能な動き検出器２１８を含むことができる。また、チャイム３０２は、建物３００の内側部分に沿って画像を取り込むように構成可能なカメラアセンブリ２０８ｂを含むことができる。同様に、チャイム３０２は、音を発するように構成可能なスピーカ４８８ｂと、ユーザによって話された可聴メッセージを受信するように構成可能なマイクロフォン４８４ｂとを含むことができる。
【０１６６】
さらに、実施形態では、チャイム３０２（例えば、リモート通信デバイス）は、建物３００の内側部分に沿った温度を決定するように構成可能な温度計５１２ｂと、建物３００の内側部分に沿った湿度を決定するように構成可能な湿度センサ３０５とを含むが、これらに限定されない追加の構成要素を含んでもよい。チャイム３０２は、様々な他のイベントを監視及び検出するための雑多な検出コンポーネントを含むことができる検出システム５２８ｂを含むことができる。同様に、チャイム３０２は、チャイムをドアベル２０２、リモートコンピューティングデバイス２０４、及び／又は任意の他の通信デバイスに通信可能に結合するように構成可能な通信システム５０４ｂを含むことができる。通信システム５０４ｂは、WiFi、Bluetooth、Bluetooth Low Energy、Thread、ZigBeeなどを介して通信することができる。当然のことながら、チャイム３０２は、ドアベル２０２によって利用されるのと同じ構成要素を全く利用しなくてもよく、いくつか利用してもよく、又は全て利用してもよい。
【０１６７】
ユーザは、制御アプリケーション６００を用いて、自分のリモートコンピューティングデバイス２０４上のチャイム３０２によって発信される音を選択することができる。次いで、リモートコンピューティングデバイス２０４は、ドアベル２０２を介して（及び／又はサーバ２０６及び無線ネットワーク３０８を介して）チャイム３０２に音を送ることができる。音は、楽曲、ユーザによって録音された挨拶、又は任意の他のタイプの音とすることができる。いくつかの実施形態は、インターネットから音をダウンロードするためにリモートコンピューティングデバイス２０４を使用すること、（例えば、音を選択するためにリモートコンピューティングデバイス２０４を使用することに応答して）ドアベル２０２に音（又は音に関連するデータ）を送信すること、ドアベル２０２からチャイム３０２に音（又は音に関連するデータ）を送信すること、及び／又はチャイム３０２から音を発することを含む。図３２及び図３３に示すように、チャイム３０２は、プラグ３０７を含むことができる。プラグ３０７は、（図３３に示すように）電源コンセント３０９に機械的及び電気的に結合することができる。
【０１６８】
図３４に示すように、ドアベル２０２は、リモートコンピューティングデバイス２０４とチャイム３０２との間の通信ブリッジとして作用することができる。ドアベル２０２は、リモートコンピューティングデバイス２０４がチャイム３０２を制御することを可能にするために使用され得る。ユーザは、リモートコンピューティングデバイス２０４上でオプション（例えば、曲やチーム設定）を選択することができ、システムは、そのオプションに関する情報をコンピュータデバイス２０４に、又はコンピュータデバイス２０４から送ることができる。次いで、システムは、ユーザがリモートコンピューティングデバイス２０４を介してオプションを選択することに応答して、ドアベル２０２からチャイム３０２にオプションに関する情報を送信することができる。コンピューティングデバイス２０４とドアベル２０２との間の通信２３０は、無線とすることができる。ドアベル２０２とチャイム３０２との間の通信２３０は、無線とすることができる。
【０１６９】
図３６に示すように、チャイム３０２（例えば、リモート通信デバイス）は、リモートコンピューティングデバイス２０４とドアベル２０２との間の通信ブリッジとして働くことができる。これは、ドアベル２０２が、ドアベルが機械的及び／又は電気的に結合されてい建物３００の無線ネットワーク３０８にアクセスできない場合に特に有用であり得る。
チャイム３０２は、建物３００の内側に配置することができ、従って、（無線ネットワーク３０８のルータからはるかに遠くに配置することがあり得るドアベル２０２における信号強度と比較して、チャイム３０２における無線ネットワーク３０８の優れた信号強度のために）建物３００の無線ネットワーク３０８にアクセスする可能性がより高い。いくつかの実施形態は、ドアベル２０２の第２の位置における無線ネットワーク３０８の第２の無線信号強度よりも大きい、チャイム３０２の第１の位置における無線ネットワーク３０８の第１の無線信号強度に応答して、リモートコンピューティングデバイス２０４とドアベル２０２との間の通信ブリッジとして働くようにチャイム３０２を構成することを含む。図３に示すように、チャイム３０２（例えば、リモート通信デバイス）は、ドアベル２０２と建物３００の無線ネットワーク３０８との間の通信ブリッジとして機能することができる。
【０１７０】
図３２は、電力コンセント３０９に電気的に、機械的に、及び／又は通信可能に結合され得る少なくとも１つのプラグ３０７を含む、チャイム３０２（例えば、リモート通信デバイス）の実施形態を示す。１つのプラグ３０７は、これによりドアベル２０２を電力コンセント３０９のワイヤに電気的及び／又は通信可能に結合することができる。
システム２００は、様々な方法で通信するように構成することができる。いくつかの実施形態では、リモートコンピューティングデバイス２０４はドアベル２０２と直接通信し、ドアベル２０２はチャイム３０２と直接通信する。いくつかの実施形態では、リモートコンピューティングデバイス２０４は、チャイム３０２と直接通信し、ドアベル２０２は、チャイムと直接通信する。一般に、システム２００は、ユーザによって任意の方法で構成することができることを理解されたい。
【０１７１】
＜チャイムを使用する方法＞
様々な実施形態によれば、ドアベルシステム２００は、チャイム３０２から音を発することができる。図３８に示すように、この方法は、リモートコンピューティングデバイス２０４によって音を選択することを含むことができる（ステップ１３００）。例えば、リモートコンピューティングデバイス２０４は、ユーザがリモートコンピューティングデバイス２０４の画面に表示されているようなラジオボタン（表示されない）をトグリングすることによって音を選択することができる。いくつかの例では、ユーザは、リモートコンピューティングデバイス２０４を介してアクセス可能な音楽データベース（例えば、iTunes（登録商標））などのデータベースから歌又は任意のタイプの音声ファイルを選択することによって、音を選択することができる。いくつかの実施形態では、リモートコンピューティングデバイス２０４は、サーバ２０６、ユーザインタフェース（例えば、スマートフォン、タブレットなど）を有する通信デバイスなどとすることができる。
【０１７２】
引き続き図３８を参照すると、方法は、第１のデータファイル２１３及び／又は第２のデータファイル２１１を含むことができるデータファイルを、リモートコンピューティングデバイス２０４に通信可能に結合されたドアベル２０２に送信することも含むことができる（ステップ１３０２）。データファイル２１１、２１３は、音を表すことができる情報を含むことができる。データファイル２１１、２１３は、リモートコンピューティングデバイス２０４によってサーバ２０６に送られ、ドアベル２０２に送られる。しかし、いくつかの実施形態では、データファイル２１１、２１３は、リモートコンピューティングデバイス２０４によってドアベル２０２に送信することができる。図３０に示すように、リモートコンピューティングデバイス２０４は、信号６０４を含む無線通信２３０を介して、サーバ２０６に、データファイル２１１、２１３をドアベル２０２に送信するように命令することができる。
【０１７３】
同様に、方法は、ドアベル２０２が、ドアベル２０２に通信可能に結合され、ドアベル２０２に対して遠隔に配置されたチャイム３０２にデータファイル２１１、２１３を送信することを含むことができる（ステップ１３０４）。実施形態では、データファイル２１１、２１３は、チャイム３０２に無線で送信される。また、実施形態では、データファイル２１１、２１３は、図３８に示すように、ワイヤ３０４ｂなどのワイヤを介して送信される。こうして、データファイル２１１、２１３は、音ファイル通信２０９を介して送信される。
【０１７４】
チャイム３０２がデータファイル２１１、２１３を受信することができる様々な方法がある。いくつかの方法では、データファイルは、ドアベル及びチャイムのうちの少なくとも１つによって、ウェブサーバからダウンロードすることができる。さらに、いくつかの実施形態では、リモートコンピューティングデバイス２０４は、ウェブサーバからデータファイルをダウンロードすることができる。方法はまた、データファイル２１１、２１３を受信するチャイム３０２に少なくとも部分的に応答して、及び訪問者の存在の表示を検出するドアベル２０２に少なくとも部分的に応答して、チャイム３０２のスピーカ４８８ｂから音を発することを含むことができる。このようにして、訪問者が建物３００を訪れると、ドアベルシステム２００は、チャイム３０２のスピーカ４８８ｂを介して任意のタイプのカスタマイズされた、又は予め録音された音を再生することによって、ユーザに警告することができる。
【０１７５】
同様に、ドアベルシステム２００のユーザは、音放出パラメータなどの特定のパラメータに従って音を放出するようにシステム２００を構成することができる。従って、方法は、ドアベル２０２によって、リモートコンピューティングデバイス２０４から音放出パラメータを受信することを含むことができる。方法はまた、音放出パラメータが満たされたとドアベルシステム２０２が判定したことに応答して、チャイム３０２のスピーカ４８８ｂから音を放出することを含んでもよい。いくつかの実施形態では、音放出パラメータは、所定の時間枠を含んでもよい。例えば、ユーザは、チャイム３０２が１日の所定の時間中に音を発しないように、「Do not disturb」パラメータなどの音発信パラメータを選択することができる。同様に、実施形態では、音放出パラメータ３０２は、特定の訪問者を含むことができる。例えば、未知の訪問者又は未歓迎の訪問者（例えば、ドアツードア販売員）が建物３００を訪問する場合、ドアベルシステム２００が未知の訪問者又は未歓迎の訪問者の存在を検出したときに、音放出パラメータは、チャイム３０２に音を放出しないように指示することができる。
【０１７６】
また、チャイム３０２は、チャイム３０２のスピーカ４８８ｂから可聴メッセージを発するように構成されてもよい。可聴メッセージは、ユーザによって話され、ドアベル２０２、リモートコンピューティングデバイス２０４、及び／又はチャイム３０２自体によって記録されるメッセージとすることができる。いくつかの実施形態では、システム２００のユーザは、チャイム３０２を介して可聴メッセージを送信することを望むことができる。例えば、第１の居住者は、彼／彼女のリモートコンピューティングデバイス２０４に、「ハニー、３０分で家に帰る」などの可聴メッセージを話すことができる。従って、システム２００は、チャイム３０２から可聴メッセージを発することができる。さらに、実施形態では、第１の居住者は、自分のリモートコンピューティングデバイス２０４にメッセージをタイプすることができ、それによって、システム２００は、タイプされたメッセージの内容を含む可聴メッセージをアナウンスすることができる。
【０１７７】
また、チャイム３０２は、動きを検出し、建物３００の内側部分に沿って音声及びビデオ記録をキャプチャするために使用されてもよい。具体的には、この方法は、チャイム３０２の動き検出器２１８ｂが、建物３００の内側部分内の第１の動きを検出することを含むことができる。方法はまた、チャイム３０２の動き検出器２１８ｂが第１の動きを検出することに応答して、リモートコンピューティングデバイス２０４との第１の通信セッションを開始することを含むことができる。第１の通信セッションは、チャイムの動き検出器によって検出された第１の動きの第１の通知を含むことができる。例えば、チャイム３０２は、建物３００の内側部分内の不審者を検出することができ、それによって、システム２００は、ユーザのリモートコンピューティングデバイス２０４に警告を送信することができる。
【０１７８】
いくつかの実施形態では、この方法はまた、チャイム３０２の動き検出器２１８ｂが、建物３００の内側部分内の第２の動きを検出することを含むことができる。第２の動きは、第１の動きとは異なっていてもよいし、同じであってもよいことを理解されたい。それによって、システム２００は、チャイム３０２の動き検出器２１８ｂが第２の動きを検出することに応答して、第２のリモートコンピューティングデバイス２０４ｂとの第２の通信セッションを開始することができる。第２の通信セッションは、チャイム３０２によって検出された第２の動きの第２の通知を備えることができる。この点に関して、第１のリモートコンピューティングデバイス２０４ａは、第２の通信セッションを受信しなくてもよい。従って、システム２００は、建物３００内の異なる動きに基づいて異なるユーザに警告するように構成することができる。例えば、チャイム３０２は、疑わしい動作を検出し、それによって警察に警告することができる。いくつかの例では、チャイム３０２は、犬が歩き回るなど、建物３００内の不審でない動きを検出することができ、その後、居住者のリモートコンピューティングデバイス２０４に警告が送信される。同様に、方法は、２つ以上の音を選択することと、２つ以上の音をチャイム３０２に送信することとを含むことができる。例えば、方法は、リモートコンピューティングデバイス２０４によって第２の音を選択し、それによって、第２の情報を含む第２のデータファイルをドアベル２０２に送信することを含むことができる。第２の情報は、第２の音を表すことができる。同様に、方法は、第２のデータファイルをチャイム３０２に送信することを含むことができる。
【０１７９】
実施形態では、チャイム３０２は、建物３００の外側部分に沿ったドアベルの動き検出器２１８によって検出された異なる動きに応答して異なる音を発するように構成されてもよい。例えば、方法は、建物３００の外側部分に沿ったドアベル２０２の動き検出器２１８による第１の動きを検出することを含むことができる。ドアベル２０２が第１の動きを検出することに応答して、チャイムは、それによって、チャイム３０２のスピーカ４８８ｂから第１の音を発することができる。同様に、ドアベル２０２の動き検出器２１８は、建物３００の外側部分に沿った第２の動きを検出することができる。第２の動きは、第１の動きとは異なっていてもよいし、同じであってもよいことを理解されたい。従って、方法は、ドアベル２０２が第２の動きを検出することに応答して、チャイム３０２のスピーカ４８８から第２の音を発することを含むことができる。このようにして、チャイム３０２は、様々な動きがドアベル２０２によって検出されたかどうかに関して、建物３００内の人々に可聴的に警告するように構成されてもよい。いくつかの実施形態では、ドアベル２０２が疑わしい動きを検出した場合、チャイム３０２は可聴アラームを発することができる。いくつかの実施形態では、ドアベル２０２が不審でない動きを検出した場合、チャイム３０２は、よりフレンドリーな音（例えば、「ding-dong」）を発することができる。
【０１８０】
図３９に示すように、本開示はまた、ドアベルシステム２００を使用してチャイム３０２から音を発する方法を含む。この方法は、リモートコンピューティングデバイス２０４によって音を選択するステップ（ステップ１４００）と、情報を含むデータファイル２１１、２１３をチャイム３０２に送信するステップ（ステップ１４０２）とを含むことができる。情報は、音を表すことができることを理解されたい。
【０１８１】
同様に、データファイル２１１、２１３は、リモートコンピューティングデバイス２０４及び／又はサーバ２０６によってチャイム３０２に送信され得る。さらに、方法は、ドアベル２０２により訪問者の存在の表示を検出すること（ステップ１４０４）、訪問者の存在の表示を検出することに応答して、チャイム３０２のスピーカ４８８ｂから音を発すること（ステップ１４０６）を含むことができる。
【０１８２】
動きを検出することに加えて、チャイム３０２及び／又はドアベル２０２は、音声、画像、及び／又は動画をキャプチャすることもできる。例えば、図３５及び図３６に示すように、チャイム３０２の動き検出器２１８ｂによる動きの検出に応答して、方法は、チャイム３０２のカメラ２０８ｂを使用して、建物３００の内側部分内の画像及び／又は動画をキャプチャすることを含むことができる。画像及び／又は動画は、チャイム３０２によって検出された動きに対応し得ることを理解されたい。それによって、画像及び／又は動画は、ドアベル２０２及び／又はリモートコンピューティングデバイス２０４に送られ、そこで、画像及び／又は動画は、コンピューティングデバイス２０４のディスプレイ６０３上で見られる制御アプリケーション６００を介して見ることができる。
【０１８３】
同様に、この方法は、チャイムのマイクロフォン４８４ｂを使用して、建物３００の内側部分内の音声を検出し、記録することができる。これにより、音声記録は、ドアベル２０２及び／又はリモートコンピューティングデバイス２０４に送信され、そこで再生され得る。
【０１８４】
同様に、システム２００は、動きの検出に応答して他の様々な方法で応答するように構成されてもよい。例えば、実施形態では、チャイム３０２の動き検出器２１８ｂによる動きの検出に応答して、ドアベル２０２は、ライト２１６、２２０を点滅させ、それによって建物３００を通過する人々に、建物３００で進行中のイベントがあることを示すことができる。これは、人員（例えば、法執行機関）に役立ち、それによって建物３００の正確な位置を決定することができる。
【０１８５】
チャイム３０２は、様々なイベントを検出する前述の構成要素のいずれかに応答して、任意の様々なタイプの音を発するように構成され得る。実施形態では、チャイム３０２は、訪問者の存在の表示を検出するドアベルに応答して第１の音を発することができる。同様に、チャイム３０２は、建物３００の内側部分に沿った動きを検出する動き検出器２１８ｂに応答して、第２の音を発することができる。さらに、温度計５１２ｂが、温度が所定の閾値を超えたことを検出した場合、チャイム３０２は、温度計５２８ｂによって検出された温度のアナウンスなどの第３の音を発することができる。さらに、チャイム３０２は、所定の湿度が満たされたことを湿度センサ３０５が検出したことに応答して、第４の音を発するように構成されてもよい。
【０１８６】
図４０に示すように、本開示はまた、訪問者を識別し、検出された訪問者に従って異なる音を発する方法を含む。例えば、方法は、ドアベル２０２によって第１の訪問者を認識することを含むことができる（ステップ１５００）。この方法は、第１の訪問者を認識することに応答して、チャイム３０２から第１の音を発することを含むことができる（ステップ１５０２）。同様に、この方法は、ドアベル２０２によって第２の訪問者を認識しないことに応答して、チャイムから第２の音を発することを含むことができる（ステップ１５０６）。第１の音と第２の音とは、異なるものであってもよいし、同じものであってもよいことを理解されたい。
【０１８７】
訪問者を検出するために、方法は、それぞれの訪問者の物理的特徴などの様々な特徴を検出することによって、第１の訪問者及び／又は第２の訪問者を認識することを含むことができる。物理的特性は、指紋、歩行、体型、身長、シルエット特性、シルエット体積、シルエット寸法、他の物理的特性などの特性を含むことができる。同様に、システム２００は、ドアベル２０２が、第１の訪問者及び／又は第２の訪問者を把握する電子デバイスの特性を検出することによって、第１の訪問者及び／又は第２の訪問者を認識するように構成され得る。例えば、システム２００は、第１の訪問者に関連付けられた第１のリモートコンピューティングデバイス２０４ｄ及び／又は第２の訪問者に関連付けられた第２のリモートコンピューティングデバイス２０４ｅを検出するように構成され得る。物理的特徴及び／又は電子的特徴による訪問者の検出に応答して、チャイム３０２は、特定の訪問者に関連する音を発することができる。
【０１８８】
参照により本明細書に組み込まれる以下の特許出願は、訪問者を認識する追加の実施形態を記載する。
・2015年3月18日出願の米国仮特許出願第62/135,133号「ドアベル通信システム及び方法」
・2014年6月23日出願の米国仮特許出願第62/016,050号「ソーシャルネットワークを利用した同一性識別及び訪問者の名前の識別」
・2014年6月23日出願の米国仮特許出願第62/016,053号「ソーシャルネットワークを利用した同一性識別及び訪問者の名前の識別」
・2014年6月23日出願の米国仮特許出願第62/016,057号「頻繁に来る訪問者と、頻繁には来ない訪問者の同一性識別」
【０１８９】
＜有線通信の実施形＞
ドアベルシステム２００は、任意の無線通信標準を介して電気的かつ通信的に連結されるように構成されていることに加えて、ドアベルシステム２００は、任意の種類の有線通信標準（例えば、ワイヤ）を介して電気的かつ通信的に連結されてもよい。実施形態において、ワイヤは、建物３００の銅ワイヤであってもよい。
【０１９０】
図３６に示すように、ドアベルシステム２００は、建物３００のドアベル電源３１２に結合することができる。従って、ドアベルシステム２００は、ドアベル２０２を建物３００の電源３１２に電気的に結合することができる第１のワイヤ３０４ｃを含むことができる。同様に、ドアベルシステム２００は、チャイム３０２をドアベル２０２に電気的及び／又は通信可能に結合することができる第２のワイヤ３０４ｂを含むことができる。同様に、ドアベルシステム２００は、第１のワイヤ３０４ｃ、ドアベル２０２、第２のワイヤ３０４ｂ、チャイム３０２、第３のワイヤ３０４ａ、及び電源３１２を備える回路を形成するために、チャイム３０２を電源３１２に電気的に結合することができる第３のワイヤ３０４ａを含むことができる。
【０１９１】
ドアベル２０２は、第２のワイヤ３０４ｂを介してチャイム３０２に通信可能に結合され得るので、チャイム３０２は、第２のワイヤ３０４ｂを介してドアベル２０２から第１のデータファイルを受信するように構成され得る。同様に、ドアベルシステム２００は、ドアベル２０２から第２のワイヤ３０４ｂを介してチャイム３０２に送信することができる音声ファイル通信２０９を含むことができる。いくつかの実施形態では、音声ファイル通信２０９は、少なくとも１０００バイトを含むことができる。同様に、実施形態では、音声ファイル通信２０９は、１０００バイト未満を含むことができる。また、第２のワイヤ３０４ｂは、ドアベル２０２からチャイム３０２へ、及び／又はチャイム３０２からドアベル２０２への双方向通信を可能にすることができることを理解されたい。
【０１９２】
いくつかの実施形態では、第１のデータファイルは、様々な動作を実行するためのコマンド、又はドアベルシステム２００を様々な設定にするためのコマンドを含むことができる。例えば、第１のデータファイルは、チャイム３０２が音を発しないように、チャイム３０２をサイレントモードにするように構成されたコマンドを含むことができる。同様に、第１のデータファイルは、チャイム３０２の音量設定を調整するように構成されたコマンドを含むことができる。さらに、第１のデータファイルは、チャイム３０２によって発せられる通知音の持続時間を調整するように構成されたコマンドを備えることができる。一般に、第１のデータファイルは、任意のそのような動作を実行するようにチャイム３０２に命令することができることを理解されたい。
【０１９３】
さらに、データファイルは、ドアベル２０２によって記録された動画のような、ドアベルシステム２００によって収集されたデータを含むことができる。従って、データファイルは、不審者の存在、又はシステム２００によって検出された動きに関連付けられたオブジェクトの画像など、チャイム３０２の外部で発生したイベントに関する情報を含むことができる。この点に関して、データファイルは、チャイム３０２によって検出された人物及び／又は物体に関する識別情報を含むことができる。例えば、ドアベル２０２及び／又はチャイム３０２は、建物３００の外側又は内側に位置する人を検出することができる。次に、チャイムは、ドアベル２０２及び／又はチャイム３０２によって検出された人物のアイデンティティを含むデータファイルを受信することができる。同様に、ドアベル２０２は、リモートコンピューティングデバイス２０４から第１のデータファイルを無線で受信することができる。このようにして、ドアベル２０２は、第１のワイヤを介してチャイムによって記録された音声、画像及び／又は動画などの様々なファイルを受信することができる。また、チャイム３０２は、ドアベル２０２及び／又はリモートコンピューティングデバイス２０４から様々なファイルを受信することができることを理解されたい。
【０１９４】
図４１に示すように、本開示はまた、ドアベルシステム２００を建物３００のドアベル電源３１２に電気的に結合する方法を含む。この方法は、第１のワイヤ３０４ｃを介してドアベル２０２をリモートチャイム３０２に結合することを含むことができる（ステップ１６００）。同様に、この方法は、ドアベル２０２によって、情報を含む第１のデータファイルを受信することを含むことができる（ステップ１６０２）。図４１にさらに示すように、この方法は、情報を含む第２のデータファイルを、ドアベルから第１のワイヤを介してリモートチャイムに送信することを含むことができる（ステップ１６０４）。
【０１９５】
情報は、第２のデータファイルを受信する前にチャイム３０２に知られていなかった音を表すことができる。この点に関して、この方法は、第２のデータファイルの受信に少なくとも部分的に応答して、チャイム３０２から音を発することを含むことができる。この点に関して、この方法は、第２のデータファイルを使用して音を発するチャイムを含むことができる。いくつかの実施形態では、第２のデータファイルは、少なくとも１０００バイトを含むことができる。同様に、実施形態では、第２のデータファイルは、１０００バイト未満を含むことができる。
【０１９６】
同様に、この方法は、ドアベル２０２及び／又はリモートコンピューティングデバイス２０４から音放出パラメータを受信するチャイム３０２に少なくとも部分的に応答して、チャイム３０２から音を放出することを含むことができる。例えば、チャイム３０２は、午前９時から午後９時の間にのみ音を発するための音発信パラメータを受信することができる。従って、システム２００が午前９時から午後９時の間に訪問者の存在を検出し、チャイム３０２がデータファイルを受信したことに応答して、チャイム３０２は、音放出パラメータが満たされたとドアベルシステム２００が判定したことに応答して音を放出することができる。
【０１９７】
＜チャイム−ハブ通信の実施形態＞
実施形態では、チャイム３０２は、ドアベル２０２をリモートコンピューティングデバイス２０４に、及びその逆に接続する通信ハブとして作用することができる。チャイム３０２は、様々な理由で通信ハブとして構成することができる。例えば、ある状況では、ドアベルシステムは、ドアベル２０２が、無線ネットワーク及びセルラネットワークのうちの少なくとも１つを介してリモートコンピューティングデバイス２０４と通信するのに不十分な無線性能を備えるかどうかを検出するように構成することができる。
従って、ドアベル２０２が不十分な無線性能を受け取ると、ドアベル２０２は、それによってチャイム３０２と通信することができ、それによってリモートコンピューティングデバイス２０４と通信し、それによってドアベル２０２をリモートコンピューティングデバイス２０４と通信する。
【０１９８】
従って、図４２に示すように、ドアベルシステムを使用する方法は、チャイム３０２を建物３００の無線ネットワークに通信可能に結合することを含むことができる（ステップ１７００）。これにより、チャイム３０２は、ドアベル２０２及びリモートコンピューティングデバイス２０４に通信可能に結合することができる（ステップ１７００）。
【０１９９】
いくつかの実施形態では、ドアベルシステムを使用して、訪問者の存在の表示を検出し、それによって、ドアベル２０２からリモートコンピューティングデバイス２０４にチャイム３０２を介して表示を送信することができる。訪問者の存在は、様々な表示を介して検出することができる。例えば、方法は、ドアベル２０２によって、ドアベル２０２のボタン２１２のトリガを検出することを含むことができる（ステップ１７０２）。
【０２００】
図４２にさらに示すように、方法はまた、訪問者警告２３２ａなどの警告２３２ａをドアベル２０２からチャイム３０２に送信し、それによって訪問者警告２３２ａをチャイム３０２からリモートコンピューティングデバイス２０４に送信することを含むことができる（ステップ１７０６）。このようにして、チャイム３０２は、ドアベル２０２をリモートコンピューティングデバイス２０４に通信可能に結合することができる。従って、チャイム３０２は、ドアベル２０２をリモートコンピューティングデバイス２０４に通信可能に結合するハブとして機能することができる。いくつかの実施形態では、訪問者警報２３２ａ、２３２ｂは、データファイル２１３、第１のデータファイル２１３ｂ、第２のデータファイル２１３ａ、及び／又はデータファイル２１１を介して送信することができる。
【０２０１】
従って、訪問者警告２３２ａは、様々な方法によってドアベル２０２からチャイム３０２及び／又はリモートコンピューティングデバイス２０４に送信することができる。例えば、いくつかの実施形態では、ドアベル２０２は、有線、建物３００の無線ネットワーク、及び／又はセルラネットワークを介して、チャイム３０２に通信可能に結合することができる。同様に、チャイム３０２は、建物３００の無線ネットワーク及び／又はセルラネットワークを介してリモートコンピューティングデバイス２０４に通信可能に結合することができる。それによって、方法は、有線、建物３００の無線ネットワーク、及び／又はセルラネットワークを含む伝送システムの任意の組合せを介して、ドアベル２０２からチャイム３０２に訪問者警報２３２ａを送信することを含むことができる（ステップ１７０８）。同様に、方法は、建物３００の無線ネットワーク及び／又はセルラネットワークを含む任意の組合せを介して、チャイム３０２からリモートコンピューティングデバイス２０４に訪問者警報２３２ａを送信することを含むことができる（ステップ１７０８）。
【０２０２】
状況によっては、ドアベル２０２は、無線信号を受信することができるが、無線信号は、ドアベル２０２からリモートコンピューティングデバイス２０４に特定の通信を送信するには不十分である場合がある。これらの状況では、チャイム３０２は、ドアベル２０２とリモートコンピューティングデバイス２０４との間の通信ハブとして働くことができる。従って、方法は、ドアベル２０２が、無線ネットワーク及びセルラネットワークのうちの少なくとも１つを介してリモートコンピューティングデバイス２０４に訪問者警報２３２ａを送信するのに不適切な無線パフォーマンスを含むことをドアベルシステムが検出したことに応答して、チャイム３０２からリモートコンピューティングデバイス２０４に訪問者警報２３２ａを送信することを含むことができる（ステップ１７１０）。別の言い方をすれば、いくつかの方法は、ドアベル２０２の無線信号が閾値未満であることをドアベルシステムが検出したことに応答して、訪問者警告２３２ａをチャイム３０２からリモートコンピューティングデバイス２０４に送信することを含むことができる（ステップ１７１２）。
【０２０３】
ドアベル２０２、リモートコンピューティングデバイス２０４及びチャイム３０２は、互いに関し異なる場所に位置することができる。例えば、ドアベル２０２は建物３００の外側に配置されてもよく、チャイム３０２は建物３００の内側に配置されてもよく、リモートコンピューティングデバイス２０４は建物３００に対して遠隔に配置されてもよい。図４３に示すように、方法は、ドアベル２０２が建物３００の外側に配置されている間、及びチャイム３０２が建物３００の内側に配置されている間に、ドアベル２０２からチャイム３０２に訪問者警報２３２ａを送信することを含むことができる（ステップ１８００）。同様に、方法は、訪問者警告２３２ａを、チャイム３０２から、建物３００の内側又は外側に位置することができるリモートコンピューティングデバイス２０４に送信することを含むことができる。
【０２０４】
訪問者警告２３２ａは、訪問者がドアベル２０２にいること、又は訪問者がドアベル２０２を介してユーザにメッセージを残したことをユーザに警告する様々な形態をとることができる。この点に関して、訪問者警報２３２ａは、動画、画像、音、テキストメッセージ、電子メール、通話などを含むことができる。図４２を参照すると、方法はドアベル２０２のカメラアセンブリ２０８を介して動画及び／又は画像を取り込むことを含むことができる、（ステップ１７０４）。同様に、訪問者警告２３２ａが音を含む実施形態では、方法は、ドアベル２０２のマイクロフォン４８４で音を記録することを含むことができる。方法は、訪問者がドアベル２０２を介してリモートコンピューティングデバイス２０４に電話をかけることを含むことさえでき、それによって、チャイム３０２は、ドアベル２０２をリモートコンピューティングデバイス２０４に通信可能に結合して、電話呼を可能にする。
【０２０５】
ドアベル２０２が動画、画像、音などをキャプチャすると、ドアベルシステムは、ドアベル２０２とチャイム３０２との間、及びチャイム３０２とリモートコンピューティングデバイス２０４との間の様々な通信を含むことができる。例えば、ドアベルシステムは、ドアベル２０２からチャイム３０２への第１の通信を含むことができる。第１の通信は、ドアベル２０２のカメラ２０８によって撮影された動画及び／又は画像を含むことができる。従って、ドアベルシステムは、チャイム３０２からリモートコンピューティングデバイス２０４への第２の通信を含むことができる。第２の通信は、動画も含むことができる。
【０２０６】
さらに、チャイム３０２は、無線ネットワーク及び／又はセルラネットワークを介して、ドアロック（例えば、スマートドアロック）（ステップ１８０２）、リモートセンサ（例えば、火災警報、煙警報、一酸化炭素検出器、及び盗難警報）（ステップ１８０４）などの他の周辺デバイスに通信可能に結合され得る。この点に関して、チャイム３０２は、ドアベル２０２とリモートコンピューティングデバイス２０４との間だけでなく、ドアベル２０２と、リモートコンピューティングデバイス２０４と、ドアロックと、リモートセンサと、任意の他の周辺デバイスとの間の通信ハブとして機能することができる。
【０２０７】
そのようなデバイス間の通信ハブとしてチャイム３０２を構成することによって、チャイム３０２は、デバイス間でメッセージ及び命令を送信及び通信するために使用され得る。例えば、ユーザは、フロントドアロックをロックするようにリモートコンピューティングデバイス２０４に命令を入力することができる。次いで、命令は、リモートコンピューティングデバイス２０４からチャイム３０２に送信されてもよく、それによって、チャイム３０２は、ロック位置に移動するようにフロントドアロックに命令を送信する。これに応答して、フロントドアロックは、フロントドアをロックすることができる。
【０２０８】
別の例では、チャイム３０２は、有害事象の表示を検出し、かつ／又はリモートセンサから有害事象の表示を受信することができる。有害事象は、運動、ガラス破損、火災、火災警報音、煙などの様々な事象を含むことができる。従って、方法は、チャイム３０２のマイクロフォンを介してガラス破損の音を検出するなど、チャイム３０２で有害事象を直接検出することを含むことができる（ステップ１８０６）。同様に、方法は、チャイム３０２が、チャイム３０２に通信可能に結合されたリモートセンサから有害事象の表示を受信することを含むことができ、それによって、リモートセンサは、有害事象を検出するように構成される。図４３に示すように、方法は、有害事象の検出に応答して、有害事象の警告２３２ｂ（例えば、有害事象警告２３２ｂ）をリモートコンピューティングデバイス２０４に送信することを含むことができる（ステップ１８０８）。理解されるように、有害事象警告２３２ｂは、有害事象の通知を含むことができ、それによって、ユーザに有害事象の通知を出す。
【０２０９】
チャイム３０２は、任意の無線パーソナルエリアネットワークを介して、リモートコンピューティングデバイス２０４、リモートセンサなどの他のデバイスと通信するように構成することができる。例えば、チャイム３０２は、Bluetooth（登録商標）、Bluetooth Low Energy（登録商標）などを介して通信するように構成することができる。このようにして、チャイム３０２は、Bluetooth低エネルギータグと通信することができる。
【０２１０】
様々な実施形態では、チャイム３０２は、エリアを照明するように、又は夜間照明などの快適さのための周囲照明を提供するように構成可能な照明を含むことができる。ライトは、診断ライト２１６、電力インジケータライト２２０、及び／又はチャイム３０２に電気的に結合された任意の他のライトを含むことができる。同様に、照明は、ユーザからの可聴メッセージ（例えば、「最大まで照明をオンにする」）に応答するなど、様々な手段によって起動されてもよい。さらに、照明は、夜間の照明と同様に、隣接領域の暗さなどの外部条件に応答して作動するように構成可能であってもよい。
【０２１１】
ここで図３６を参照すると、システムは、ドアベル２０２の外側、チャイム３０２の外側、及びリモートコンピューティングデバイス２０４の外側に位置するリモートセンサ４１８を含むことができる。リモートセンサ４１８は、建物３００の内側又は外側に配置することができる。リモートセンサ４１８は、音２３６（例えば、アラーム音）を発することができるスピーカ４８８ｃを含むことができる。チャイム３０２のマイクロフォン４８４ｂ（図３１に示す）は、音２３６を検出（例えば、「聞く」）することができる。次に、チャイム３０２は、音２３６の検出に応答して、及び／又はリモートセンサ４１８からの無線通信２３０の受信に応答して、リモートコンピューティングデバイス２０４に通知を送信することができる。
【０２１２】
リモートセンサ４１８は、火災警報器、煙警報器、一酸化炭素検出器、モーションセンサ、ガラス破損センサ、及び盗難警報器を含むことができる。例えば、チャイム３０２は、煙警報を聞くことができる。次に、チャイム３０２は、煙アラームのアラーム音を聞くことに応答して、リモートコンピューティングデバイス２０４に通知を送信することができる。
【０２１３】
いくつかの実施形態は、リモートセンサ４１８からの通信をチャイム３０２によって受信することに応答して、チャイム３０２からリモートコンピューティングデバイス２０４に第２の警告を送信することを含む。いくつかの実施形態は、チャイム３０２をリモートセンサ４１８に通信可能に結合することを含む。リモートセンサ４１８は、火災検出器、煙検出器、及び一酸化炭素検出器のうちの少なくとも１つを備えることができる。実施形態はまた、リモートセンサ４１８からの通信をチャイム３０２によって受信することに応答して、チャイム３０２からリモートコンピューティングデバイス２０４に第２の警告を送信することを含むことができる。
【０２１４】
いくつかの実施形態は、チャイム３０２のマイクロフォン４８４ｂ（図３１に示す）によって、リモートセンサ４１８によって発せられたアラーム音を検出することと、アラーム音の検出に応答して、チャイム３０２からリモートコンピューティングデバイス２０４に第２の警告を送信することとを含む。いくつかの実施形態は、チャイム３０２のマイクロフォン４８４ｂによって、リモート煙検出器（例えば、４１８）によって発せられるアラーム音を検出し、次いで、アラーム音の検出に応答して、チャイム３０２からリモートコンピューティングデバイス２０４に第２の警告を送信することを含む。いくつかの実施形態は、チャイム３０２のマイクロフォン４８４ｂによって、リモートモーションセンサデバイス（例えば、４１８）によって発せられるアラーム音を検出し、次いで、アラーム音の検出に応答して、チャイム３０２からリモートコンピューティングデバイス２０４に第２の警告を送信することを含む。
【０２１５】
強盗は、しばしば、住居及び他の建物に入るためにガラス窓及びガラスドアを破る。いくつかの実施形態は、チャイム３０２のマイクロフォン４８４ｂによって、ガラス破損を検出し、次いで、ガラス破損の検出に応答して、チャイム３０２からリモートコンピューティングデバイス２０４に第２の警告を送信することを含む。
【０２１６】
いくつかのシステムは、火災検出器、煙検出器、一酸化炭素検出器、運動検出器、及びガラス破壊検出器のうちの少なくとも１つを有するリモートセンサ４１８を含む。リモートセンサ４１８は、（例えば、無線通信２３０を介して）チャイム３０２に通信可能に結合され得る。いくつかのシステムは、リモートセンサ４１８からチャイム３０２への第３の通信を含むことができる。
【０２１７】
いくつかのシステムは、マイクロフォン４８４ｂ（図３１に示される）を有するチャイム３０２を含む。システムはまた、リモートセンサ４１８、リモートセンサ４１８によって発せられるアラーム音２３６、及びアラーム音２３６を検出するチャイム３０２のマイクロフォン４８４ｂに応答してチャイム３０２からリモートコンピューティングデバイス２０４に送信される第３の通信を含むことができる。
【０２１８】
図３６は、無線ネットワーク３０８を有する建物３００に結合されるように構成されたドアベルシステムを示す。ドアベルシステムは、建物３００の占有者に通知するために訪問者によって押されるように構成されたボタン２１２を有するドアベル２０２を含むことができる。ドアベル２０２は、図４４に示すように、第１の無線通信システム５０３及び第２の無線通信システム５０７を備えることができる。第１の無線通信システム５０３は、第２の無線通信システム５０７よりも、動作時間の単位当たりの消費エネルギーを少なくすることができる。
【０２１９】
ドアベルシステムはまた、建物３００の電源コンセント３０９（図３３に示す）に結合され、ドアベル２０２に対して遠隔に配置されたリモートコンピューティングデバイス（例えば、チャイム３０２）を含む。リモート通信デバイス３０２は、訪問者がボタン２１２を押すことに応答して音を発するように構成されたスピーカ４８８ｂを備える。リモート通信デバイス３０２は、図４４に示されるように、第３の無線通信システム５０９及び第４の無線通信システム５１１を備える。第３の無線通信システム５０９は、第４の無線通信システム５１１よりも、動作時間の単位当たりの消費エネルギーが少ない。
【０２２０】
いくつかの実施形態では、第２の無線通信システム５０７及び第４の無線通信システム５１１は、Ｗｉ−Ｆｉシステムとすることができる。第１の無線通信システム５０３及び第３の無線通信システム５０９は、Bluetooth、Bluetooth Low Energy、Thread、ZigBee、及び／又は任意の他の適切なシステムとすることができる。いくつかの実施形態の利点は、より多くの電力を消費する通信システムが、より多くのエネルギー効率のよいシステムに比べよりもあまり頻繁には使用されないことである。これは、ドアベル２０２がバッテリ電力で動作するときに特に有用であり得る。
【０２２１】
図４４に示すように、リモート通信システム３０２は、第４の無線通信システム５１１を介して無線ネットワーク３０８と通信可能に結合され、第３の無線通信システム５０９を介してドアベル２０２の第１の無線通信システム５０３と通信可能に結合される。ドアベル２０２は、第１の無線通信システム５０３を介してリモート通信デバイス３０２からの通信を受信することに応答して、第２の無線通信システム５０７を介して無線ネットワーク３０８と通信可能に結合される。
【０２２２】
図４５は、リモートコンピューティングデバイス２０４がどのようにして建物の無線ネットワーク３０８に通信を送信することができ、次に無線ネットワーク３０８が第４の無線通信システム５１１に無線通信を送信することができるかを示す。次に、リモート通信デバイス３０２は、その第３の無線通信システム５０９を使用して、ドアベルの第１の無線通信システム５０３に通信を送信することができる。次いで、ドアベル２０２は、その第２の無線通信システム５０７を使用して、無線ネットワーク３０８及び／又はリモートコンピューティングデバイス２０４に通信を送信することができる。
【０２２３】
通信は、リモートコンピューティングデバイス２０４によって実行される「アプリ」上のオプションを選択することによってユーザが「設定」するドアベル設定パラメータとすることができる。ドアベル２０２は、ドアベル設定パラメータの受信に応答して、ドアベル設定（例えば、電力管理設定、カメラ設定、通知プリファレンス、ドアベルライト設定）を更新することができる。
【０２２４】
いくつかの実施形態では、ドアベル２０２は、リモート通信デバイス３０２からの通信の受信に応答して「ウェイクアップ」する。リモート通信デバイス３０２は、リモートコンピューティングデバイス２０４からウェイクアップコマンドを受信することに応答して、ドアベル２０２にウェイクアップコマンドを送信することができる。ドアベル２０２は、カメラをオンにし、動画の記録を開始し、及び／又は無線ネットワーク３０８との無線通信を開始することによって、「ウェイクアップ」することができる。
【０２２５】
図４６は、別のドアベル２０２ｍの正面図を示す。このドアベル２０２ｍはバッテリ４６２を含む。バッテリ４６２は、ドアベル２０２ｍが電気を受け取るために建物の電気システムに接続される必要がないように電力を供給することができる。このドアベル２０２ｍは、本明細書に示されるか、又は参照により組み込まれる他のドアベル２０２の文脈で説明される項目のいずれかを含むことができる。
【０２２６】
＜複数住居ユニットシステム及び方法の実施形態＞
本明細書で説明されるドアベルシステム２００は、複数住宅ユニット建物などの建物内の居住者及び訪問者へのアクセスを獲得及び／又は制限するために使用されてもよい。本明細書で使用されるように、「建物」という用語は、住宅、アパート、ホテル、及び人々に恒久的又は一時的にシェルターを提供する任意の他の構造物などの任意の住居を指すことができる。
【０２２７】
いくつかの実施形態では、建物３００は、建物内のメインドア及び個々のユニットなど、建物の様々なアクセスポイントに隣接して取り付けられた複数のドアベル２０２及びロック２５０を備えることができる。いくつかの実施形態では、建物の居住者を訪れることを望む客は、建物のフロントエントランス又はその近くに配置されたドアベル２０２上のボタンを押してもよい。これにより、ドアベルシステム２００は、ゲストが建物へのアクセスを得ることを許可されているかどうかを判定することができる。システム２００は、様々な方法でゲストの許可を決定することができる。いくつかの実施形態では、システム２００は、顔認識データ、音声認識データなどの様々な識別データを介して、ゲストが許可されているかどうかを自動的に判定する。さらに、いくつかの実施形態では、システム２００は、居住者から手動入力を受信することができる。例えば、居住者が、ゲストが建物に入ることを許可されていると判断し、居住者が、システム２００にゲストへのアクセスを許可するように指示するリモートコンピューティングデバイス上の入力を選択するなどである。
【０２２８】
さらに、システム２００は、様々な方法で訪問者へのアクセスを許可及び／又は制限するようにさらに構成され得る。ゲストのリモートコンピューティングデバイス２０４に一時キーを提供することができる。ゲストは、リモートコンピューティングデバイス２０４をアクセスポイントの前で振ることができる。アクセスポイントは、建物全体の様々な場所に位置することができ、ゲストに建物の異なる場所にアクセスすることができる。
【０２２９】
さらなる構成を説明し、例示するために、ここで図面を参照する。図４７に示すように、本開示は、建物３００に結合されるように構成されたドアベルシステム２００を含む。いくつかの実施形態では、システム２００は、リモートコンピューティングデバイス２０４と、建物３００に結合され、リモートコンピューティングデバイス２０４に通信可能に結合されたドアベル２０２とを含む。ドアベル２０２は、画像をキャプチャするように構成可能なカメラ２０８と、音声を受信するように構成可能なマイクロフォン４８４と、建物３００の占有者に通知するために訪問者によって押されるように構成可能なボタン２１２とを含むことができる。システム２００はまた、建物３００に結合され、ドアベル２０２及びリモートコンピューティングデバイス２０４のうちの少なくとも１つに通信可能に結合されたロック２５０を含むことができる。ロック２５０は、リモートコンピューティングデバイス２０４によって受信された入力に応答してロック及びロック解除されるように構成可能であり得る。
【０２３０】
図４８に示すように、建物３００は、複数ユニット建物であってもよく、ロック２５０は、建物３００のメインエントランス７００に隣接して結合されたメインロック２５０ａであってもよい。システム２００はまた、建物３００内の第１のアパートメントユニットの第１のドア７０２に連結され、少なくとも１つのドアベル２０２とリモートコンピューティングデバイス２０４ａに通信接続された第１のロック２５０ｂを含むことができる。第１のロック２５０ｂは、第１のリモートコンピューティングデバイス２０４ａによって受信された第２の入力に応答してロック及びロック解除されるように構成可能であり得る。この点に関し、システム２００は、居住者が、メインエントランスだけでなく、建物３００内の個々のアパート／ユニットへの訪問者へのアクセスを許可／拒否することを可能にするように配置及び構成することができる。例えば、居住者は、配達員がロビー内の居住者の荷物を置いて帰ることができるように、配達員にメインロビーへのアクセスを許可することを望む場合がある。しかしながら、居住者は、配達員が居住者のアパートにアクセスすることを拒否することを望む場合がある。別の例では、居住者は、家族などの認証された訪問者に、メインロビーだけでなく、居住者の個々のアパートへのアクセスを許可することを望む場合がある。
【０２３１】
引き続き図４８を参照すると、システム２００は、ドアベル２０２に通信可能に結合された第２のリモートコンピューティングデバイス２０４ｂを含むことができる。システム２００はまた、建物３００内の第２のアパートメントユニットの第２のドア７０４に結合され、ドアベル２０２及び第２のリモートコンピューティングデバイス２０４ｂのうちの少なくとも１つに通信可能に結合された第２のロック２５０ｃを含むことができる。第２のロック２５０ｃは、第２のリモートコンピューティングデバイス２０４ｂによって受信された第３の入力に応答してロック及びロック解除されるように構成可能であり得る。
【０２３２】
いくつかの実施形態では、システム２００は、リモートコンピューティングデバイス２０４、ドアベル２０２、第１のロック２５０ｂ、及び第２のロック２５０ｃのうちの少なくとも１つに通信可能に結合されたリモートサーバ２０６を含む。サーバ２０６は、複数のインターネットプロトコル（ＩＰ）アドレスを格納するように構成可能であり得る。これにより、サーバ２０６は、複数のＩＰアドレスを使用して、ドアベル２０２のＩＰアドレスに基づいてドアベル２０２の位置を決定することができる。いくつかの実施形態では、リモートサーバ２０６は、ＩＰアドレスを認識し、次いで、ＩＰアドレスに基づいて建物及び建物の位置を識別する。システム２００が建物を識別すると、システム２００は、可能な音声／顔認識データのリストを、その建物だけの音声／顔認識データのより小さいリストに絞り込むことができる。従って、これは、システム２００が音声／顔認識データから訪問者を識別するための改善された速度及び効率をもたらすことができる。
【０２３３】
ドアベルシステム２００は、異なるフォームファクタ（デザイン、形状、サイズなど）を規定するようなサイズ及び形状にすることができる。例えば、図４９及び図５０に示すように、メインロック２５０ａは第１のフォームファクタ７０６ａを規定し、第１のロックは第２のフォームファクタ７０８ａを規定する。図４９に示すように、第１のフォームファクタ７０６ａ及び第２のフォームファクタ７０８ａは、実質的に同じであっても、実質的に同じであってもよい。他の実施形態では、図５０に示すように、第１のフォームファクタ７０６ｂと第２のフォームファクタ７０８ｂは異なっていてもよい。
【０２３４】
さらに、ドアベルシステム２００は、顔認識データ及び／又は音声認識データなどのデータを捕捉し、そのデータに基づいて訪問者のアイデンティティを決定するように構成及び構成されてもよい。リモートサーバ２０６はまた、訪問者のアイデンティティを決定するために使用され得るデータを格納するように構成され得る。いくつかの実施形態では、サーバ２０６はまた、顔認識データ及び音声認識データを記憶し、それによって、データに基づいて訪問者のアイデンティティを決定することができる。
【０２３５】
図５１に示すように、本開示は、占有者が建物３００への訪問者アクセスを許可することを可能にするためにドアベルシステム２００を使用する方法を含む。実施形態は、ドアベルシステム２００を介して、訪問者の存在の表示を決定することを含むことができる（ステップ５１００）。方法はまた、ドアベルシステム２００に通信可能に結合されたリモートサーバ２０６を介して、ドアベルシステム２００のインターネットプロトコルアドレスに基づいてドアベルシステム２００の位置を決定することを含むことができる（ステップ５１０２）。これにより、方法はドアベルシステム２００のロック２５０を解除することを含むことができる、（ステップ５１０４）。
【０２３６】
方法はまた、ドアベルシステム２００のマイクロフォン４８４を介して、（ステップ５１０６）訪問者から可聴メッセージを受信することを含むことができる。従って、方法は、訪問者が認証された訪問者であるかどうかを判定することを含むことができる（ステップ５１０８）。方法は、（ステップ５１１０）訪問者が認証された訪問者であると判定することに応答して、ロック２５０を自動的に解除することさえ含むことができる。従って、実施形態はまた、訪問者が認証された訪問者ではないと判定することに応答して、ロックを自動的にロックすることを含むことができる（ステップ５１１２）。
【０２３７】
システム２００は、ゲストが建物３００にアクセスすることを許可されているか、又は許可されていないかを判定することに応答して、様々なアクションを実行することができる。例えば、方法は、訪問者が認証された訪問者であると判定することに応答して、ドアベル２０２とリモートコンピューティングデバイス２０４との間の通信セッションを開始することを含むことができる（ステップ５１１４）。方法はまた、訪問者が認証された訪問者でないと判定することに応答して、ドアベル２０２とリモートコンピューティングデバイス２０４との間の通信セッションを開始することを控えることを含むことができる（ステップ５１１６）。「許可」という用語は、建物へのアクセスが許可されるように予め決定されたゲストを意味するものと理解することができる。
【０２３８】
図５２を参照すると、訪問者が認証された訪問者であるかどうかを判定することは、（ステップ５２００において）訪問者のアイデンティティを判定することを含むことができる。
いくつかの実施形態では、訪問者のアイデンティティを決定することは、顔認識データをキャプチャすること（ステップ５２０２）と、顔認識データを介して訪問者の識別を決定すること（ステップ５２０４）とを含む。同様に、訪問者のアイデンティティを決定することは、音声認識データをキャプチャすること（ステップ５２０６）と、音声認識データを介して訪問者のアイデンティティを決定すること（ステップ５２０８）とを含むことができる。システム２００はまた、指紋認識、網膜検出などの任意の他の様々な識別技術を介して訪問者の識別を決定するように構成されてもよい。
【０２３９】
図５３に示すように、この方法は、訪問者が、少なくとも第１の住居及び第２の住居を有する遠隔建物３００において第１の通信を開始することに応答して、住居識別を受信することを含むことができる（ステップ５３００）。方法は、また、住居識別に基づいて第１の住居に関連する第１のリモートコンピューティングデバイス２０４ａを選択し（ステップ５３０２）、住居識別を受信することに応じて第１のリモートコンピューティングデバイス２０４ａにプッシュ通知を送信すると共に、リモートコンピューティングデバイス２０４を選択する（ステップ５３０４）。
【０２４０】
引き続き図５３を参照すると、方法は、訪問者がドアベルボタン２１２を押して第１の通信を開始することに応答して、住居識別を受信することを含むことができる（ステップ５３０６）。方法はまた、遠隔建物３００に関連付けられたインターネットプロトコルアドレスを有する第１の通信を受信すること（ステップ５３０８）と、インターネットプロトコルアドレスの分析に応答して第１のリモートコンピューティングデバイス２０４ａの第１の電話番号を識別すること（ステップ５３１０）と、第１の電話番号にプッシュ通知を送信すること（ステップ５３１２）とを含むことができる。
【０２４１】
図５４に示すように、この方法は、訪問者から第１のリモートコンピューティングデバイス２０４ａへの音声メッセージの送信に少なくとも部分的に応答して、ゲート、外側ドア、メインドア、共通エリアに通じるドアなどの入口を遠隔建物３００にロック解除する許可を第１のリモートコンピューティングデバイス２０４ａから受信するステップと、入口をロック解除するステップとを含むことができる（ステップ５４００）。それによって、この方法は、（ステップ５４０２）許可を受け取ったことに応答して、第１の住宅のドアのロックを解除することを含むことができる。
【０２４２】
方法は、遠隔建物の物理アドレスを有する住居識別を受信すること（ステップ５４０４）、及び訪問者から直接又は間接的に受信されたデータに応答して、訪問者が第１の住居へのアクセスを望むことを決定すること（ステップ５４０６）も含むことができる。方法はまた、第１の住居に関連付けられた第１の電話番号を識別することと（ステップ５４０８）、第１の電話番号にプッシュ通知を送信すること（ステップ５４１０）とを含み得る。システム２００はまた、システム２００のユーザから手動入力を受信するように構成されてもよい。
【０２４３】
図５５に示すように、いくつかの実施形態では、この方法は、訪問者から第１のリモートコンピューティングデバイス２０４ａへの音声メッセージの送信に少なくとも部分的に応答して、遠隔建物３００への入口のロックを解除する許可を第１のリモートコンピューティングデバイス２０４ａから受信することと、入口のロックを解除することとを含む（ステップ５５００）。方法は、許可を受信することに応答して、第１の住居のドアをロック解除すること（ステップ５５０２）を含むことができる。実施形態はまた、音声及び顔の認識特徴を実装することができる。例えば、住居識別を受信することは、訪問者が第１の住居へのアクセスを望んでいることを識別するために話す訪問者の記録を分析することを含むことができる（ステップ５５０４）。方法は、訪問者がドアベルボタン２１２を押して第１の通信を開始することに少なくとも部分的に応答して訪問者の第２のリモートコンピューティングデバイス２０４ｂの第２の電話番号を受信すること（ステップ５５０６）と、訪問者の第２のリモートコンピューティングデバイス２０４ｂと第１の住居に関連する第１のリモートコンピューティングデバイス２０４ａとの間の双方向音声通信を開始すること（ステップ５５０８）とをさらに含むことができる。方法は、第２の電話番号を介して送信された電子通信を介して第２のリモートコンピューティングデバイス２０４ｂに電子キーデータを送信するための双方向音声通信に少なくとも部分的に応答して、第１のリモートコンピューティングデバイス２０４ａから許可を受信すること（ステップ５５１０）を含むことができる。
【０２４４】
図５６を参照すると、方法はまた、第１の住居の入口に配置されたドアベル２０２、コンピュータ、センサなどの鍵識別システムに応答して第２の通信を受信し（ステップ５６００）、第２の通信の受信に応答して第１の住居のドアをロック解除するための第３の通信を送信する（ステップ５６０２）ことを含むことができる。いくつかの実施形態では、電子キーデータは、訪問者が一時的な期間、第１の住居のドアをロック解除することを可能にするように構成されたコードである。
【０２４５】
方法は、訪問者の第２のリモートコンピューティングデバイス２０４ｂを検出する第１の住居の入口に位置する近接センサに応答して、第１の住居のドアをロック解除すること（ステップ５６０４）を含むことができる。さらに、いくつかの実施形態では、この方法は、第１の住居の入口に位置するドアベルが、訪問者の顔及び第１の訪問者の物理的特性のうちの少なくとも１つを認識することに応答して、第１の住居のドアをロック解除することを含む（ステップ５６０６）。
【０２４６】
アパートメント複合施設のような大きな建物は、しばしば、相互通信（「インターコム」）システムを含む。インターコムは、建物を訪れる人が建物内の人と通信することを可能にするために、建物の入口近くに取り付けることができる。
【０２４７】
場合によっては、ドアの近くにインターコムが設置されている。訪問者は、建物内の誰かと通信するために、インターホン上のボタンを押すことができる。例えば、訪問者は、アパート番号を入力したり、人の名前を表示したりすることができる。次に、インターホンは、訪問者と人（又はアパートにいる人）との間で双方向の音声及び／又は動画通信を開始することができる。インターホンは、訪問者がアパート内の人物を見ることを可能にする表示画面を含むことができる。
【０２４８】
場合によっては、車両の運転者がインターホンを使用してゲート内の誰かと通信し、ゲート内の人がボタンを押してゲートを開くと、インターホンが開くように構成されたゲートの外側に取り付けられる。
【０２４９】
図５７は、建物３００内の人３３６ａと通信しようとする訪問者３８８の概略図を示す。
人３３６ａが建物３００内にいる場合、システムは、人３３６ａが双方向音声及び／又は双方向動画を介して訪問者３８８と通信することを可能にすることができる。例えば、システムは、建物の入口付近に配置された１つのインターコム５１９ａを含むことができる。このシステムは、住居ユニット（例えば、アパート、ホテルの部屋、オフィス、寝る場所、家、室内室）内に配置された第２のインターコム５１９ｂを含むことができる。ケーブル５１５ｅ又は他の適切な通信手段は、訪問者３８８が建物３００内の人３３６ａと通信することを可能にするために、インターコム５１９ａ、５１９ｂを結合することができる。しかしながら、人３３６ｂが建物３００から離れている場合には、問題が生じる。例えば、人３３６ｂは、仕事中、休暇中、又は散歩中であり得る。この場合、システムは、訪問者３８８が住居ユニットに関連する人３３６ｂと通信することを可能にしない。
【０２５０】
図５８は、通信デバイス２０２がシステムに通信可能に結合されていることを除いて、図５７に示される状況に類似する状況の概略図を示す。通信システム２０２は、（例えば、無線ネットワーク、セルラネットワーク、インターネット、サーバ、電話ネットワーク、及び／又は任意の適切な通信システムを介して）ユーザ３３６ｂのリモートコンピューティングデバイス２０４と通信可能に結合され得る。通信デバイス２０２は、本明細書で説明され、かつ／又は参照により組み込まれるドアベル２０２及びセキュリティシステム２０２の文脈で説明される構成要素及び特徴のいずれかを備えることができる。例えば、図２９は、通信デバイス２０２の多くの特徴を示す。
【０２５１】
システムは、インターホン５１９ｂとリモートコンピューティングデバイス２０４の両方に（住居ユニットに関連する人と話したい訪問者３８８に関する）警告を送信するように構成することができる。住居ユニットに位置する第１の人３３６ａが、住居ユニットから離れて位置する第２の人３３６ｂが（例えば、リモートコンピューティングデバイス２０４を介して）警告に応答する前に（例えば、インターコム５１９ｂを介して）警告に応答する場合、システムは、（必要とされるよりも多くの人又は場所に警告することを回避するために）リモートコンピューティングデバイス２０４への警告を終了することができる。
【０２５２】
住居ユニットに位置する第２の人３３６ｂが（例えば、インターホン５１９ｂを介して）警告に応答する前に、住居ユニットから離れて位置する第１の人３３６ｂが（例えば、リモートコンピューティングデバイス２０４を介して）警告に応答する場合、システムは、インターホン５１９ｂへの警告を終了することができる（必要以上に多くの人又は場所に警告することを回避するために）。
【０２５３】
図５９は、図５７に示されるシステムの概略図を示し、インターコム５１９ａ、５１９ｂは、音声を記録するように構成されたマイクロフォン５１３、５１３ｂと、人の画像を記録するように構成されたカメラ５０５、５０５ｂと、遠隔の人が音声を聞くことができるように記録された音声を発するように構成されたスピーカ５０１、５０１ｂと、（例えば、双方向動画通信を可能にするために）遠隔に位置する人の動画を示すように構成された表示画面２４２、２４２ｂと、コンピュータ、プリント回路基板、無線通信システム、及び動画、音声、及び通信を処理するために必要な任意の他のアイテムを含むことができる制御システム５１７、５１７ｂとを備えることができる。インターコム５１９ａ、５１９ｂは、販売に利用可能なインターコムの任意の構成要素及び特徴を備えることができる。例えば、ノルウェーにあるZenitel、イリノイ州バッファローグローブにあるVisiplex、Inc.、及びニューヨークにあるBEC Integrated Solutions、LLCは、多くのインターコムを販売している。
【０２５４】
図６０及び図６１は、図５８に示すシステムの概略図を示す。システムは、第１の通信デバイス５１９ａ及び第３の通信デバイス２０２によって通信可能に結合された多くのインターコム及びリモートコンピューティングデバイス（例えば、スマートフォン）を含むことができる。
【０２５５】
通信システム２０７は、建物３００に少なくとも部分的に結合されるように構成することができる。通信システム２０７は、第１の場所（例えば、建物３００の入口３１０）で建物３００に結合された第１の通信デバイス５１９ａを含むことができる。第１の通信デバイス５１９ａは、第１のスピーカ５０１及び第１のマイクロフォン５１３を備えることができる。通信システム２０７は、第２の場所（例えば、建物の部屋の内側）で建物３００に結合された第２の通信デバイス５１９ｂを備えることができる。
【０２５６】
第２の通信デバイス５１９ｂは、第２のスピーカ５０１ｂ及び第２のマイクロフォン５１３ｂを備えることができる。第１の通信デバイス５１９ａ及び第２の通信デバイス５１９ｂは、第１の位置に位置する訪問者３８８が第２の位置の第１の人３３６ａと話すことを可能にするように通信可能に結合され得る。通信システム２０７は、第１のスピーカ５０１及び第１のマイクロフォン５１３に物理的に結合された部分を有する第３の通信デバイス２０２を備えることができる。この部分は、第１の通信デバイス５１９ａの少なくとも１つのプリント回路基板に電気的に結合することができ、従って、この部分は、第１のマイクロフォン５１３からの音に基づいてデータを受信することができ、第１のスピーカ５０１がこの部分からのデータに基づいて音を発するようにデータを送信することができる。この部分は、第３の通信デバイス２０２の他の部分と電気的かつ通信可能に結合することができる。
【０２５７】
いくつかの実施形態では、第３の通信デバイス２０２の部分は、第３の通信デバイス２０２の少なくともいくつかの部分と物理的に結合されていないが、第３の通信デバイス２０２の他の部分と無線で通信可能に結合されている。第３の通信デバイス２０２は、無線通信を介して第１のリモートコンピューティングデバイス２０４に通信可能に結合することができる。
【０２５８】
いくつかの実施形態では、第３の通信デバイス２０２は、第１のリモートコンピューティングデバイス２０４によって記録された第１の音声データを（例えば、無線通信２３０を介して）受信するように構成される。第３の通信デバイス２０２の部分は、第１のスピーカ５０１が第１の音声データに基づいて第１の音を発するように、第１の電気接続５１５ａを介して第１の音声データを第１のスピーカ５０１に配信するように構成され得る。
第１の電気接続は、ケーブル、ワイヤ、相互接続、プリント回路基板の一部、及び／又は第３の通信デバイス２０２の部分をスピーカ５０１に結合する任意の適切な導電性材料とすることができる。この結合は、制御システム５１７を介して行うことができる。
【０２５９】
いくつかの実施形態では、第３の通信デバイス２０２は、第１の通信デバイス５１９ａによって記録された第２の音声データを受信するように構成される。第３の通信デバイス２０２の部分は、第２の電気接続５１５ｄを介して第１のマイクロフォン５１３から第２の音声データを受信するように構成することができる。第３の通信デバイス２０２は、第１のリモートコンピューティングデバイス２０４が第２の音声データに基づいて第２の音を発するように、第２の音声データを第１のリモートコンピューティングデバイス２０４に送信するように構成することができる。
【０２６０】
第２の電気接続は、ケーブル、ワイヤ、相互接続、プリント回路基板の一部、及び／又は第３の通信デバイス２０２の部分をマイクロフォン５１３に結合する任意の適切な導電性材料とすることができる。この結合は、制御システム５１７を介して行うことができる。
第１の通信デバイス５１９ａのカメラ５０５及び表示画面２４２は、第３の通信デバイス２０２に電気的に結合することができる。
【０２６１】
いくつかの実施形態では、第１の通信デバイス５１９ａは、第１のカメラ５０５を備え、第３の通信デバイス２０２は、第１のカメラ５０５によって記録された第１の動画データを受信するように構成され、第３の通信デバイス２０２の一部は、第３の電気接続を介して第１の動画データを受信するように構成され、及び／又は第３の通信デバイス２０２は、第１のリモートコンピューティングデバイス２０４が第１の動画データに基づいて第１の動画を表示するように、第１のリモートコンピューティングデバイス２０４に第１の動画データを無線で送信するように構成される。
【０２６２】
ケーブル５１５ｅは、第１の通信デバイス５１９ａ（入口通路３１０に配置することができる）を第２の通信デバイス５１９ｂ（建物の部屋に配置することができる）に通信可能に結合することができる。いくつかの実施形態では、ケーブル５１５ｅは、第１の通信デバイス５１９ａを第２の通信デバイス５１９ｂに通信可能に結合するために使用されない。その代わりに、第１の通信デバイス５１９ａ及び第２の通信デバイス５１９ｂは、建物３００の無線ネットワーク３０８によって通信可能に結合され得る。
【０２６３】
いくつかの実施形態では、第１の通信デバイス５１９ａ及び第３の通信デバイス２０２は、建物３００の入口通路３１０に配置される。第３の通信デバイス２０２は、第１の通信デバイス５１９ａに機械的に結合され得る。
【０２６４】
入口通路３１０は、建物３００のドアの近くの領域、又は建物３００の外部領域（例えば、アパート複合施設の外側のフロントヤード又は共同エリア）を保護するように構成されたゲートとすることができる。第２の通信デバイス５１９ｂは、建物３００内の住居ユニット内に配置することができる。システム２０７は、訪問者３８８に関する第１の警告を第２の通信デバイス５１９ｂに送信するように構成することができる。システム２０７は、訪問者３８８に関する第２の警告を第１のリモートコンピューティングデバイス２０４に送信するように構成することができる。いくつかの実施形態では、これらの警告は、同時に、及び／又は互いに３０秒以内に送信される。警告信号は、連続的であっても断続的であってもよい。警告は、訪問者３８８に関する情報（例えば、訪問者３８８のアイデンティティ、訪問の目的、訪問者３８８が話したい人のアイデンティティ、訪問の時間、パッケージ情報）を含むことができる。スマートフォンに送信される警告は、プッシュ通知とすることができる。プッシュ通知は、スマートフォンにスマートフォンのユーザにメッセージを表示させることができ、及び／又はスマートフォン上で「アプリ」を開かせることができる。
【０２６５】
第２の通信デバイス５１９ｂに送信された警告は、メッセージを第２の通信デバイス５１９ｂの表示画面２４２ｂ上に表示させることができ、かつ／又は第２の通信デバイス５１９ｂに通知音（例えば、アパート、ホテルの部屋、又は他の住居ユニットの占有者の注意を引くように構成されたリンギング音）を発せさせることができる。
【０２６６】
いくつかの実施形態では、システム２０７は、第２の人３３６ｂが第１のリモートコンピューティングデバイス２０４を介して第２の警告に応答したことを検出したことに応答して、第１の警告を終了するように構成される。
【０２６７】
いくつかの実施形態では、システム２０７は、訪問者３８８に関する第１の警告を第２の通信デバイス５１９ｂに送信するように構成され、システム２０７は、訪問者３８８に関する第２の警告を第１のリモートコンピューティングデバイス２０４に送信するように構成され、及び／又はシステム２０７は、第１の人物が第２の通信デバイス５１９ｂを介して第１の警告に応答したことを検出したことに応答して、第２の警告を終了するように構成される。
【０２６８】
いくつかの実施形態では、第２の通信デバイス５１９ｂは、建物３００内の住居ユニット内に配置される。システム２０７は、第１のリモートコンピューティングデバイス２０４が住居ユニット内に配置されていないことを検出したことに応答して、訪問者３８８に関する警告を第１のリモートコンピューティングデバイス２０４に送信するように構成することができる。いくつかの実施形態では、第２の通信デバイス５１９ｂは、建物３００内の住居ユニット内に配置される。システム２０７は、第１の人物が住居ユニット内に位置していないと判定したことに応答して、訪問者３８８に関する警告を第１のリモートコンピューティングデバイス２０４に送信するように構成することができる。
【０２６９】
いくつかの実施形態では、システム２０７は、第３の場所で建物３００に結合された第４の通信デバイス５１９ｃを備える。第４の通信デバイス５１９ｃは、第３のスピーカ５０１ｃ及び第３のマイクロフォン５１３ｃを備えることができる。第１の通信デバイス５１９ａ及び第４の通信デバイス５１９ｃは、第１の位置に位置する訪問者３８８が第３の位置の第３の人と話すことを可能にするように通信可能に結合され得る。
第４の通信デバイス５１９ｃは、第１の通信デバイス５１９ａ及び第３の通信デバイス２０２を介して第２のリモートコンピューティングデバイス２０４ｅに通信可能に結合することができる。
【０２７０】
いくつかの実施形態では、第３の通信デバイス２０２は、第１の通信デバイス５１９ａ及び第３の通信デバイス２０２のうちの少なくとも１つが、訪問者３８８が、第４の通信デバイス５１９ｃが位置する住居ユニット及び第４の通信デバイス５１９ｃが位置する住居ユニットの占有者のうちの少なくとも１つと話したいと検出及び／又は判断することに応答して、第２のリモートコンピューティングデバイス２０４ｅと第１の通信デバイス５１９ａとの間の双方向音声通信を可能にするように構成される。
【０２７１】
［解釈］
本明細書で使用される場合、用語「実質的に」は、以下の語句のいずれかを意味すると理解され得る
・大部分について
・本質的に
・かなり
・非常に多く
・かなりの程度まで
【０２７２】
本明細書で使用されるように、用語「居住者」、「占有者」、「ゲスト」、及び「訪問者」は、互換的に使用されてもよく、建物に入る任意の人を意味すると理解されてもよい。本明細書に記載されるステップのいずれも、必須又は必須ではない。ステップのいずれも、調整又は修正することができる。他の又は追加のステップを使用することができる。本明細書の１つの実施形態、フローチャート、又は例において開示又は図示されるステップ、プロセス、構造、及び／又はデバイスのいずれかの任意の部分は、異なる実施形態、フローチャート、又は例において開示又は図示されるステップ、プロセス、構造、及び／又はデバイスのいずれかの任意の他の部分と組み合わせるか、又はそれらの代わりに使用することができる。
【０２７３】
本明細書で提供される実施形態及び例は、別個であり、互いに別個であることを意図していない。本明細書で提供されるセクション見出し及びサブ見出しは、非限定的である。
セクションの見出し及び副見出しは、見出し及び副見出しが関係するセクションに記載された実施形態の全範囲を表す又は限定するものではない。例えば、「トピック１」と題されたセクションは、トピック１に関連しない実施形態を含むことができ、他のセクションに記載された実施形態は、「トピック１」セクション内に記載された実施形態に適用され、それらと組み合わせることができる。デバイス、システム、実施形態、及びプロセスのいくつかは、コンピュータを使用する。前述のセクションで説明したルーチン、プロセス、方法、及びアルゴリズムのそれぞれは、１つ又は複数のコンピュータ、コンピュータプロセッサ、又はコンピュータ命令を実行するように構成されたマシンによって実行されるコードモジュールで実施され、完全に又は部分的に自動化され得る。コードモジュールは、ハードドライブ、ソリッドステートメモリ、フラッシュメモリ、光ディスクなどの任意のタイプの非一時的コンピュータ可読記憶媒体又は有形コンピュータ記憶デバイス上に記憶することができる。プロセス及びアルゴリズムは、アプリケーション固有の回路において部分的に又は全体的に実装され得る。
【０２７４】
開示されたプロセス及びプロセスステップの結果は、例えば、揮発性又は不揮発性記憶装置などの任意のタイプの非一時的コンピュータ記憶装置に、永続的に、又は他の方法で記憶され得る。上述の様々な特徴及びプロセスは、互いに独立して使用されてもよく、又は様々な方法で組み合わせられてもよい。全ての可能な組合せ及び小さな組合せは、本開示の範囲内にあることを意図している。さらに、いくつかの実装形態では、特定の方法、イベント、状態、又はプロセスブロックを省略することができる。本明細書で説明される方法、ステップ、及びプロセスはまた、任意の特定のシーケンスに限定されず、それに関連するブロック、ステップ、又は状態は、適切な他のシーケンスで実行され得る。例えば、説明されたタスク又はイベントは、具体的に開示された順序以外の順序で実行されてもよい。
【０２７５】
複数のステップは、単一のブロック又は状態で組み合わされてもよい。例示的なタスク又はイベントは、シリアル、パラレル、又は他の何らかの方法で実行することができる。
タスク又はイベントは、開示された例示的な実施形態に追加されてもよいし、又はそこから削除されてもよい。本明細書で説明される例示的なシステム及び構成要素は、説明されるものとは異なるように構成され得る。例えば、要素は、開示された例示的な実施形態と比較して、追加され、除去され、又は再配置されてもよい。
【０２７６】
ここで用いられる条件付き用語は、例えば、「できる」、「ありうる」、「かもしれない」、「例えば」等のようなものであるが、具体的に明記されていない限り、また、他の実施形態が、特定の特徴、要素及び／又はステップを含まないことを、一般に特定の実施形態が含むことを伝えることを意図している。従って、そのような条件言語は通常、特徴、要素、及び／若しくはステップが１つ若しくは複数の実施例に必ず必要とされることを示唆するものではなく、又は１つ若しくは複数の実施例が、著者入力の有無にかかわらず、これらの特徴、要素、及び／若しくはステップが何らかの特定の実施例に含まれるかどうか若しくは実行すべきかどうかを決定する論理回路を必ず含むことを示唆するものでもない。
【０２７７】
用語「含む」、「含む」、「有する」などは、同義語であり、オープンエンドの様式で包括的に使用され、追加の要素、特徴、行為、動作などを排除するものではなく、また、用語「又は」は、その包括的な意味で使用され（かつ、その排他的な意味ではない）、例えば、要素のリストを接続するために使用される場合、用語「又は」は、リスト内の要素の１つ、いくつか、又はすべてを意味する。語句「Ｘ、Ｙ、及びＺのうちの少なくとも１つ」などの結合言語は、特に断らない限り、項目、用語などがＸ、Ｙ、又はＺのいずれかであり得ることを伝えるために一般に使用される文脈とは別に理解される。従って、このような結合言語は、特定の実施形態が、それぞれ存在するために、Ｘ、Ｙのうちの少なくとも１つ、及びＺのうちの少なくとも１つを必要とすることを一般に暗示することを意図しない。
用語「及び／又は」は、「及び」がいくつかの実施形態に適用され、「又は」がいくつかの実施形態に適用されることを意味する。従って、Ａ、Ｂ、及び／又はＣは、１つの文で書かれたＡ、Ｂ、及びＣと、別の文で書かれたＡ、Ｂ、又はＣと置き換えることができる。
用語「及び／又は」は、不必要な冗長性を回避するために使用される。Ａ、Ｂ、及び／又はＣは、いくつかの実施形態がＡ及びＢを含むことができ、いくつかの実施形態がＡ及びＣを含むことができ、いくつかの実施形態がＢ及びＣを含むことができ、いくつかの実施形態がＡ及びＣを含むことができ、いくつかの実施形態がＡ及びＣのみを含むことができ、いくつかの実施形態がＣのみを含むことができることを意味する。
【０２７８】
特定の例示的な実施形態を説明してきたが、これらの実施形態は、例としてのみ提示されており、本明細書で開示される本発明の範囲を限定することを意図していない。従って、前述の説明のいかなるものも、任意の特定の特徴、特性、ステップ、モジュール、又はブロックが必要又は不可欠であることを暗示することを意図するものではない。実際に、本明細書に記載される新規な方法及びシステムは、様々な他の形態で具現化されてもよく、さらに、本明細書に記載される方法及びシステムの形態における様々な省略、置換、及び変更が、本明細書に開示される発明の精神から逸脱することなく行われてもよい。
【０２７９】
［関連出願の相互参照］
以下の出願の全内容は、参照により本明細書に組み込まれる。
米国仮特許出願第62/539,472号(2017年7月31日出願)：名称「DOORBELL COMMUNICATION SYSTEMS AND METHODS」
以下の出願の全内容は、参照により本明細書に組み込まれる。
米国本特許出願第15/793,552号(2017年10月25日出願):名称「DOORBELL PACKAGE DETECTION SYSTEMS AND METHODS」
以下の出願の全内容は、参照により本明細書に組み込まれる。
米国本特許出願第15/785,605号（ 2017年10月17日出願）：名称「DOORBELL PACKAGE DETECTION SYSTEMS AND METHODS」
以下の出願の全内容は、参照により本明細書に組み込まれる。
米国仮特許出願第62/571,465号（2017年10月12日出願）。名称「DOORBELL PACKAGE DETECTION SYSTEMS AND METHODS」
以下の出願の全内容は、参照により本明細書に組み込まれる。
米国本特許出願第15/167,831号（2016年5月27日出願）：名称「DOORBELL PACKAGE DETECTION SYSTEMS AND METHODS」
以下の出願の全内容は、参照により本明細書に組み込まれる。
米国本特許出願第15/130,883号（2016年4月15日出願）：名称「SMART LOCK SYSTEMS AND METHODS」
以下の出願の全内容は、参照により本明細書に組み込まれる。
米国本特許出願第15/008,304号（2016年1月27日出願）：名称「DOORBELL PACKAGE DETECTION SYSTEMS AND METHODS」
以下の出願の全内容は、参照により本明細書に組み込まれる。
米国本特許出願第14/861,613号（2015年9月22日出願）：名称「DOORBELL COMMUNICATION SYSTEMS AND METHODS」
以下の出願の全内容は、参照により本明細書に組み込まれる。
米国本特許出願第14/813,479号（2015年7月30日出願）：名称「DOORBELL COMMUNICATION SYSTEMS AND METHODS」
以下の出願の全内容は、参照により本明細書に組み込まれる。
米国本特許出願第14/589,830号（2015年1月5日に出願）：名称「DOORBELL COMMUNICATION SYSTEMS AND METHODS」
以下の出願の全内容は、参照により本明細書に組み込まれる。
米国本特許出願第14/743,849号（2015年6月18日出願）：名称「DOORBELL COMMUNICATION SYSTEMS AND METHODS」
以下の出願の全内容は、参照により本明細書に組み込まれる。
米国本特許出願第14/612,376号（2015年2月3日出願）：名称「DOORBELL COMMUNICATION SYSTEMS AND METHODS」
米国本特許出願第14/502,601号（2014年9月30日出願）：名称「DOORBELL COMMUNICATION SYSTEMS AND METHODS」
米国本特許出願第14/492,809号（ 2014年9月22日出願）：名称「DOORBELL COMMUNICATION SYSTEMS AND METHODS」
米国本特許出願第14/275,811号（2014年5月12日出願）：名称「DOORBELL COMMUNICATION SYSTEMS AND METHODS」
米国本特許出願第14/142,839号（2013年12月28日出願）：名称「DOORBELL COMMUNICATION SYSTEMS AND METHODS」
米国本特許出願第14/099,888号（2013年12月6日出願）：名称「DOORBELL COMMUNICATION SYSTEMS AND METHODS」
米国本特許出願第14/098,772号（2013年12月6日に出願）：名称「DOORBELL COMMUNICATION SYSTEMS AND METHODS」
以下の出願の全内容は、参照により本明細書に組み込まれる。
国際出願第PCT/US14/47622号（2014年7月22日に米国特許商標庁に出願）：名称「DOORBELL COMMUNICATION SYSTEMS AND METHODS」
以下の出願の全内容は、参照により本明細書に組み込まれる。
国際出願番号PCT/US14/53506（2014年8月29日に米国特許商標庁に出願）：名称「DOORBELL COMMUNICATION SYSTEMS AND METHODS」
【図１】
2020529771.tif 000003
【図２】
2020529771.tif 000004
【図３】
2020529771.tif 000005
【図４】
2020529771.tif 000006
【図５】
2020529771.tif 000007
【図６】
2020529771.tif 000008
【図７】
2020529771.tif 000009
【図８】
2020529771.tif 000010
【図９】
2020529771.tif 000011
【図１０】
2020529771.tif 000012
【図１１】
2020529771.tif 000013
【図１２】
2020529771.tif 000014
【図１３】
2020529771.tif 000015
【図１４】
2020529771.tif 000016
【図１５】
2020529771.tif 000017
【図１６】
2020529771.tif 000018
【図１７】
2020529771.tif 000019
【図１８】
2020529771.tif 000020
【図１９】
2020529771.tif 000021
【図２０】
2020529771.tif 000022
【図２１】
2020529771.tif 000023
【図２２】
2020529771.tif 000024
【図２３】
2020529771.tif 000025
【図２４】
2020529771.tif 000026
【図２５】
2020529771.tif 000027
【図２６】
2020529771.tif 000028
【図２７】
2020529771.tif 000029
【図２８】
2020529771.tif 000030
【図２９】
2020529771.tif 000031
【図３０】
2020529771.tif 000032
【図３１】
2020529771.tif 000033
【図３２】
2020529771.tif 000034
【図３３】
2020529771.tif 000035
【図３４】
2020529771.tif 000036
【図３５】
2020529771.tif 000037
【図３６】
2020529771.tif 000038
【図３７】
2020529771.tif 000039
【図３８】
2020529771.tif 000040
【図３９】
2020529771.tif 000041
【図４０】
2020529771.tif 000042
【図４１】
2020529771.tif 000043
【図４２】
2020529771.tif 000044
【図４３】
2020529771.tif 000045
【図４４】
2020529771.tif 000046
【図４５】
2020529771.tif 000047
【図４６】
2020529771.tif 000048
【図４７】
2020529771.tif 000049
【図４８】
2020529771.tif 000050
【図４９】
2020529771.tif 000051
【図５０】
2020529771.tif 000052
【図５１】
2020529771.tif 000053
【図５２】
2020529771.tif 000054
【図５３】
2020529771.tif 000055
【図５４】
2020529771.tif 000056
【図５５】
2020529771.tif 000057
【図５６】
2020529771.tif 000058
【図５７】
2020529771.tif 000059
【図５８】
2020529771.tif 000060
【図５９】
2020529771.tif 000061
【図６０】
2020529771.tif 000062
【図６１】
2020529771.tif 000063
【国際調査報告】
2020529771.tif 000064
2020529771.tif 000065
2020529771.tif 000066